(57)【要約】手術台装置（１０）は、外科的処置の前、その間、またはその後に患者を支持するために用意される。手術台装置（１０）は、基部（１２）と手術台頂部（１６）とを含む。手術台頂部（１６）は、患者の胴体を支持するようにされた胴体支持部分（１７）と、患者の頭部を支持するようにされた頭部支持部分（１８）とを含む。
2005504559.tif 000002
【特許請求の範囲】
【請求項１】
患者の頭部と胴体とを支持するように構成された手術台装置であって、
基部と、
患者の胴体を支持するようにされた胴体支持部分と、
患者の頭部を支持するように構成された頭部支持面を形成する頭部支持部材、及び頭部支持部材を支持するように構成された第１の一対の平行なリンクを含む頭部支持部分と、を具備する手術台装置において、リンクが第１の端部と第２の端部とを含み、第１の端部が、胴体支持部分に対する頭部支持部分の移動を許容するために回動可能に支持され、頭部支持部材が、リンクに対する頭部支持部材の移動を許容するためにリンクの第２の端部によって回動可能に支持され、頭部支持部材が、リンクの第２の端部から胴体支持部分の方に向かって延びる、手術台装置。
【請求項２】
頭部支持部分が、胴体支持部分に取り外し可能に連結される、請求項１に記載の手術台装置。
【請求項３】
胴体支持部分が、患者の胴体を支持するように構成された胴体支持面を含み、またリンクが、頭部支持面の、胴体支持面の高さより低い下降を可能にするように構成される、請求項１に記載の手術台装置。
【請求項４】
頭部支持部材が、リンクから片持ちで張り出す、請求項１に記載の手術台装置。
【請求項５】
頭部支持部分が、頭部支持部材を支持するように構成された第２の一対の平行なリンクをさらに含む、請求項１に記載の手術台装置。
【請求項６】
リンクの移動を許容する第１の位置とリンクの移動を阻止する第２の位置との間で移動可能な第１の位置ホルダを頭部支持部分が含む、請求項１に記載の手術台装置。
【請求項７】
リンクに対する頭部支持部材の移動を許容する第１の位置と、リンクに対する頭部支持部材の移動を阻止する第２の位置との間で移動可能な第２の位置ホルダを頭部支持部分がさらに含む、請求項６に記載の手術台装置。
【請求項８】
リンクの一つが、リンク本体を含んで、リンク本体の側方の空間を形成し、頭部支持部材が、リンク本体の側方の空間における頭部支持部材の移動を可能にするためにリンク本体に移動可能に連結される、請求項１に記載の手術台装置。
【請求項９】
患者の頭部と胴体とを支持するように構成された手術台装置であって、
基部、及び、
患者の胴体を支持するようにされた胴体支持部分を含む胴体支持部分、及び、
頭部支持面と、頭部支持面の、胴体支持面の高さより低い下降を可能にするように構成された第１の四棒リンク機構とを含む頭部支持部分、を具備する手術台装置。
【請求項１０】
頭部支持部分が、第２の四棒リンク機構をさらに含み、この第２の四棒リンク機構が、第１の四棒リンク機構に平行な第２の四棒リンク機構であり、かつ頭部支持面の、胴体支持面の高さより低い下降を可能にするように構成される第２の四棒リンク機構である、請求項９に記載の手術台装置。
【請求項１１】
頭部支持部材が、第１の四棒リンク機構と第２の四棒リンク機構との間に配置される、請求項１０に記載の手術台装置。
【請求項１２】
頭部支持部材の移動の間に、第１の四棒リンク機構が、頭部支持部材の頭部支持面を概ね水平な方向で維持するように構成される、請求項９に記載の手術台装置。
【請求項１３】
第１の四棒リンク機構の移動を阻止する結合位置と、第１の四棒リンク機構の移動を許容する非結合位置との間で移動可能な第１の位置ホルダを頭部支持部分がさらに含む、請求項９に記載の手術台装置。
【請求項１４】
第１の四棒リンク機構に対する頭部支持部材の移動を許容する第１の位置と、第１の四棒リンク機構に対する頭部支持部材の移動を阻止する第２の位置との間で移動可能な第２の位置ホルダを頭部支持部分がさらに含む、請求項１３に記載の手術台装置。
【請求項１５】
第１のリンクと、第１の回動場所で第１のリンクに回動可能に連結される第２のリンクと、第２の回動場所で第２のリンクに回動可能に連結される第３のリンクと、第３の回動場所で第３のリンクに回動可能に連結され且つ第４の回動場所で第１のリンクに回動可能に連結される第４のリンクとを第１の四棒リンク機構が含む、請求項９に記載の手術台装置。
【請求項１６】
第１のリンクが、胴体支持部分に取り外し可能に連結される、請求項１５に記載の手術台装置。
【請求項１７】
第１のリンクが、胴体支持部分に連結され、また頭部支持部分が、第１の回動場所における第１のリンクに対する第２のリンクの回動可能な移動を阻止するように配置された位置ホルダをさらに含む、請求項１５に記載の手術台装置。
【請求項１８】
第１の四棒リンク機構に対する頭部支持部材の移動を許容する第１の位置と、第１の四棒リンク機構に対する頭部支持部材の移動を阻止する第２の位置との間で移動可能な第２の位置ホルダを頭部支持部分がさらに含む、請求項１７に記載の手術台装置。
【請求項１９】
頭部支持部材が第３のリンクに連結される、請求項１５に記載の手術台装置。
【請求項２０】
第１の回動場所と第２の回動場所とが、第１の間隔で離間させられて、第３の回動場所と第４の回動場所とが、第１の間隔より大きな第２の間隔で離間させられる、請求項１５に記載の手術台装置。
【請求項２１】
第１のリンクと第３のリンクとが非平行である、請求項１５に記載の手術台装置。
【請求項２２】
第２のリンクと第４のリンクとが非平行である、請求項２１に記載の手術台装置。
【請求項２３】
頭部支持部材が、隙間空間を形成する切欠き部分を含み、頭部支持面の、胴体支持面の高さより低い下降の間に、第１の四棒リンク機構の少なくとも一部が前記隙間空間を通過する、請求項９に記載の手術台装置。
【請求項２４】
第１の四棒リンク機構が、胴体支持部分に対する、第１の上昇範囲及び第２の上昇範囲にわたる頭部支持面の移動を許容するように構成され、頭部支持面が、第１の上昇範囲を通して胴体支持部分に対して実質的に平行であり、第２の上昇範囲を通して胴体支持部分に対して実質的に非平行である、請求項９に記載の手術台装置。
【請求項２５】
胴体支持部分が、患者の胴体を支持するようにされた胴体支持面を含み、第１の使用位置と、頭部支持面及び胴体支持面が協働してそれらの間に２７０°より大きな角度を形成する格納位置との間で頭部支持部材の頭部支持面の移動を許容するように第１の四棒リンク機構が構成される、請求項９に記載の手術台装置。
【請求項２６】
頭部支持部分が、胴体支持部分に対する頭部支持面の角度の調整を可能にするように構成された第１の位置ホルダをさらに含み、第１の四棒リンク機構が、第１の端部と、第１の端部と胴体支持部分との間に配置された第２の反対側の端部とを含み、該位置ホルダが、第１の四棒リンク機構の第１の端部に隣接して配置される、請求項９に記載の手術台装置。
【請求項２７】
頭部支持部分が、患者の頭部を支持するようにされた第１の及び第２の頭部支持部材を含み、第２の頭部支持部材が、第１の頭部支持部材を取り外し可能に受容するように寸法決めされた凹部を形成する、請求項９に記載の手術台装置。
【請求項２８】
頭部支持部分が、胴体支持部分に対する第１の四棒リンク機構の移動を許容するように構成された位置ホルダをさらに含み、位置ホルダが、結合部材と被結合部材とを含み、結合部材が、被結合部材の一部分を受容するように寸法決めされた空隙を形成する縁部を含み、被結合部材の一部分に対する空隙の投影が第１の面積を有するところの結合位置と、被結合部材の一部分に対する空隙の投影が第１の面積より大きな第２の面積を有するところの非結合位置との間で、結合部材が、被結合部材の一部分に対して移動可能である、請求項９に記載の手術台装置。
【請求項２９】
頭部支持部分が、位置ホルダを含み、この位置ホルダが、第１の四棒リンク機構によって支持される位置ホルダであり、且つ胴体支持部分に対する頭部支持面の移動を許容するように構成される位置ホルダであり、また位置ホルダがウォームギア機構を含む、請求項９に記載の手術台装置。
【請求項３０】
第１の四棒リンク機構によって支持され、且つ胴体支持部分に対する頭部支持面の移動を許容するように構成される位置ホルダを頭部支持部分が含み、位置ホルダが、胴体支持部分によって支持される第１の基部と、頭部支持部材を支持するように構成される第２の基部とを含み、第２の基部が、胴体支持部分に対する頭部支持部材の移動を許容するために、第１の基部に対して移動可能であり、位置ホルダが、第１の及び第２の基部の少なくとも一つに対して移動するように構成されるカムと、第１の基部に対する第２の基部の移動をロック位置にあるときに阻止し且つ第１の基部に対する第２の基部の移動をロック解除位置にあるときに許容するように構成されるキーとをさらに含み、カムが、ロック位置とロック解除位置との間でキーを移動させるように配置される、請求項９に記載の手術台装置。
【請求項３１】
第１の四棒リンク機構によって支持され、且つ胴体支持部分に対する頭部支持面の移動を許容するように構成される位置ホルダを頭部支持部分が含み、位置ホルダが、第１の基部と、第１の基部に対して移動可能な第２の基部と、第１の及び第２の基部に対して移動可能なキーとを含み、基部の少なくとも一つが、頭部支持部材を支持するように構成され、第１の及び第２の基部の少なくとも一つが、第１の組の相補的形成部を含み、第２の基部に対する第１の基部の移動を阻止するために第１の組の相補的形成部と相互作用する第２の組の相補的形成部をキーが含み、キーの移動が、第１の及び第２の基部の移動を許容して胴体支持部分に対する頭部支持部分の移動を許容するために、第１の及び第２の相補的形成部を係合解除する、請求項９に記載の手術台装置。
【請求項３２】
第１の四棒リンク機構が、頭部支持面に作用する患者の重量を支えるように構成されるフレーム部材を含み、フレーム部材が、第１の四棒リンク機構のフレーム部材に取り外し可能に連結されるように構成される付属品装置を支持するように構成される、請求項９に記載の手術台装置。
【請求項３３】
頭部支持部分が、内側領域を有するカバーと、カバーに配置され且つ患者の頭の一部を受容するように寸法決めされた空隙を形成する頭部支持パッドとを含む、請求項９に記載の手術台装置。
【請求項３４】
頭部支持部分が、第１の頭部支持パッドを含む頭部支持部材を含み、第１の頭部支持パッドが、患者の頭部を支持するようにされた第１の頭部支持面と、患者の頭部を支持するようにされた第２の頭部支持面とを含み、第１の頭部支持パッドが、第１の頭部支持面に対して第１の硬さを提供し、また第２の頭部支持面に対して第１の硬さより硬い第２の硬さを提供し、第１の頭部支持面が患者の頭部を支持するために配置される第１の位置と、第２の頭部支持面が患者の頭部を支持するために配置される第２の位置との間で第１の頭部支持パッドが移動可能である、請求項９に記載の手術台装置。
【請求項３５】
頭部支持部分が、頭部支持パッドと透明部材とを含み、前記頭部支持パッドが、患者の頭部を支持するようにされ、また患者の顔を見るための開口部を含み、前記透明部材が、頭部支持パッドを支持するように構成されて、透明部材を通した患者の顔の観察を可能にする、請求項９に記載の手術台装置。
【請求項３６】
頭部支持部分が、頭部支持部材と鏡とを含み、前記頭部支持部材が、患者の頭部を支持するようにされ、また患者の顔を見るための開口部を含み、前記鏡が、第１の端部と、第１の端部から離間した第２の端部とを有し、鏡の第１の端部に沿って頭部支持部分に回動可能に連結される、請求項９に記載の手術台装置。
【発明の詳細な説明】
【技術分野】
【０００１】
本出願は、２００１年６月５日に出願されたＷｅｌｌ等の米国特許出願第０９／８７４，７１０の一部継続出願であり；また２００１年１２月１１日に出願されたＢｏｒｄｅｒｓの米国特許出願第０９／７３４，４８７の一部継続出願である２００１年８月２１日に出願されたＢｏｒｄｅｒｓの米国特許出願第０９／９３４，２２６、現在は米国特許第６，２７６，０１２号の一部継続出願であり、当該特許は、米国仮特許出願第６０／０６４，７０９及び第６０／０８３，６７３に対する利益を主張する１９９８年１１月６日に出願されたＢｏｒｄｅｒｓの米国特許出願第０９／１８７，９９０の分割出願である。本出願は、２００１年１月２５日に出願されたＢｏｒｄｅｒｓの米国仮特許出願第６０／２６４，０９０号；２００１年１月２５日に出願されたＢｌｙｓｈａｋ等の米国仮特許出願第６０／２６４，２１４；Ｂｏｒｄｅｒｓ等の２００１年６月２５日に出願されたＢｏｒｄｅｒｓ等の米国仮特許出願第６０／３００，６２５号；及び２００１年１０月３日に出願されたＢｏｒｄｅｒｓ等の米国仮特許出願第６０／３２６，８６６号の利益を主張する。上に引用された全ての特許出願の明細は、ここに引用することをもって本出願に明白に組み込まれる。
【背景技術】
【０００２】
本発明は手術台に関するものである。より詳しくは、本発明は、手術台の支持面に関連する構造及び機構に関するものである。
【０００３】
患者の頭部、胴部、腕及び脚部のような患者の身体の異なる部分を支持するための複数の部分を提供する手術台が公知である。同様に、手術台のこのような部分の間にジョイントを設けて、手術台の一つの部分の手術台の他の部分に対する移動を可能にすることが公知である。例えば、米国特許第２，８７２，２５９号は、上胴及び下胴部分に対して可動である頭部分と足部分とを有する手術台を開示している。
【発明の開示】
【課題を解決するための手段】
【０００４】
本発明の第１の態様によれば、患者の頭部及び胴体を支持するように構成される手術台装置が提供される。手術台装置は、基部と、患者の胴体を支持するようにされた胴体支持部分と、頭部支持部分とを含む。頭部支持部分は、患者の頭部を支持するように構成された頭部支持面を形成する頭部支持部材と、頭部支持部材を支持するように構成された第１の一対の平行なリンクとを含む。該リンクは第１の及び第２の端部を有する。第１の端部は、胴体指示部分に対する頭部支持部分の移動を許容するように、回動可能に支持される。頭部支持部材は、リンクに対する頭部支持部材の移動を許容するように、リンクの第２の端部によって回動可能に支持される。頭部支持部材は、リンクの第２の端部から胴体指示部分の方に延びる。
【０００５】
本発明の他の態様によると、手術台装置が、患者の頭部と胴体とを支持するために提供される。手術台装置は、基部と、患者の胴体を支持するようにされた胴体支持部分と、頭部支持部分とを含む。頭部支持部分は、頭部支持面と、胴体支持面の高さより低い、頭部支持面の下降を可能にするように構成された四棒リンク機構とを含む。
【０００６】
本発明の更なる態様がここで説明される。これらの態様の各々は、互いに及び上述の態様から独立している。さらに、どの態様の特徴も、他のどの態様に対して必須ではない。
【０００７】
本発明の他の態様によれば、手術台装置が、患者の頭部と胴体とを支持するために提供される。手術台装置は、基部と、胴体支持部分と、頭部支持部分とを含む。胴体支持部分は、患者の胴体を支持するようにされ、また長手方向軸を有する。頭部支持部分は、患者の頭部を支持するように構成された頭部支持面を形成する頭部支持部材と、胴体支持部分から離れるように延びる第１のリンクとを含む。リンクは、リンク本体と、第１の及び第２の端部を含み、リンク本体の側方の空間を形成する。頭部支持部材は、リンクの第２の端部に可動に連結されて、リンク本体の側方の空間における頭部支持部材の移動を可能にする。
【０００８】
本発明の他の態様によれば、付属物と患者の胴体とを支持するように構成される手術台装置が提供される。手術台装置は、基部と、患者の胴体を支持するようにされた胴体支持部分と、胴体支持部分に連結された付属物支持部分とを含む。付属物支持部分は、付属物支持面とリンク機構とを含み、前記リンク機構は、付属物支持面の、胴体支持部分に対する第１の上昇範囲及び第２の上昇範囲にわたる移動を許容するように構成される。付属物支持面は、第１の上昇範囲を通して胴体支持部分に対して実質的に平行であり、また第２の上昇範囲を通して胴体支持部分に対して実質的に非平行である。
【０００９】
本発明の他の態様によれば、患者の頭部と胴体とを支持するために手術台装置が提供される。手術台装置は、基部と、患者の胴体を支持するようにされた胴体支持面を含む胴体支持部分と、頭部支持部分とを含む。頭部支持部分は、患者の頭部を支持するようにされた頭部支持面を形成する頭部支持部材と、頭部支持部材を支持するように構成された部材支持体とを含む。部材支持体は、頭部支持部材の頭部支持面の、第１の使用位置と、頭部支持面及び胴体支持面がそれらの間に２７０°より大きい角度を協働して形成する格納位置との間の移動を可能にするように構成される。
【００１０】
本発明の他の態様によると、患者の頭部と胴体とを支持するために手術台装置が提供される。手術台装置は、基部と、患者の胴体を支持するようにされた胴体支持面を含む胴体支持部分と、頭部支持部材を含む頭部支持部分とを含む。頭部支持部材は、患者の頭部を支持するようにされた頭部支持面を含む。頭部支持面と胴体支持面とは、協働してそれらの間にある角度を形成する。頭部支持部分は、角度の調整を可能にするように構成された第１の位置ホルダを更に含む。頭部支持部材は、第１の端部と、第１の端部と胴体支持部分との間に配置された第２の反対側の端部とを含む。位置ホルダは頭部支持部材の第１の端部に隣接して配置される。
【００１１】
本発明の他の態様によれば、患者の頭部と胴体とを支持するために手術台装置が提供される。手術台装置は、基部と、患者の胴体を支持するようにされた胴体支持部分と、頭部支持部分とを含む。頭部支持部分は、患者の頭部を支持するようにされた第１の及び第２の頭部支持部材を含む。第１の頭部支持部材は、患者の頭の一部分を支持する支持位置と患者の頭の前記一部分から離間した非支持位置との間を移動するように構成される。第２の頭部支持部材は、患者の頭の他の一部分を支持する支持位置と患者の頭の前記一部分から離間した非支持位置との間を移動するように構成される。第１の頭部支持部材は、第２の頭部支持部材から独立して可動である。
【００１２】
本発明の他の態様によると、患者の頭部と胴体とを支持するために手術台装置が提供される。手術台装置は、基部と、患者の胴体を支持するようにされた胴体支持部分と、頭部支持部分とを含む。頭部支持部分は、患者の頭部を支持するようにされた第１の及び第２の頭部支持部材を含む。第２の頭部支持部材は、第１の頭部支持部材を取り外し可能に受容するように寸法決めされた凹部を形成する。
【００１３】
本発明の他の態様によると、患者の頭部と胴体とを支持するために手術台装置が提供される。手術台装置は、基部と、患者の胴体を支持するようにされた胴体支持部分と、頭部支持部分とを含む。頭部支持部分は、患者の頭の第１の部分を支持するようにされた第１の頭部支持部材と、患者の頭の第２の部分を支持するようにされた第２の頭部支持部材と、胴体支持部分に対する第１の及び第２の頭部支持部材の移動を許容するように構成された位置ホルダとを含む。位置ホルダは、第１の及び第２の部材の、互いに対する移動を許容するように構成される。
【００１４】
本発明の他の態様によると、患者の頭部と胴体とを支持するために手術台装置が提供される。手術台装置は、基部と、患者の胴体を支持するようにされた胴体支持部分と、頭部支持部分とを含む。頭部支持部分は、患者の頭部を支持するようにされた頭部支持部材と、胴体支持部分に対する頭部支持部材の移動を許容するように構成された位置ホルダとを含む。位置ホルダは、結合部材と被結合部材とを含む。結合部材は、被結合部材の一部分を受容するように寸法決めされた空隙を形成する縁部を含む。結合部材は、被結合部材の一部分に対する空隙の投影が第１の面積を有するところの結合位置と、被結合部材の一部分に対する空隙の投影が、第１の面積より大きい第２の面積を有するところの非結合位置との間で、被結合部材の一部分に対して移動可能である。
【００１５】
本発明の他の態様によると、患者の頭部と胴体とを支持するために手術台装置が提供される。手術台装置は、基部と、患者の胴体を支持するようにされた胴体支持部分と、頭部支持部分とを含む。頭部部分は、患者の頭部を支持するようにされた頭部支持面を含む頭部支持部材と、頭部支持部材を支持するように構成され、かつ胴体支持部分に対する頭部支持部材の移動を許容するように構成された部材支持体と、部材支持体によって支持され、かつ胴体支持部分に対する頭部支持部材の移動を許容するように構成された位置ホルダとを含む。位置ホルダはウォームギア機構を含む。
【００１６】
本発明の他の態様によると、患者の頭部と胴体とを支持するために手術台装置が提供される。手術台装置は、基部と、患者の胴体を支持するようにされた胴体支持部分と、頭部支持部分とを含む。頭部支持部分は、患者の頭部を支持するようにされた頭部支持面を含む頭部支持部材と、胴体支持部分に対する頭部支持部材の移動を許容するように構成された位置ホルダとを含む。位置ホルダは、胴体支持部分によって支持された第１の基部と、頭部支持部材を支持するように構成された第２の基部とを含む。第２の基部は、第１の基部に対して移動可能で、胴体支持部分に対する頭部支持部材の移動を許容する。位置ホルダは、カムとキーとを更に含み、前記カムは、第１の及び第２の基部の少なくとも一つに対して移動するように構成され、前記キーは、ロック位置にあるときに第１の基部に対する第２の基部の移動を阻止するように、かつロック解除位置のあるときに第１の基部に対する第２の基部の移動を許容するように構成される。カムは、キーをロック位置とロック解除位置との間で移動させるために配置される。
【００１７】
本発明の他の態様によると、患者の頭部と胴体とを支持するために手術台装置が提供される。手術台装置は、基部と、患者の胴体を支持するようにされた胴体支持部分と、頭部支持部分とを含む。頭部支持部分は、患者の頭部を支持するようにされた頭部支持面を含む頭部支持部材と、胴体支持部分に対する頭部支持部材の移動を許容するように構成された位置ホルダとを含む。位置ホルダは、第１の基部と、第１の基部に対して移動可能な第２の基部と、第１の及び第２の基部に対して移動可能なキーとを含む。基部の少なくとも一つが頭部支持部材を支持するように構成される。第１の及び第２の基部の少なくとも一つが、第１の組の相補的形成部を含む。キーは、第２の基部に対する第１の基部の移動を阻止するために第１の組の相補的形成部と相互作用する第２の組の相補的形成部を含む。キーの移動は、第１の及び第２の基部の移動を許容して胴体支持部分に対する頭部支持部分の移動を許容するために、第１の相補的形成部と第２の相補的形成部との係合を解除する。
【００１８】
本発明の他の態様によると、手術台デバイスが提供される。手術台デバイスは、手術台装置と付属品装置とを含む。手術台装置は、患者の胴体を支持するようにされた胴体支持部分を含み、また付属物支持部分は、患者の付属物を支持するようにされた付属物支持部材と、胴体支持部分に対して頭部支持部材を支持するように構成されたフレーム部材とを含む。付属品装置は、付属物支持部分のフレーム部材に取り外し可能に連結するように構成される。
【００１９】
本発明の他の態様によると、患者の頭部と胴体とを支持するために手術台装置が提供される。手術台装置は、基部と、患者の胴体を支持するようにされた胴体支持部分と、頭部支持部分とを含む。頭部支持部分は、内側領域を有するカバーと、カバーに配置されて患者の頭の一部を受容するように寸法決めされた空隙を形成する頭部支持パッドとを含む。
【００２０】
本発明の他の態様によると、患者の頭部と胴体とを支持するために手術台装置が提供される。手術台装置は、基部と、患者の胴体を支持するようにされた胴体支持部分と、頭部支持部分とを含む。頭部支持部分は、頭部支持部材と、頭部支持部材を支持するように構成された部材支持体とを含む。頭部支持部材は、第１の頭部支持パッドを含む。第１の頭部支持パッドは、患者の頭部を支持するようにされた第１の頭部支持面と、患者の頭部を支持するようにされた第２の頭部支持面とを含む。第１の頭部支持パッドは、第１の頭部支持面に対して第１の硬さを、また第２の頭部支持面に対して第１の硬さより堅い第２の硬さを提供する。第１の頭部支持パッドは、第１の頭部支持面が患者の頭部を支持するために配置される第１の位置と、第２の頭部支持面が患者の頭部を支持するために配置される第２の位置との間で移動可能である。
【００２１】
本発明の他の態様によると、患者が手術台装置の上でうつぶせ姿勢で配置されるとき患者の頭部を支持するように構成される患者頭部支持部分が提供される。患者頭部支持部分は頭部支持パッドと透明部材とを含む。頭部支持パッドは、患者の頭部を支持するようにされており、また患者の顔を見るための開口部を含む。透明部材は、頭部支持パッドを支持するように構成されて、透明部材を通した患者の顔の観察を可能にする。
【００２２】
本発明の他の態様によると、患者が手術台装置の上でうつぶせ姿勢で配置されるとき患者の頭部を支持するように構成される患者頭部支持部分が提供される。患者頭部支持部分は、頭部支持部材と鏡とを含む。頭部支持部材は、患者の頭部を支持するようにされており、また患者の顔を見るための開口部を含む。鏡は、第１の端部と、第１の端部から離間した第２の端部とを有する。鏡は、鏡の第１の端部に沿って頭部支持部分に回動可能に連結される。
【００２３】
本発明の他の態様によると、患者を支持するように構成される手術台装置が提供される。手術台装置はデッキ支持体とデッキとを含む。デッキは、デッキフレームと、デッキフレームにより支持された胴体支持部材とを含み、また脚部分、下胴部分、上胴部分、及び頭部分を有する患者支持面を形成する。デッキフレームは、デッキ支持体により支持された脚部分と、脚部分に連結された下胴部分と、下胴部分に回動可能に連結された上胴部分と、上胴部分に連結された頭部分とを含む。上胴部分及び下胴部分は、患者支持面の上胴部分及び下胴部分をそれらの間に１８０°より大きな角度を形成する位置で支持する第１の位置に移動するように構成される。
【００２４】
本発明の他の態様によると、患者を支持するように構成される手術台装置が提供される。手術台装置はデッキ支持体とデッキとを含む。デッキは、デッキ支持体によって支持されるデッキフレームと、デッキフレームによって支持されて患者支持面を形成する胴体支持部材とを含む。患者支持表面は、下肢部分、上肢部分、胴体部分、及び頭部分を有する。デッキフレームは、下肢部分、上肢部分、胴体部分、及び頭部分を含む。上肢部分及び下肢部分は、患者支持面の上肢部分及び下肢部分をほぼ同一の平面で支持する第１の位置と、患者支持面の上肢部分及び下肢部分を、それらの間のほぼ１８０°より大きな第１の角度を形成する位置で支持する第２の位置との間で移動するように構成される。デッキは、デッキフレームの上肢部分及び下肢部分を第１の位置と第２の位置との間で移動させるように配置されたアクチュエータを含む。
【００２５】
本開示の追加の特徴は、添付図面と共に検討されたとき、次の詳細な説明を考慮すれば本技術分野に知識を有するものには明らかになるであろう。
【００２６】
図面の詳細な説明は、添付図を個々に参照する。
【００２７】
詳細な説明については、個々に添付図が参照される。
【発明を実施するための最良の形態】
【００２８】
本発明の開示による手術台装置または患者支持体１０の第１の実施態様が図１に示されている。手術台装置１０は、架台１４を含む基部１２と、架台１４に連結された手術台頂部１６とを含む。
【００２９】
架台１４は、基部１２に対して方向２８、３０に上下に支持面１６を移動させるためのリフト機構（図示せず）を含む。適切なリフト機構の明細は、２００２年１月２５日出願のＢｌｙｓｈａｋ等の番号不詳の米国特許、表題「Ｈｙｄｒａｕｌｉｃ  Ａｃｔｕａｔｏｒ  Ａｐｐａｒａｔｕｓ」に示されており、この特許の明細は、ここに引用することをもって明白に組み込まれる。
【００３０】
手術台頂部１６は、手術台装置１０上に配置される患者の頭部、胴体及び下肢に概ね対応する、頭部支持部分１８と胴体支持部分１７と下肢支持部分２６とを含む。胴体支持部分１７は、手術台装置１０上に配置される患者の上胴、下胴、及び上肢に概ね対応する、上胴支持部分２０と下胴支持部分２２と上肢支持部分２４とを含む。頭部支持部分１８は、頭部支持フレームまたは部材支持体１９と、頭部支持フレーム１９によって支持された頭部パッドまたは頭部支持部材３４とを含む。上胴支持部分、下胴支持部分、及び上肢支持部分２０、２２、２４は、上胴支持フレームまたは部材支持体、下胴支持フレームまたは部材支持体、及び支持フレームまたは部材支持体２１、２３、２５と、これらの上胴支持フレーム、下胴支持フレーム、及び座部支持フレーム２１、２３、２５によって支持された胴体パッド３６を形成するように協働する、上胴パッドまたは支持部材３５、下胴パッドまたは支持部材３７、及び上肢パッドまたは支持部材３９とを含む。下肢支持部分２６は、脚部支持フレームまたは部材支持体２７と、脚部支持フレーム２７によって支持された下肢パッド３８とを含む。
【００３１】
支持フレーム１９、２１、２３、２５、２７は手術台頂部１６のフレームまたはデッキ３２の構成要素である。パッド３４、３６、３８は、頭部パッド、胴体パッド、及び脚部パッド３４、３６、３８をフレーム３２から容易に着脱し得るように、フックアンドループ型ファスナによってフレーム３２のそれぞれの支持フレーム１９、２１、２３、２５、２７に取り付けられることが好ましい。代替的実施態様では、取り外し可能にまたは他の方法でパッドをフレームに取り付けるために、スナップ、タイ、または当業者に公知の他の連結器のような他の種類の連結器が用意される。連結器は、パッド３４、３６、３８のフレーム３２への容易な脱着を好ましく可能にする。
【００３２】
本発明の開示の第１の実施態様によれば、頭部パッド，胴体パッド、及び脚部パッド３４、３６、３８は発泡体で充填される。本発明の開示の代替的実施態様によれば、空気、ゲル、液体、空気流動化ビーズ、または当業者に公知の他の支持材料のような他の材料または構成がパッドに用意される。手術台頂部１６に使用するための適切な他のパッドまたは支持体の詳細は、１９９８年１１月６日出願のＲｉｃｈａｒｄ  Ｌ．Ｂｏｒｄｅｒｓの米国特許出願第０９／１８７，９９０号、表題ＳＵＲＧＩＣＡＬ  ＴＡＢＬＥ  ＡＰＰＡＲＡＴＵＳに開示されており、この特許の明細は、前記のとおり引用されたことをもって明白に組み込まれた。
【００３３】
本発明の開示の第１の実施態様によれば、手術台頂部１６の下肢支持部分２６は、手術台頂部１６の上肢支持部分２４に回動可能かつ取り外し可能に連結される。本発明の開示の代替的実施態様によれば、脚部支持部分は、上肢支持部分に対して取り外し不可能及び回動不可能であり、他の方法でフレームの上肢支持部分に連結される。
【００３４】
下肢部分連結器４０が用意され、この連結器は、図２〜図６に示されるように手術台頂部１６の下肢支持部分２６を上肢支持部分２４に回動可能かつ取り外し可能に連結するように構成される。下肢部分連結器４０により、使用者は、下肢支持部分２６を上肢支持部分２４から取り外すか、あるいは上肢支持部分２４に対して下肢支持部分２６を回転させることができる。図２と図３に示されるように、下肢支持部分２６は、上肢支持部分２４に対して第１のまたはほぼ同一平面の位置と、上肢支持部分２４に対して９０度の角度の第２の位置との間で回動可能である。
【００３５】
図２〜図６に示されるように、下肢部分連結器４０は、下肢支持部分２６を上肢支持部分２４に回動可能に連結するヒンジ１９２を含む。ヒンジ１９２は、フレーム３２の上肢支持部分２４に形成された第１の及び第２のソケット１９４と、それぞれのソケット１９４によって回動可能に受容される第１の及び第２の回動部材１９６とを含む。ヒンジ１９２は、回動部材１９６をソケット１９４に回転可能に連結するように構成された一対の軸４４をさらに含む。本発明の開示の第１の実施態様によれば、動力を供給して、第１の位置と第２の位置との間で、及びそれらの間の任意の位置にソケット１９４に対して回動部材１９６を移動させるために、油圧アクチュエータ（図示せず）が用意される。
【００３６】
脚部分連結器４０は、ピン５４によって回動部材１９６に固定的に連結された一対の円柱４６と、下肢支持部分２６に形成されかつ柱４６を取り外し可能に受容するように寸法決めされた第１の組の孔５８とをさらに含む。下肢支持部分２６が上肢支持部分２４に連結されるとき、図２に示されるように柱４６が孔５８に配置される。下肢支持部分２６が上肢支持部分２４から取り外されるとき、図６に示されるように柱４６が孔５８から離間される。孔５８の各々は、側壁６２と、側壁６２に当接する肩部６４とによって形成される。側壁６２は、柱４６の直径よりも僅かに大きな円形アパーチャを形成する。
【００３７】
脚部分連結器４０はまた、図４に示されるように、下肢支持部分２６に形成された第２の組の孔６０、孔６０に配置されたピン４８、孔６０に配置されたばね５０、及びそれぞれの肩部６４に連結されたリミットプレート８８を含む。第２の組の孔６０は、図２〜図４に示されるように第１の組の孔５８に隣接しかつそれと連通して配置される。孔６０の各々は、底壁６６と、底壁６６に当接する第１の端部７０と肩部６４に当接する第２の端部７２とを有する側壁６８とによって形成される。側壁６８は円形断面を形成し、第２の組の孔６０の各側壁６８は、第１の組の孔５８の側壁６２によって形成された直径の約半分の直径を形成する。
【００３８】
下肢支持部分２６が上肢支持部分２４に連結されるとき、柱４６は、図２〜図４に示されるように孔５８に配置されてピン４８に当接し、その結果ピン４８が方向１２４に押圧されてばね５０を圧縮する。下肢支持部分２６が取り外されるとき、図６に示されるように、柱４６は孔５８から取り外され、ばね５０は、ピン４８が位置リミットプレート８８に当接するまでピン４８を方向８６に押圧する。
【００３９】
ピン４８の各々は、第１の及び第２の端部７６、７８を有する本体７４と、端部７６、７８の間の中途の本体７４に連結された環状フランジ８０とを含む。環状フランジ８０は、底壁６６に対面する第１の側面８２と、底壁６６に対面しない第２の側面８４とを含む。環状フランジ８０の第１の側面８２は、ばね５０が底壁６６から離れる方向８６にピン５２を付勢するようにばね５０に係合し、また柱４６が図４に示した孔５８から取り外されるときに、第２の側面８４は位置リミットプレート８８に係合する。
【００４０】
下肢支持部分２６を上肢支持部分２４に取り付けるために、ロック柱４６が孔５８と整列され、次に孔５８内に挿入される。ロック柱４６が第１の組の孔５８に配置されるとき、下肢支持部分２６は方向８６に移動され、その結果柱４６が、ピン４８に当接して、ピン４８にばね５０を圧縮させる。ピン４８は、ピン４８のフランジ８０とばね５０との当接によってばね５０を圧縮する。
【００４１】
図２に示されるように、第１の実施態様では、連結器４０は、下肢支持部分２６に連結された一対の保持器５２（一つのみ図示）をさらに含む。保持器５２は、ロック柱４６に連結して下肢支持部分２６を上肢支持部分２４に保持するように構成される。本発明の開示の代替的実施態様によれば、脚部支持部分を上肢支持部分に連結するために、ラッチ、フック、ファスナ、ストラップのような他の保持器、及び当業者に公知の他の保持器が用意される。
【００４２】
保持器５２は柱４６と協働して、下肢支持部分２６を上肢支持部分２４に連結し、また上肢支持部分２４からの下肢支持部分２６の取り外しを可能にする。保持器５２は、図２〜図４と図６に示されるようにラッチまたはレバー９２、レバーばね９４、及びハウジング９６を含む。レバー９２は、ハンドル端部９８、ラッチ端部１００、及びハンドル端部９８とラッチ端部１００との間に配置された支点１０２を含む。下肢支持部分２６、及びレバー９２のハンドル端部９８は、レバーばね９４の一部を各々が受容する孔１０４、１０６を含む。レバーばね９４は、図２と図３に示されるように、支点１０２を中心とする方向１０８にレバー９２を付勢する。
【００４３】
レバー９２のラッチ端部１００は柱４６と相互作用して、座部２４及び脚部支持部分２６を連結及び分離する。柱４６は、保持器５２に向かって下方に開口する空隙または切欠き５６を含む。各切欠き５６は、切欠き５６の点における柱４６の断面が、弦部分が取り除かれた円であるように、柱４６を横切って形成される。本発明の開示の代替的実施態様によれば、他の空隙または相互作用の構造が用意される。
【００４４】
柱４６の切欠き５６及びレバー９２のラッチ端部１００は、図４に最も良く示されるように相補形状を有する。切欠き５６は第１、第２及び第３の表面１１０、１１２、１１４によって形成され、またレバー９２のラッチ端部１００は第１、第２及び第３の相補的表面１１６、１１８、１２０を含む。第１の表面１１０、１１６は僅かに湾曲にされる。第２の表面１１２、１１８はほぼ平坦であり、柱４６の長手方向軸線１２１に対し平行である。第３の表面１１４、１２０はほぼ平坦である。
【００４５】
下肢支持部分２６が上肢支持部分２４に連結されると、ロック柱４６は第１の組の孔５８内に移動して、レバー９２の第３の表面１２０に接触する。レバー９２の第３の表面１２０は、柱４６によって下方に駆動されるカムフォロアとして機能するように配向される。柱４６がレバー９２の第３の表面１２０に接触すると、柱４６は、レバー９２のラッチ端部１００が柱４６から下方に移動するように、レバー９２の支点１０２を中心として方向１２２にレバー９２を回転させる。この回転はレバー９２のハンドル端部７６を上昇させて、レバーばね９４を圧縮する。
【００４６】
ラッチ端部１００の先端が切欠き５６に到達するように、柱４６が下肢支持部分２６の孔５８内に十分に遠く移動されると、レバー９２のラッチ端部１００はレバーばね９４によって切欠き５６の中に方向１０８で付勢される。ラッチ端部１００は切欠き５６に配置されるので、ラッチ端部１００及び下肢支持部分２６がフレーム３２の上肢支持部分２４から取り外されることが阻止される。
【００４７】
前述のように、柱４６を孔５８内に挿入する間、ばね５０は圧縮される。使用者が下肢支持部分２６を解放すると、ばね５０は、僅かに緩み、バイアスピン４８を方向８６で柱４６の方に押圧して、レバー９２のラッチ端部１００に向かって図４に示したような方向８６で柱４６を僅かに移動させる。レバー９２のラッチまたはロック端部１００が切欠き５６内に完全に着座されない程度まで、この僅かな相対運動が、ロックレバー９２のラッチ端部１００を切欠き５６内に完全に着座させる。
【００４８】
方向８６に柱４６を付勢するピンばね５０との組み合わせで、レバー９２及び切欠き５６それぞれの湾曲またはアーチ状の第１の表面１１６、１１０は、レバー９２のラッチ端部１００が切欠き５６内に完全に着座することが保証されることを助ける。曲面１１６、１１０の間の力により、柱４６の曲面１１０は、図４に示したような方向１２８と方向８６の両方の成分を有する方向１２７にラッチ端部１００の曲面１１６を押圧する。方向１２８の成分はラッチ端部１００を引っ張って切欠き５６に維持する。したがって、ラッチ端部１００が切欠き５６内に完全に着座されない場合、圧縮ばね５０によってもたらされる力は曲面１１６、１１０の間に、ラッチ端部１００を方向１２８に押圧する力を導入し、その結果ラッチ端部が完全に着座される。
【００４９】
ばね５０の圧縮は、下肢支持部分２６が上肢支持部分２４によって回転されるときに、ピン４８及び柱４６をラッチまたはロック端部１００に対して方向８６で付勢し続ける。このことは、切欠き５６内の完全着座位置に向かってラッチ端部１００を付勢して、下肢支持部分２６の回転時に下肢支持部分２６と上肢支持部分２４との間の接続の維持を補助する。
【００５０】
下肢支持部分２６の重量も、下肢支持部分２６が上肢支持部分２４に対して回転されるときに、ラッチ端部１００を切欠き５６内に維持するのを補助する。例えば、図３に示されるように、下肢支持部分２６が上肢支持部分２４に対して９０度回転されると、重力は方向１２６で下肢支持部分２６に作用する。この重力は曲面１１０、１１６の間に追加の力を生成して、レバー９２のラッチ端部１００が柱４６に対して方向１２８に押されるようにする。上述のばね５０によって印加される力に加えて、重力によって引き起こされる方向１２８の力は、レバー９２のロック端部１００の、及び切欠き５６のそれぞれの第１の曲面１１０、１１６の間の確実な着座関係を維持するのを補助する。ピンばね５０と重力それぞれによって生成される、曲面１１０、１１６の間の確実な着座力は、治療者がレバー９２のハンドル端部９８に偶然にまたはうっかりぶつかって、最初に下肢支持部分２６を方向８６に持ち上げるかあるいは押すことなしに、方向１２６に下肢支持部分２６を床に落下させることを防止するのを助ける。
【００５１】
図６に示されるように、下肢支持部分２６を上肢支持部分２４から取り外すために、治療者は方向８６に下肢支持部分２６に圧力を加え、レバー９２のハンドル端部９８を方向１２２で上方に押す。方向８６に下肢支持部分２６に十分な圧力を加えることにより、ピンばね５０に対してバイアスピン４８が移動され、下肢支持部分２６及びレバー９２を方向８６に押しやる。柱４６は静止しているので、ラッチ端部１００の第３の表面１２０は、方向１２４及び方向１３１の成分を有する方向１２９に柱４６の第３の表面１１４を押す。方向１３１の力の成分が、ラッチ端部１００を切欠き５６から方向１３１に移動させる。
【００５２】
下肢支持部分２６が方向１２４に移動されるときにラッチ端部１００が滑動して切欠き５６の中に戻るのを防止するために、治療者はレバー９２のハンドル端部９８を押す。さもなければ、ばね９４はラッチ端部１００を切欠き５６に押し戻す。レバー９２のラッチ端部１００が切欠き５６から取り外され、またハンドル端部９８が押し下げられた状態で、使用者は、図５と図６に示されるように下肢支持部分２６を上肢支持部分２４から引き離すことが可能である。下肢支持部分２６が取り外されるとき、圧縮ピンばね５０は、ばね５０が第２の組の孔６０から落下するのを防止するために環状フランジ８０が位置リミットプレート８８に当接するまで、バイアスピン４８を方向８６に移動させる。
【００５３】
図７に示されるように、下肢支持部分２６は、支持パッドと組み合わせられて脚部支持部材を提供する脚部支持プレート１３０、１３３と、離間ガイドトラックまたはチャネル１３２と、脚部支持プレート１３０と相互作用して脚部支持プレート１３０の位置を固定する脚伸長連結器または位置ホルダ４２とをさらに含む。脚部支持プレート１３０をガイドトラック１３２で方向１２４、８６に滑動させて、下肢支持部分２６及び手術台装置１０の全長を所望のように変更できる。脚伸長連結器４２は、脚部支持プレート１３０が様々な位置の間に移動されていないときに脚部支持プレート１３０の位置を固定するように構成される。
【００５４】
図６に例示した第１の実施態様では、脚伸長連結器４２はトルク制限ボルト１３４である。連結器が締め付けられるときに、過大なトルクが連結器に印加されるならば、治療者は、後で連結器を緩めることができないことがある。したがって、トルク制限ボルト１３４は、他の方法では克服することが困難であり得る過大な力またはトルクが印加不可能であるように用意される。本発明の開示の代替的実施態様によれば、トルク制限されない連結器が用意される。
【００５５】
図８と図９に示されるように、トルク制限ボルト１３４は、ハンドル１３６、ボルトまたは連結部材１３８、ばね１４０、及びリング状ばね保持器１４２を含む。ハンドル１３６は円筒状であり、またハンドル１３６の外周は、長手方向に延在する複数の波状部またはリッジ１４４を含み、容易に把持可能な表面を提供する。ハンドル１３６は、ボルト１３８の一部を受容するように寸法決めされる孔１４６をさらに含む。孔１４６は、第１の及び第２の部分１５０、１５２を有する円筒状側壁１４８と、第１の及び第２の部分１５０、１５２を分離する肩部１５４とによって形成される。円筒状側壁１４８の第１の部分１５０は、円筒状側壁１４８の第２の部分１５２よりも大きな直径を含む。孔１４６はまた、底壁１５６と、底壁１５６に連結された長手方向に延在する歯１５８のリングとによって形成される。歯１５８の各々は、図８と図９に示されるように、ほぼ垂直で平坦な表面１６０と、傾斜状または斜めの表面１６２とを含む。
【００５６】
ボルト１３８は、頭部分１６４と、頭部分１６４に連結されたねじ部分１６６とを含む。ねじ部分１６６は、円筒形状であってねじ付きであり、頭部分１６４の本体１６８に連結された第１の端部１７８と、第１の端部１７８から離間した第２の端部１８０とを含む。下肢支持部分２６の脚部支持フレーム２７は、ボルト１３８のねじ部分１６６を受容するように寸法決めされるねじ孔１８２を含む。ねじ孔１８２は、ボルト１３８のねじ部分１６６の長さよりも小さな長さを有するねじ付き円筒状側壁１８４によって形成される。
【００５７】
ボルト１３８の頭部分１６４は、本体１６８、本体１６８に連結された環状フランジまたは円盤状のばね装着部１７０、及び環状フランジ１７０に連結された複数の歯１７２を含む。歯１７２の各々はほぼ垂直で平坦な表面１７４と傾斜面１７６とを含む。ハンドル１３６とボルト１３８との歯１５８、１７２の斜めで平坦な表面１６０、１７４、１６２、１７６は、図９に示されるように互いの中で補完しかつ嵌合するように形成される。
【００５８】
環状フランジ１７０は、ボルト１３８の頭部分１６４を孔１４６の第２の部分１５２内でセンタリングする外径を含むように寸法決めされる。頭部分１６４をセンタリングすることにより、ハンドル１３６の歯１５８に対してボルト１３８の歯１７２が整列される。ボルト１３８の頭部分１６４の本体１６８は、ばね１４０の内径よりも小さな外径を有し、次に、ばね１４０は、ばね１４０が環状フランジ１７０に着座するようにボルト１３８の環状フランジ１７０の外径よりも小さな外径を有する。
【００５９】
ばね１４０は、図９に示されるようにハンドル１３６の円筒状壁部１４８の第２の部分１５２と、ボルト１３８の頭部分１６４の本体１６８との間に配置される。ばね１４０は、頭部分１０２の本体１６８の外径よりも大きな内径と、ハンドル１３６の孔１４６を形成する円筒状壁部１４８の第２の部分１５２の内径よりも小さな外径とを有する。例示した実施態様では、ばね１４０はコイル型ばねである。
【００６０】
図９に示されるように組み立てられると、ばね保持器１４２はハンドル１３６の肩部１５４及び円筒状壁部１４８の第１の部分１５０に当接するように配置され、ボルト１３８の頭部分１６４の環状フランジ１７０に対してばね１４０を圧縮する。ばね保持器１４２は、ボルト１３８のねじ部分１６６の直径よりも大きな直径を有する孔１８６を含み、ボルト１３８がばね保持器１４２を通過することを可能にする。さらに、孔１８６の直径は、ばね保持器１４２がハンドル１３６の孔１４６内にばね１４０を保持するようにばね１４０の外径よりも小さい。
【００６１】
例示した実施態様では、ばね１４０の緩んだ長さは、ばね保持器１４２とボルト１３８の頭部分１６４の環状フランジ１７０との間の距離よりも大きく、ばね１４０を圧縮して、ハンドル１３６の歯１５８に対してボルト１３８の歯１７２を押しやるようにする。このことにより、ボルト１３８の歯１７２とハンドル１３６の歯１５８との間に垂直力及び摩擦力が発生される。
【００６２】
トルク制限ボルト１３４は、ボルト１３８の歯１７２がハンドル１３６の歯１５８に噛み合うべく配向されるように、完全にハンドル１３６の孔１４６内にボルト１３８の頭部分１６４を配置することによって組み立てられる。次に、ばね１４０は、ばねがボルト１３８の環状フランジ１７０に着座するように、ハンドル１３６の孔１４６内のボルト１３８の上方に配置される。次に、ばね保持器１４２が、ボルト１３８の上方に配置され、ハンドル１３６の孔１４６を形成する円筒状壁部１４８の第１の部分１５０に位置決めされる。接着剤または一つ以上のねじ若しくは一つ以上のリベットのような他のファスナーが、ばね保持器１４２に適用されて、ばね保持器をハンドル１３６に固定し、ボルト１３８の環状フランジ１７０に対してばね１４０を圧縮する。
【００６３】
トルク制限ボルト１３４は、図２、図３及び図６に示されるようにねじ孔１８２にねじ込み式に係合する。トルク制限ボルト１３４は、トルク制限ボルト１３４を方向１８８に回転させることによって、方向１２８でねじ孔１８２内に前進させられ、また図８に示したような方向１９０に、トルク制限ボルト１３４を回転させることによって方向１３１にねじ孔１８２から後退させられる。ねじ部分１６６は、孔１８２を形成するねじ付き円筒状壁部１８４の長さよりも長く、その結果トルク制限ボルト１３４がねじ孔１８２内に完全に前進させられるときにねじ部分１６６の第２の端部１８０がねじ付き円筒状壁部１８４を通過して突出して、脚部支持プレート１３０に当接する。
【００６４】
ボルト１３８のねじ部分１６６の第２の端部１８０がねじ孔１８２から突出して、脚部支持プレート１３０に当接すると、ねじ部分１６６の第２の端部１８０は、トラック１３２に対して脚部支持プレート１３０の位置を固定する。ねじ部分１６６の第２の端部１８０が、ボルト１３８と脚部支持プレート１３０との間の十分な力を取り除く程十分に後退させられるとき、例えばボルト１３８が脚部支持プレート１３０から離間されるとき、脚部支持プレート１３０はガイドトラック１３２内で水平に滑動することが可能である。
【００６５】
脚部支持プレート１３０の位置を固定するために、トルク制限ボルト１３４は方向１８８に回転されて、必要な力を脚部支持プレート１３０の上に印加する。トルクをハンドル１３６に対して方向１８８に印加することにより、ハンドル１３６の歯１５８の傾斜面１６２とボルト１３８の歯１７２の傾斜面１７６との間に追加の垂直力が生成される。これらの力の横方向成分は、ハンドル１３６に印加されるトルクが所定の最大トルク未満である限り、ボルト１３８をハンドル１３６と共に回転させる。
【００６６】
所定の最大トルクを超えるトルクがハンドル１３６に印加された場合、ハンドル１３６を介して歯１５８、１７２に印加される垂直力の長手方向成分は、ばね１４０によって歯１５８、１７２に印加される垂直力の長手方向成分を圧倒する。長手方向力のこのアンバランスにより、ハンドル１３６はばね１４０の付勢に対抗して移動させられ、この結果、歯１５８、１７２は互いに上を通り過ぎて進み、所定の最大値を超えるトルクがボルト１３８に印加されないように歯１５８、１７２をスリップさせる。ボルト１３８に印加できるトルクの大きさを制限することによって、ボルト１３８に対するすり減りまたは他の損傷が回避され、またボルト１３８は過大に締め付けられない。
【００６７】
下肢支持部分２６の残部に対して脚部支持プレート１３０を移動させるために、ハンドル１３６は方向１９０に回転されて、ねじ部分１６６の第２の端部１８０を脚部支持プレート１３０から離すように移動させる。ハンドル１３６が方向１９０に回転されると、ハンドル１３６の歯１５８の垂直面１６０はボルト１３８の歯１７２の垂直縁１７４に係合する。歯１５８、１７２の係合面１６０、１７４は垂直なので、治療者によって加えられる回転力は何らの垂直成分を有さず、したがって、歯１５８、１７２が、互いに対して、上を移動することあるいはスリップすることを引き起こすことがなく、それどころかハンドル１３６に加えられる全てのトルクをボルト１３８に伝達する。
【００６８】
本発明の開示の第１の実施態様の好ましい実施態様によれば、上肢支持部分２４に対して脚部分連結器４０の回動部材１９６を回転させるアクチュエータ（図示せず）が提供される。前述のように、回動部材１９６を移動させることによって、下肢支持部分２６も図２と図３に示されるように回転される。
【００６９】
アクチュエータの移動を制御するために、一対の制御器２０６、２０８が用意される。制御器２０６、２０８は、手術台装置１０のアクチュエータ及び他の機能を制御するように構成された複数のボタン２１０を含む。ボタン２１０は、上胴支持部分、下胴支持部分、座部支持部分、及び脚部支持部分２０、２２、２４、２６の関節動作に動力を供給する油圧装置を制御する。ボタン２１０は、架台１４の長さ、したがって支持フレーム３２の高さをさらに制御する。支持面及び手術台装置用の制御器の詳細は、１９９８年１１月６日出願のＲｉｃｈａｒｄ  Ｌ．Ｂｏｒｄｅｒｓの米国特許出願第０９／１８７，８２５号、表題ＭＥＤＩＣＡＬ  ＥＱＵＩＰＭＥＮＴ  ＣＯＮＴＲＯＬＬＥＲに開示されており、この特許の明細は、ここに引用することをもって明白に組み込まれる。本発明の開示の代替的実施態様によれば、典型的に患者環境に見られる他の装置を制御するために、追加のボタンまたはボタン構成が用意される。
【００７０】
制御器２０８は静止しており、上肢支持部分２４の下側に取り付けられる。ワイヤ（図示せず）は、静止した制御器２０８をプロセッサ（図示せず）に連結する。制御器２０６は、支持フレーム３２に取り外し可能に連結され、また制御器２０６の残部をプロセッサに連結するコイル状コード２１２を含む。コイル状コード２１２は、電子信号を送信するのに適した複数のワイヤ（図示せず）と、複数のワイヤを囲むプラスチックシースとからなる。
【００７１】
制御器２０６、２０８は、使用者がボタン２１０を押すときに入力を受信する。制御器２０６によって受信された入力は、コイル状コード２１２のワイヤを通してあるいは他の方法で、手術台装置１０の油圧装置を制御するプロセッサに転送される。
【００７２】
ハンドヘルド制御器２０６は、サイドレール２１６へのハンドヘルドコンソール２０６の装着を可能にするフック部分２１４を有する。サイドレール２１６は、図１に示されるように、上胴支持部分、下胴支持部分、座部支持部分、及び脚部支持部分２０、２２、２４、２６の側面に取り付けられる。上胴支持部分、下胴支持部分、及び上肢支持部分２０、２２、２４のサイドレール２１６は、ヒンジ２１８によって隣接支持部分のサイドレール２１６に接続され、ヒンジ２１８は、サイドレール２１６の関連支持部分２０、２２、２４が関節動作するときにサイドレールの関節動作を可能にする。ハンドヘルド制御器２０６は、使用されないときにサイドレール２１６に掛けることができる。制御器２０６の使用時、使用者は、制御器２０６がサイドレール２１６に掛けられている間に、ボタン２１０を押すことが可能であるか、あるいは使用者は、制御器２０６をサイドレール２１６から取り外して、その後ボタン２１０を操縦し得る。
【００７３】
前述のように、ボタン２１０は、上胴支持部分、下胴支持部分、座部支持部分、及び脚部支持部分２０、２２、２４の関節動作を制御する油圧装置を制御する。各支持部分２０、２２、２４は、その隣接する支持部分２０、２２、２４に回動可能に連結される。それぞれの上胴支持部分、下胴支持部分、及び上肢支持部分２０、２２、２４によって形成される回動部材及びソケットは、各々のインタフェースに設けられ、このインタフェースは、前述のように下肢支持部分２６が上肢支持部分２４に対して回動することを可能にする回動部材１９６及びソケット９４と同様のものである。
【００７４】
下胴支持部分２２への回動可能な連結に加えて、上肢支持部分２４は、架台１４の上端にも連結される。したがって、架台１４の伸長または収縮は上肢支持部分２４の高さ調整に変換される。架台１４の長さ、したがって支持フレーム３２の高さは、制御器２０６、２０８のいずれかの使用によって調整される。
【００７５】
制御器２０６、２０８によって制御されない一つの調整は、頭部支持部分１８の関節動作である。使用者は、例えば図１０〜図１４に図示されたような複数の位置の間に頭部支持部分１８を手動で関節接合する。本発明の開示の代替的実施態様によれば、頭部支持部分を関節接合するために、油圧装置が用意される。
【００７６】
頭部支持部分１８は、図１０〜図１４に示されるように、頭部パッド３４を支持するように構成された頭部支持プレート２２０、頭部支持プレート２２０を支持する第１の及び第２のリンク２２２、２２４、頭部支持プレート２２０を第１の及び第２のリンク２２２、２２４に連結する第１の組の連結器２２６、第１の及び第２の取付ロッドまたは連結器２２８、２３０、第１の及び第２のリンク２２２、２２４を取付ロッド２２８、２３０に連結する第２の組の連結器２３２、並びに取付ロッド２２８、２３０を上胴支持部分２０に連結する第３の組の連結器２３４を含む。
【００７７】
治療者は第１、第２及び第３の組の連結器２２６、２３２、２３４を使用して、図１０〜図１３に示されるような様々な位置に頭部支持部分１８の位置を手動調整する。例示した実施態様では、第１の及び第２の組の連結器２２６、２３２は、押された時に、第１の及び第２のリンク２２２、２２４に対する、頭部パッド３４を有するそれぞれの頭部支持プレート２２０の回転、並びに取付ロッド２２８、２３０に対する第１の及び第２のリンク２２２、２２４の回転を可能にする位置ホルダまたはボタンジョイント２２６、２３２を含む。第３の組の連結器２３４は、上述及び図８と図９とに示されるトルク制限ボルト１３４に概ね同様のトルク制限ボルトのような位置ホルダを含む。
【００７８】
図１０に示されるように、頭部支持部分１８は第１の水平位置に配置され、頭部パッド３４は胴体パッド３６とほぼ同一の平面の位置に支持される。治療者が患者の頭部を上昇位置で支持しようとする場合、頭部パッド３４は、図１１に示されるように胴体パッド３６に対し平行かつ上げられた第２の水平位置に移動される。頭部パッド３４を第２の水平位置に移動するために、治療者は、図１１に示されるように、第１の組のボタンジョイント２２６を押して、リンク２２２、２２４に対して方向２３８で頭部支持体２２０を上方に回転させ、また第２の組のボタンジョイント２３２を押して、第１の及び第２のリンク２２２、２２４を取付ロッド２２８、２３０に対して方向２３６で上方に回転させる。頭部パッド３４は、頭部パッド３４が図１１の仮想線で示したような非水平であるように、ボタンジョイント２２６を用いて回転されてもよい。
【００７９】
治療者が患者の頭部を下降位置に支持しようとする場合、頭部パッド３４は、図１２に示されるように胴体パッド３６に対し平行かつ下げられた第３の水平位置に移動される。頭部パッド３４を第３の水平位置に移動させるために、治療者は、図１２に示されるように、第１の組のボタンジョイント２２６を押して、頭部支持体２２０をリンク２２２、２２４に対して方向２４２で下方に回転させ、また第２の組のボタンジョイント２３２を押して、リンク２２２、２２４を取付ロッド２２８、２３０に対して方向２４０で下方に回転させる。頭部パッド３４は、頭部パッド３４が図１２の仮想線で示したような非水平であるように、ボタンジョイント２２６を用いて回転されてもよい。
【００８０】
治療者が頭部パッド３４を格納しようとする場合、頭部パッド３４は、図１３に示されるようにフレーム３２の上胴支持部分２０の下の第４のまたは押し込み位置に移動される。頭部パッド３４を押し込み位置に移動させるために、治療者は第２の組のボタンジョイント２３２を押して、リンク２２２、２２４を取付ロッド２２８、２３０に対して方向２４０で下方に回転させる。図１０〜図１３の頭部支持部分１８の位置は、頭部支持部分１８が上胴支持部分２０に対して取ることができる多くの位置の単なる例に過ぎない。
【００８１】
上述のように、ボタンジョイントまたは位置ホルダ２２６、２３２は、リンク２２２、２２４に対する頭部支持プレート２２０の回転、及び取付ロッド２２８、２３０に対するリンク２２２、２２４の回転、あるいは頭部支持プレート２２０とリンク２２２、２２４との相対位置の固定を可能にする。ボルト２３４の回転は、支持フレーム３２の上胴支持部分２０に対する取付ロッド２２８、２３０の方向８６、１２４での長手方向移動を可能にするか、あるいは上胴支持部分２０に対する取付ロッド２２８、２３０の位置を固定する。
【００８２】
取付ロッド２２８、２３０の各々は第１の及び第２の端部２４４、２４６を有する。第１の端部２４４はテーパ状にされ、また第２の端部２４６は連結器２３２を支持する。テーパ状端部２４４は、上胴支持部分２０の上胴支持フレーム２１に形成された孔（図示せず）内に受容される。取付ロッド２２８、２３０のテーパ状端部２４４は、孔内へのロッド２２８、２３０の挿入を案内する傾斜を形成するために断面が小さくなる。孔は、取付ロッド２２８、２３０の長さ以上の深さを含む。上胴支持部分２０の支持フレーム２１は、トルク制限ボルト２３４を受容するように寸法決めされたねじ孔（図示せず）も含む。ボルト２３４は、方向１３１、１２８での取付ロッド２２８、２３０の移動を可能にするため、あるいは上胴支持部分２０に対する取付ロッド２２８、２３０の位置を固定するため、ボルト１３４を参照して上述したように操作される。
【００８３】
図１５に示されるように、第２の組のボタンジョイント２３２の各々は、ボタン２４８、ばね２５０、第１のハウジングまたは基部及び第２のハウジングまたは基部２５２、２５４、軸受またはキー２５６、第１のＣクリップまたはスナップリング及び第２のＣクリップまたはスナップリング２５８、２６０、及びカバー２６２を含む。第１のハウジング２５２の各々は第１の及び第２のリンク２２２、２２４の一つに連結され、また第２のハウジング２５４の各々は取付ロッド２２８、２３０の一つに連結される。図１５に示されるように、第２のハウジング２５４は、取付ロッド２２８の第２の端部２４６を受容するように寸法決めされたアパーチャまたは空隙２６４を含む。取付ロッド２２８の第２の端部２４６は、第２のハウジング２５４のアパーチャ２６４に配置される縮径部分２６６を含む。
【００８４】
ボタンジョイント２３２は、ハウジング２５２、２５４の位置を互いに固定するように動作し、このようにして、リンク２２２、２２４及び取付ロッド２２８の位置を互いに固定する。ボタン２４８が治療者によって押されると、ハウジング２５２、２５４は、互いに回転するように許容され、このようにして、リンク２２２、２２４及び取付ロッド２２８は、互いに回転するように許容される。
【００８５】
図１６に示されるように、各々の第２のハウジング２５４は、第１のハウジング２５２に対面する第１の側面２６８、第１のハウジング２５２に対面しない第２の側面２７０、及び図１５に示されるように第１の及び第２の側面２６８、２７０の間に延在するほぼ円形の空隙または通路２７２を形成する複数の直径を有する内面２７４を含む。内面２７４は、ロック部分２７６、締結部分２７８、及びロック及び締結部分２７６、２７８を分離する環状リングまたはストッパ２８０を有する。ロック部分２７６は、第２のハウジング２５４の、環状ストッパ２８０と第１の側面２６８との間に配置され、また締結部分２７８は、第２のハウジング２５４の、環状ストッパ２８０と第２の側面２７０との間に配置される。
【００８６】
ロック部分２７６は、第２のハウジング２５４の第１の側面２６８に隣接して配置されたロック溝部分２８２と、ロック溝部分２８２とストッパ２８０との間に配置されたほぼ環状の部分２８３とを含む。ロック溝部分２８２は、図１５に示されるように複数のリッジまたは形成部２８６によって互いに分離される複数の半円凹部２８４を含む。ロック溝部分２８２は環状ストッパ２８０から離間される。代替的実施態様では、ロック溝部分は環状ストッパに延在し、ほぼ環状の部分はない。
【００８７】
環状ストッパ２８０はリング形状であり、空隙２７２の中に延在する。環状ストッパ２８０は、対向する第１の及び第２の側面２８８、２９０、及び側面２８８と２９０との間に延在する端面２９２を含む。環状ストッパ２８０は、第１のハウジング２５２の外径よりも小さな内径を端面２９２が形成するように寸法決めされて、第１のハウジング２５２が第２のハウジング２５４の空隙２７２を完全に通過することを防止する。
【００８８】
締結部分２７８は、環状ストッパ２８０から離間される内面２７４によって形成された溝２９６を含む。溝２９６は、空隙２６４が覆われるように図１６と図１７に示されるようなカバー２６２の一部を受容するように寸法決めされる。
【００８９】
第１のハウジング２５２は、露出部分２９８、ロック部分３００、締結部分３０２、及び内面３０３を含み、前記内面３０３は、部分２９８、３００、３０２を通して延在する空隙または通路３０４を形成する。組み立てられたとき、ロック及び締結部分３００、３０２は、図１６と図１７に示されるように第２のハウジング２５４の空隙２７２に配置される。露出部分２９８は空隙２７２から外側に配置され、第２のハウジング２５４の第１の側面２６８に当接する。
【００９０】
第１のハウジング２５２の各締結部分３０２は、それぞれの第２のハウジング２５４の環状ストッパ２８０の第１の側面２８８に当接する肩部３０８と、第１のスナップリング２５８を受容するように寸法決めされる環状溝３１０とを含む。締結部分３０２の第１のスナップリング２５８及び肩部３０８は、それらの間に第２のハウジング２５４の環状ストッパ２８０を捕捉して、第１の及び第２のハウジング２５２、２５４を共に連結する。ハウジング２５２、２５４が共に連結されるとはいえ、第１のスナップリング２５８は、ハウジング２５２、２５４の互いの回転を許容し、したがって、ハウジング２５２、２５４に連結されたリンク２２２、２２４及びロッド２２８、２３０の互いの回転を可能にする。
【００９１】
第１のスナップリング２５８は、第２のハウジング２５４の環状ストッパ２８０の内径よりも大きな外径と、環状溝３１０の直径にほぼ等しい内径とを含む。第１のスナップリング２５８は、それが締結部分３０２の溝３１０の上にまたその中に嵌合するように膨張可能である。第１のスナップリング２５８が環状溝３１０内に配置されると、第１のスナップリングは、内径が環状溝３１０の直径にほぼ等しくなるように収縮する。
【００９２】
第１のハウジング２５２のロック部分３００は、第２のハウジング２５４のロック部分２７６に隣接して配置され、また第２のハウジング２５４の複数の凹部２８４及びリッジ２８６に隣接しかつそれらと軸方向に整列される複数の孔３０６を含む。例示した実施態様では、孔３０６は円筒状であり、孔の半径にほぼ等しい深さを有する。さらに、例示した実施態様では、各円筒状孔３０６の半径は各半円凹部２８４の半径にほぼ等しい。
【００９３】
軸受２５６は、円孔３０６の半径よりも僅かに小さな半径を有し、また軸受２５６が孔３０６内で移動できるように円孔３０６内に配置される。ボール軸受２５６は、軸受２５６が第２のハウジング２５４のロック部分２７６の半円凹部２８４に配置される図１６に示される第１の位置と、軸受２５６が第２のハウジング２５４のロック部分２７６の半円凹部２８４の外側に配置される図１７に示される第２の位置との間の孔３０６内で移動可能である。
【００９４】
ボール軸受２５６が凹部２８４に配置されると、ボール軸受２５６は、第１の及び第２のハウジング２５２、２５４と、ハウジング２５２、２５４に連結されたリンク２２２、２２４及びロッド２２８、２３０の位置を固定しかつそれらの間の回転を防止する。ボール軸受２５６が第２のハウジング２５４のロック部分２７６の凹部２８４に位置決めされない場合、第１の及び第２のハウジング２５２、２５４、及びハウジング２５２、２５４に連結されたリンク２２２、２２４及びロッド２２８、２３０は互いに移動できる。
【００９５】
ボール軸受２５６は、ボタン２４８によって、図１６と図１７に示されるボール軸受の第１の及び第２の位置の間に移動される。ボタン２４８は、図１６と図１７に示されるように、第１の及び第２のハウジング２５２、２５４の空隙３０４、２７２内に配置される。ボタン２４８は、治療者相互作用部分３１２、相互作用部分３１２に連結された締結柱３１４、及び相互作用部分３１２に連結された軸受位置部材３１６を含む。相互作用部分３１２は、対向する第１の及び第２の側面３１８、３２０を含む。治療者は相互作用部分３１２の第１の側面３１８を押して、軸受２５６を移動させる。柱３１４及び軸受位置部材３１６は相互作用部分３１２の第２の側面３２０に連結される。
【００９６】
ボタン２４８及びばね５２０を第１の及び第２のハウジング２５２、２５４に組み立てるために、図１６と図１７に示されるように、ばね２５０はボタン２４８の締結柱３１４の上方に配置され、また締結柱３１４は第１の及び第２のハウジング２５２、２５４の空隙３０４、２７２に配置される。ボタン２４８及び第１のハウジング２５２の各々は、ばね座３３２、３３４をそれぞれ含み、またばね２５０の端部はばね座３３２、３３４に配置される。ばね２５０の各々は、締結柱３１４の外半径よりも大きな内半径を含む。ばね２５０は、第２のハウジング２５４から離れるように方向３３６にボタン２４８を押しやる。
【００９７】
締結柱３１４及びボタン２４８の残部を第１のハウジング２５２に固定するために、第２のスナップリング２６０が用意される。締結柱３１４は、第２のスナップリング２６０を受容するように寸法決めされた環状溝３３０を含む。第２のスナップリング２６０は、第１のスナップリング２５８が第１のハウジング２５２の環状溝３１０に係合するのと同一の方法で環状溝３３０に係合する。第２のスナップリング２６０は、環状溝３３０に配置されると、第１のハウジング２５２からのボタン２４８の分離を防止し、またボタン２４８が外側に押しやられるようにばね２５０を圧縮状態に維持する。
【００９８】
ボタン２４８の軸受位置部材３１６は、図１６と図１７に示されるロック位置及びロック解除位置の間でボール軸受２５６を移動させるように構成される。軸受位置部材３１６は、アーム３２２と、アーム３２２に連結されたリップまたはカム３２４とを含む。アーム３２２は、相互作用部分３１２の第２の側面３２０に連結された近位端３２６と、リップ３２４が連結される遠位端３２８とを含む。リップ３２４は、アーム３２２よりも大きな厚さ及び外半径を含む。
【００９９】
治療者がボタン２４８を押していないとき、ボタン２４８の治療者相互作用部分３１２の第１の側面３１８は、図１６に示されるように第１のハウジング２５２の外面３３８とほぼ同一平面である。ボタンがこの位置にあるとき、ボール軸受２５６はボタン２４８の軸受位置部材３１６のリップ３２４によって当接される。リップ３２４は、ロック部分２７６の半円凹部２８４内の位置にボール軸受２５６を維持する。この位置において、軸受２５６は、第１のハウジング２５２及び第２のハウジング２５４、したがってロッド２２８、２３０及びリンク２２２、２２４の互いに対する回転を防止する。
【０１００】
ばね２５０によって発生される力よりも大きな力でボタン２４８を方向３４０に押すことにより、図１７に示されるようにばね２５０が圧縮される。ボタン２４８が押し下げられると、リップ２２８はボール軸受２５６と軸方向でもはや整列されない。それどころか、ボール軸受２５６は、より小さな外半径を有する軸受係合壁の一部と軸方向に整列され、この軸受係合壁により、ボール軸受２５６が方向３４２に半径方向内側に後退して、ロック部分２７６の半円凹部２８４から離脱することが可能にされる。ボール軸受２５６は第２のハウジング２５４のロック部分２７６から係合解除されるので、第１のハウジング１６８及びリンク２２２、２２４は、第２のハウジング２５４及び取付ロッド２２８、２３０に対して回転でき、この結果、リンク２２２、２２４及びロッド２２８、２３０の角度と位置とを所望のように調整できる。
【０１０１】
リンク２２２、２２４及びロッド２２８、２３０がそれらの所望の位置にあるとき、治療者はボタン２４８を解放する。そのとき、ばね２５０は、図１６に示されるボタンの初期位置にボタン２４８を付勢し、またボール軸受２５６は凹部２８４に強制されて戻され、ハウジング２５２、２５４の相対位置を固定する。
【０１０２】
第１の組のボタンジョイント２２６は、第２の組のボタンジョイント２３２に概ね同様である。さらに、第１の組のボタンジョイント２２６は、前述の第２の組のボタンジョイント２３２と同一の機能を果たすことを理解すべきである。
【０１０３】
しかし、第１の組の連結器２２６の第２のハウジングまたは基部３４３は、頭部支持プレート２２０を支持する頭部支持ブラケット３４４に連結される。頭部支持ブラケット３４４は、第２のハウジング３４３に形成された溝２９６に連結されて、空隙２７２を覆う。各ブラケット３４４は、頭部支持プレート２２０に形成された一対のアパーチャ３４６と整列する一対のアパーチャを含む。リベット、ボルト、ねじのような締結具３４８または他の締結具がアパーチャ３４６に配置されて、頭部支持プレート２２０をブラケット３４４に固定する。
【０１０４】
本発明の開示の代替的実施態様によれば、頭部支持プレート及びリンクと、リンク及び取付ロッドとの接合部にただ一つのみのボタンジョイントが用意される。他のジョイントは積極的なロックなしに回動できる。本発明の開示の一つの代替的実施態様によれば、回動できるジョイントは、比較的きついものであり、その結果治療者は、回動に抵抗するがハウジングを積極的にロックしない予荷重嵌合または摩擦嵌合に打ち勝つために、十分なトルクまたは力を加えなければならない。本発明の開示の代替的実施態様によれば、第１の組の連結器の第２のハウジングの間に延在しかつそれを共に連結する支柱が提供される。
【０１０５】
第１の及び第２の、リンクまたはフレーム部材２２２、２２４は、付属品またはサイドレールとして機能するように構成される。第１の及び第２のリンク２２２、２２４の各々は、サイドレール２１６と同様の長方形断面を有する。第１の及び第２のリンクに連結する、当業者に公知のアクセサリ（図示せず）が用意される。これらの付属品は、リンク２２２、２２４に連結するように構成されたクランプまたは他の機構を有する。
【０１０６】
図１８〜図２０に示されるように、第１の及び第２のリンク２２２、２２４を取付ロッド２２８、２３０に、また頭部支持プレート２２０を第１の及び第２のリンク２２２、２２４に連結するために、代わりの組のボタンジョイントまたは位置ホルダ３５１（一つのみ図示）が用意される。ボタンジョイント３５１は、ボタン３５０、ばね３５２、第１のハウジングまたは基部３５４、第２のハウジングまたは基部３５６、接続柱またはシャフト３５８、ロックホイールまたはキー３６０、及びカバー３６２を含む。ボタンジョイント３５１は、頭部支持プレートが、図１０〜図１３に示される他のボタンジョイント２２６、２３２と同一の構造で配置されることを可能にする。
【０１０７】
各第２のハウジング３５６はそれぞれの取付ロッド２２８、２３０に剛堅に連結され、また図１８に示されるように、第１のハウジング３５４に対面する第１の側面３６４と、第１のハウジング３５４に対面しない第２の側面３６６と、第１の側面３６４と第２の側面３６６との間に延在するほぼ円形の空隙または通路３６８を形成する、複数の直径を有する内面３７０と、を含む。第２のハウジングは、図１８〜図２０に示されるように、第１のハウジング係合部分３７２、環状ストッパ部分３７４、ロック部分３７６、及び離脱部分３７８を有する。第１のハウジング係合部分３７２は環状ストッパ部分３７４と第１の側面３６４との間に配置され、また環状ストッパ部分３７４は第１のハウジング係合部分３７２とロック部分３７６との間に配置される。さらに、ロック部分３７６は環状ストッパ部分３７４と離脱部分３７８との間に配置され、また離脱部分３７８はロック部分３７６と第２のハウジングの第２の側面３６６との間に配置される。
【０１０８】
第１のハウジング係合部分３７２の内面は、ほぼ平滑であり、また一定の直径を有する。第１のハウジング係合部分３７２は、環状ストッパ部分３７４から延びるリップ３７３を有する。環状ストッパ部分３７４は、リング状であって、空隙３６８内に延在する。環状ストッパ部分３７４は、対向する第１の及び第２の側面３８０、３８２と、第１の及び第２の側面３８０、３８２の間に延在する端面３８６とを含む。環状ストッパ部分３７４は、第１のハウジング３５４の外径よりも小さな内径を端面３８６が形成するように寸法決めされて、第１のハウジング３５４が第２のハウジング３５６の空隙３６８を完全に通過することを防止する。
【０１０９】
ロック部分３７６は、ストッパ部分３７４の第２の側面３８２から離脱部分３７８に延在する。ロック部分３７６は、環状ストッパ部分３７４からの距離が増すにつれてより大きくなる様々な直径を有する。内面３７０のロック部分３７６は複数の歯３９０を含む。歯３９０は、ほぼ長方形の離間した複数の隆起部分によって形成される。歯３９０は協働して、歯３９０の幅と等しい幅を有する歯受容空間を歯間に形成する。
【０１１０】
ロックホイール３６０は、第１の及び第２のハウジング３５６、３５４を共にロックするために、ロック部分３７６を補完する。ロックホイール３６０は円盤状であり、第１の側面３９６と、第２の側面３９８と、第１の及び第２の側面３９６、３９８の間に延在する端面４００と、第１の及び第２の側面３９６、３９８の間に延在する空隙または通路４０２とを有する。第１の側面３９６は、第２の側面３９８の外径よりも大きくまたロック部分３７６の最大直径よりも僅かに小さな外径を有する。第２の側面３９８の直径はロック部分３７６の最小直径よりも僅かに小さい。端面４００は、空隙３６８の長手方向軸線３９４に対して斜めにされ、複数の相補的形成部または歯４０４を形成する。ロック部分３７６の歯３９０と同様に、ロックホイールの相補的形成部または歯４０４は、ほぼ長方形の離間した複数の隆起部分によって形成される。歯４０４は協働して、歯４０４の幅に等しい幅を有する歯受容空間を歯間に形成する。
【０１１１】
ロックホイール３６０の隆起歯４０４のパターン及びその間の空間は、ロック部分３７６の歯３９０及びその間の空間を補完する。したがって、ロックホイール３６０がロック部分３７６内に配置されると、ロック部分３７６の歯３９０は、ロックホイール３６０の歯４０４の間で形成された空間内に配置され、かつロックホイール３６０の歯４０４は、ロック部分３７６の歯４０４の間で形成された空間内に配置され、ロックホイール３６０と第２のハウジング３５６との相対回転を防止する。
【０１１２】
離脱部分３７８は一定の直径のほぼ平滑な円筒状の内面を有する。離脱部分３７８の内面の直径はロック部分３７６の最大直径よりも大きい。離脱部分３７８は、図１９と図２０に示されるようにカバー３６２の一部を受容するように寸法決めされる内面によって形成された溝４０６を含む。溝４０６はロック部分３７６から離間され、また端部カバー４０８は溝４０６に配置されて、空隙３６８を覆う。
【０１１３】
第１のハウジング３５４は、第２のハウジング３５６に対面しない第１の側面４１０、第２のハウジング３５６に対面する第２の側面４１２、リップ部分４１４、露出部分４１６、及び部分４１４、４１６を通して延在する空隙または通路４１８を含む。露出部分４１６は正方形ロック部分４２０、ばね受容部分４２２、及びボタン部分４２４を含む。
【０１１４】
リップ部分４１４は、図１９と図２０に示されるように露出部分４１６に連結され、また第２のハウジング３５６の第１のハウジング係合部分３７２のリップ３７３内に嵌合するように寸法決めされる。リップ部分４１４はリング状であり、また第１のハウジング３５４のリップ部分４１４が第２のハウジング３５６のリップ３７３内で回転するように、円形状で一定の直径の外面を含む。
【０１１５】
露出部分４１６の正方形ロック部分４２０は、リップ部分４１４とばね受容部分４２２との間に配置され、空隙４１８内に延在する。正方形ロック部分４２０は第１の及び第２の対向側面４２８、４３０と端面４３２とを含む。端面４３２は、正方形ロック部分４２０を通して延在するほぼ正方形のアパーチャ４３３を形成する。
【０１１６】
正方形状の接続柱３５８は、ほぼ正方形のアパーチャ４３３内にぴったりと嵌合するように寸法決めされる。したがって、接続柱３５８は、ほぼ正方形のアパーチャ４３３に配置されると、第１のハウジング３５４に対する回転から遮断される。
【０１１７】
ばね受容部分４２２は第１のハウジング３５４の正方形ロック部分４２０とボタン部分４２４との間に配置される。ばね受容部分４２２は、正方形ロック部分４２０の第２の側面４３０から空隙４１８内に延在するばね座または環状リブ４３６を含む。リブ４３６はほぼ円形状であり、ばね３５２の外径よりも大きな内径を有する。
【０１１８】
露出部分４１６のボタン部分４２４は、ばね受容部分４２２に隣接して配置されて、第１のハウジング３５４の第１の側面４１０まで延びる。ボタン部分４２４は、ばね受容部分４２２よりも大きな内径を有し、ボタン部分内にボタン３５０を受容するように寸法決めされる。
【０１１９】
接続柱３５８は、図１９に示されるように第１の及び第２のハウジング３５４、３５６の部分に配置される。接続柱３５８は、ほぼ正方形の断面を有する第１の及び第２の端部４３８、４４０を含む。第１の端部４３８は、接続柱３５８の長手方向軸線３９４に沿って延在してねじ付きボルト４４４または他の締結具を受容するねじ孔４４２を有する。ボルト４４４は、ロックホイール３６０の空隙４０２を通してねじ孔４４２内に入り、ロックホイール３６０を接続柱３５８の第１の端部４３８に固定する。第２の端部４４０は、接続柱３５８の長手方向軸線３９４に対し垂直に延在する、第２の端部内に形成された横断方向空隙４４６を有する。
【０１２０】
ボタン３５０は円盤部分４５０と取付部分４５２とを含む。円盤部分４５０は第１の側面４５４と第２の側面４５６とを含む。取付部分４５２は円盤部分４５０の第２の側面４５６から接続柱３５８の方に向かって延びる。取付部分４５２はほぼ円形であり、ばね３５２の内径よりも小さな外径を有する。取付部分４５２は内面４６０を含み、この内面は、接続柱３５８の第２の端部４４０を受容するように寸法決めされた正方形孔またはアパーチャ４５８を内面に形成する。取付部分４５２は、その中に形成された一対の空隙４６２を含み、この空隙は、図１９と図２０に示されるように、接続柱３５８の第２の端部４４０が正方形孔５１６内に配置されると、接続柱３５８の横断方向空隙４４６と整列する。ロックピン４６４は、取付部分４５２の空隙４６２及び接続柱３５８の横断方向空隙４４６に配置されて、ボタン３５０を接続柱３５８に連結する。
【０１２１】
図１９と図２０に示されるように、ばね３５２は接続柱３５８の周りに配置される。ばね３５２はコイル型ばねであり、接続柱３５８の外径よりも大きな内半径を含む。ばね３５２はボタン３５０の正方形ロック部分４２０と第２の側面４５６との間で圧縮されて、第２のハウジング３５６から離れるように方向３３６にボタン３５０を押しやる。図１９に示されるように、ロックホイール３６０の環状ストッパ部分３７４に対する当接は、接続柱３５８及びボタン３５０の移動を制限する。
【０１２２】
ボタン３５０が治療者によって押されていないとき、ボタン３５０の円盤部分４５０の第１の側面４５４は、図１９に示されるように第１のハウジング３５４の第１の側面４１０とほぼ同一平面である。ボタン３５０がこの位置にあるとき、ロック部分３７６の歯３９０はロックホイール３６０の歯４０４の間に配置される。この位置において、歯３９０、４０４は、第１のハウジング３５４及び第２のハウジング３５６、したがってロッド２２８、２３０及びリンク２２２、２２４の互いの回転を防止する。
【０１２３】
ばね３５２の力よりも大きな力で方向３４０にボタン３５０を押すことにより、図２０に示されるようにばね３５２がさらに圧縮される。ボタン３５０が押し下げられると、ロックホイール３６０は離脱部分３７８に押入され、また歯３９０、４０４は互いにもはや係合しない。ロックホイール３６０及び第２のハウジング３５６のロック部分３７６の離脱は、リンク２２２、２２４及びロッド２２８、２３０の角度と位置とを所望のとおり調整できるように、第２のハウジング３５６及び取付ロッド２２８、２３０に対する第１のハウジング３５４及びリンク２２２、２２４の回転を可能にする。
【０１２４】
リンク２２２、２２４及びロッド２２８、２３０がそれらの所望の位置にあるとき、ボタン３５０は解放され、ばね３５２がボタン３５０及びロックホイール３６０を図１９に示される初期位置に付勢して、ハウジング３５４、３５６の互いの位置を固定することを可能にする。
【０１２５】
図２１〜図２７に示されるように、頭部パッド３４は、第１のパッドまたは主本体４６６と、第２のパッドまたは挿入体４６８と、主カバー５４６及び挿入カバー５４８とを含む。主本体４６６は上方及び下方部分４７２、４７４をそれぞれ含む。好ましい実施態様では、上方部分４７２は比較的軟質の発泡材料であり、下方部分４７４は比較的堅い発泡材料である。上方及び下方部分４７２、４７４の両方は、例えば図２２、図２４、図２６及び図２７に示されるように互いに連通するアパーチャ４７６、４７８をそれぞれ含む。好ましい実施態様では、主本体４６６の上方及び下方部分４７２、４７４は共に接着される。
【０１２６】
挿入体４６８は、例えば図２１に示されるように、第１、第２、第３及び第４の部分４８０、４８２、４８４、４８６を含む。図２２に示されるように、これらの部分４８０、４８２、４８４、４８６は共に連結されて、挿入体４６８を形成する。好ましい実施態様では、部分４８０、４８２、４８４、４８６は接着剤によって共に連結される。挿入体４６８は、図２３に示されるように挿入体４６８をアパーチャ４７６、４７８に配置し得るように、主本体４６６の上方及び下方部分４７２、４７４のアパーチャ４７６、４７８の直径よりもそれぞれ僅かに小さな外径を有する。挿入体４６８の第１の部分４８０は、図２１に示されるように、上面４９０、下面４９２、及び外面４８８を有するほぼ平坦な円盤である。例えば図２１に示されるように、挿入体４６８の第２の部分４８２は、ほぼＣ字状であり、上面４９４、下面４９６、外面４９８、及び内面５００を含む。内面５００は、例えば図２１に示されるように、ほぼ円形の部分５０２と、外面４９８と円形部分５０２との間に延在する離間したほぼ平坦な部分５０４、５０６とを含む。円形部分５０２はほぼ円形のアパーチャ５０８を形成し、また離間した平坦な部分５０４、５０６は、円形アパーチャ５０８と連通するチャネル５１０を形成する。
【０１２７】
第３の部分４８４は、図２１に示されるように第２の部分４８２と同様に形を与えられる。第２の部分４８２は、第３の部分４８４の厚さ５１４よりも大きな厚さ５１２を含む。例えば図２１に示されるように、第３の部分４８４はほぼＣ字状であり、上面５１６、下面５１８、外面５２０、及び内面５２２を含む。内面５２２は、例えば図２１に示されるようにほぼ円形の部分５２４と、外面５２０と円形部分５２４との間に延在する離間したほぼ平坦な部分５２６、５２８とを含む。円形部分５２４はほぼ円形のアパーチャ５３０を形成し、また離間した平坦な部分５２６、５２８は、円形アパーチャ５３０と連通するチャネル５３２を形成する。
【０１２８】
第４の部分４８６は、例えば図２２に示されるように、第２の部分４８２の円形アパーチャ５０８及びチャネル５１０と、第３の部分４８４の円形アパーチャ５３０及びチャネル５３２とに配置されるように構成される。第４の部分４８６は、例えば図２１と図２７に示されるように上面５３４、下面５３６、及び外面５３８を含む。第４の部分４８６は、第２及び第３の部分４８２、４８４の円形アパーチャ５０８、５３０内にそれぞれ嵌合するように構成された円形部分５４０と、円形部分５４０に接続されるチャネル部分５４２とを含む。
【０１２９】
第１の実施態様の好ましい実施態様では、第１、第２、第３及び第４の部分４８０、４８２、４８４、４８６は、接着剤を用いて共に連結される。第２の部分４８２の下面４９６は第１の部分４８０の上面４９０に接着される。第３の部分４８４の下面５１８は、第２及び第３の部分４８２、４８４の内面５００、５２２及び外面４９８、５２０のそれぞれが整列されるように第２の部分４８２の上面４９４に接着される。第４の部分４８６の下面５３６は第１の部分４８０の上面４９０に接着され、第２の部分４８２の円形アパーチャ５０８及びチャネル５１０に配置される。第１の実施態様の好ましい実施態様では、第１、第２、第３及び第４の部分４８０、４８２、４８４、４８６は、第４の部分４８６が第１の部分４８０よりも硬くないように、減少する剛性を有する。
【０１３０】
挿入体４６８は、図２２に示されるように、第２、第３及び第４の部分４８２、４８４、４８６によって形成された凹部または空隙５４４を含む。凹部５４４は、患者を楽にするために患者の頭部の一部が中で延在し得る開口部を提供する。例えば、患者の耳は、凹部５４４の上方に配置されるならばより快適であるかもしれない。挿入体４６８を主本体４６６内で回転させて、凹部５４４を複数の位置に配置できる。例えば、患者の眼窩を楽にするためにチャネルを整列することが可能である。
【０１３１】
主本体カバー５４６は、例えば図２４〜図２６に示されるように、外側及び内側のシーム５５４、５５６で共に連結される上方及び下方部分５５０、５５２を含む。好ましい実施態様では、主本体カバー５４６の上方及び下方部分５５０、５５２は、ネオプレン、及びＨｅｒｃｕｌｉｔｅ−１０（登録商標）のような伸縮性織物材料からそれぞれ製造される。挿入体カバー５４８は、シーム５６２で共に連結される上方及び下方部分５５８、５６０を同様に含む。図２７に示されるように、上方部分５５８は円錐状であり、凹部５４４内に沈む。シーム５６２は、環状部分５６４と、環状部分５６４に連結された拍車部分５６６とを含む。第１の実施態様の好ましい実施態様では、挿入体カバー５４８は、シーム５６２の拍車部分５６６が挿入体４６８の凹部５４４の上に位置するように、挿入体４６８に対して配向される。第１の実施態様の好ましい実施態様では、挿入体カバー５４８は、ネオプレンのような四方伸縮性織物材料から製造される。
【０１３２】
挿入体４６８は、主パッド４６６から取り外し可能であり、また裏返しされるように構成され、その結果使用者が、空隙５４４によって提供されるそれほど固くない支持体、または第４の部分４８０によって提供されるより固い支持体を選択できるようにする。例えば、患者が、空隙５４４によって提供される相対的な支持の欠如が不快であると感じた場合、看護人は主パッド４６６の挿入体４６８を取り外し、裏返し、取り替えて、挿入体４６８の反対側のより固い支持体を患者に提供し得る。
【０１３３】
頭部パッド５６７の代替的実施態様が図２８〜図３２に示されている。頭部パッド５６７は、図２８〜図３２に示されるように主本体５６８、挿入体５７０、及びカバー５７２を含む。主本体５６８は、例えば図２８に示されるように第１、第２及び第３の部分５７４、５７６、５７８を含む。第１の部分５７４は、上面５８０、下面５８２、及び外面５８４を含む。第１の部分５７４は、好ましい実施態様では固い平坦な部片の発泡体である。第２の部分５７６は、上面５８６、下面５８８、外面５９０、及び内面５９２を含む。内面５９２は、挿入体５７０を受容するように寸法決めされるアパーチャ５９４を形成する。第２の部分５７６は、第１の部分５７４よりも硬くない発泡材料から製造される。
【０１３４】
第３の部分５７８は、上面５９６、下面５９８、外面６００、及び内面６０２を含む。内面６０２はアパーチャ６０４を形成し、このアパーチャ６０４を通して挿入体５７０を移動させ得る。好ましい実施態様では、第３の部分５７８の上面５９６は、比較的低い摩擦係数を有し、アンチシアー（anti-sheer）層と呼ばれる。好ましい実施態様では、第３の部分５７８は、第２の部分５７６よりも堅くない粘弾性発泡体から製造される。
【０１３５】
第３の部分５７８の内面６０２は、例えば図３３に示されるように、傾斜部分及び非傾斜部分６０６、６０８を含む。傾斜部分６０６では、アパーチャ６０４は、第３の部分５７８の上面５９６で、下面５９８におけるアパーチャよりも大きい。内面６０２の傾斜部分及び非傾斜部分６０６、６０８は、第２の部分５７６のアパーチャ５９４のサイズ及び形状に整合するように、下面５９８において寸法を決められかつ形を与えられる。しかし、内面６０２は下面５９８から上面５９６に延在するので、傾斜部分６０６により第３の部分５７８のアパーチャ６０４のサイズは大きくなる。例えば、患者が頭部パッド５６７上に横臥しているときに患者の頸部及び頭部の背部に一致させるために、傾斜部分６０６が使用される。
【０１３６】
主本体５６８の第１、第２及び第３の部分５７４、５７６、５７８及び挿入体５７０は、図２６に示されるように共に連結される。第１の実施態様の好ましい実施態様では、これらの構成要素は、接着剤を用いて共に連結される。第１の部分５７４の上面５８０は、第１の及び第２の部分５７４、５７６の外面５８４、５９０が整列されるように、第２の部分５７６の下面５８８に接着される。第２及び第３の部分５７６、５７８は、それらの内面５９２、６０２それぞれ、及び外面５９０、６００それぞれが整列されるように、それらの上面及び下面５８６、５９８にそれぞれ接着される。挿入体５７０は主本体５６８の第１の部分５７４の上面５８０に接着される。第１の実施態様の好ましい実施態様では、挿入体は軟質の発泡材料から製造される。
【０１３７】
カバー５７２は、例えば図３０と図３２に示されるように、シーム６１４で連結される上方及び下方部分６１０、６１２を含む。カバー５７２は、図３２に示されるように、上方部分６１０によって形成された上面６１６と、下方部分６１２によって形成された下面６１８と、上方及び下方部分６１０、６１２によって形成された側壁６２０とをさらに含む。シーム６１４は、下面６１８よりも上面６１６に近い位置において側壁６２０に配置される。第１の実施態様の好ましい実施態様では、カバー５７２の上方部分６１０はネオプレンのような伸縮性織物から製造され、またカバー５７２の下方部分６１２はＨｅｒｃｕｌｉｔｅ−１０（登録商標）から製造される。また、パッド５６７全体は、使用者がパッド５６７の反対側によって提供される所望の硬さを選択することを可能にするために、両面使用可能である。
【０１３８】
手術台６２２の第２の実施態様が図３５〜図４５に示されている。手術台６２２は、手術台頂部６２４、基部６２６、及び基部６２６に対して方向６３０、６３２に手術台頂部６２４を移動させるリフト機構６２８を含む。手術台頂部６２４は、例えば図３６に示されるように、支持面を複数の位置に配置するために機械的連結器と油圧シリンダとによって互いに移動可能であるいくつかの部分を含む。手術台頂部６２４は、治療者にとって最も便利な位置の手術台頂部６２４上に患者６３４を配置するように構成できる。
【０１３９】
手術台頂部６２４は、頭部支持部分６３６、胴体支持部分６３８、及び脚部支持部分６４０を含む。頭部支持部分６３６は、第１の及び第２の部分６４２、６４４と、胴体支持部分６３８に対する頭部支持部分６３６の移動を可能にする連結器または位置ホルダ６４６とを含む２ピースの頭部支持体である。より具体的には、連結器６４６は、胴体支持部分６３８に対する頭部支持部分６３６の軸６５２を中心とする方向６４８、６４９での移動を可能にし、また胴体支持部分６３８に対する頭部支持部分６３６の方向６５０、６５１での軸方向移動を可能にする。
【０１４０】
胴体支持部分６３８は、第１のまたは上胴支持部分、第２のまたは下胴支持部分、及び第３のまたは上肢支持部分６５４、６５６、６５８と、第１の及び第２の連結器６６０、６６２とを含む。第１の連結器６６０は、図３５と図３６に示されるように、第２の支持部分６５６に対する第１の支持部分６５４の軸６６４を中心とする方向６６６、６６８での回転運動を可能にする。同様に、第２の連結器６６２は、第３の支持部分６５８に対する第２の支持部分６５６の軸６７０を中心とする方向６６７、６６９での移動を可能にする。
【０１４１】
脚部支持部分６４０は、第１の及び第２の支持部分６７４、６７６と、第１の及び第２の支持部分６７４、６７６の相対運動を可能にする第１、第２、第３及び第４の連結器６７８、６８０、６８２、６８４とを含む。より具体的には、第１の連結器６７８は、胴体支持部分６３８に対する下肢支持部分６４０の第１の支持部分６７４の、軸６７２を中心とする方向６８６、６８８での回転を可能にする。下肢支持部分６４０の第１の支持部分６７４は第１の及び第２の支持部分６９０、６９２を含み、第２の連結器６８０は、第１の支持部分６９０に対する第２の支持部部分６９２の方向６９４、６９６での軸方向移動を可能にする。第３の連結器６８２は、第１の支持部分６７４に対する第２の支持部分６７６の、軸６９８を中心とする方向６８７、６８９での回転を可能にする。
【０１４２】
手術台頂部６２４は、例えば図３１と図３２に示されるように、フレーム７０４と、フレーム７０４に連結されかつその上に位置する複数のパッドまたは支持体７０６とを含む。支持体７０６は、患者６３４が横臥する支持面を形成する上面７０８と、フレーム７０４に対面する下面７１０とを含む。
【０１４３】
手術台６２２は、支持体７０６を互いに移動させるように構成された第１、第２及び第３のアクチュエータ６７９、６８１、６８３をさらに含む。手術台頂部６２４のアクチュエータ６７９、６８１、６８３は、例えば図３５と図３６に示されるようにフレーム７０４にすべて連結される。
【０１４４】
例示した実施態様では、アクチュエータ６７９、６８１、６８３は油圧シリンダである。油圧シリンダ６７９、６８１、６８３を駆動するために、患者支持体は、例えば図３５〜図３７に示されるように、油圧ポンプ及びモータ７１４と、バッテリ７１６と、複数の弁７１８と、を具備する油圧作動システム７１２をさらに含む。油圧ポンプ及びモータ７１４、並びにバッテリ７１６は基部６２６に配置され、一方、弁７１８はリフト機構６２８に配置される。油圧ライン（図示せず）は、２００１年１月２５日出願のＢｌｙｓｈａｋ等の米国仮出願特許第６０／２６４，２１４号、表題「Ｈｙｄｒａｕｌｉｃ  Ａｃｔｕａｔｏｒ  Ａｐｐａｒａｔｕｓ」に開示されているように、油圧ポンプ及びモータ７１４から弁７１８に延在しており、この特許の明細は、ここに引用することをもって明白に組み込まれる。次に、追加の油圧ライン（図示せず）が弁７１８から油圧シリンダ６７９、６８１、６８３に延在する。弁７１８は、油圧シリンダ６７９、６８１、６８３への油圧流体の流れを制御して、手術台頂部６２４の様々な支持部分を所望のように移動させる。
【０１４５】
図３５と図３６に示されるように、第１の及び第２のアクチュエータ６７９、６８１は、手術台頂部６２４を腎臓上昇位置に移動させるように構成される（下肢支持部分６４０は、手術台頂部６２４が腎臓上昇位置にあるときに通常ほぼ水平であるが、例示目的のためにニーシェルフ（knee-shelf）位置に示されている）。第２のアクチュエータ６８１は、回転軸６７０を中心に胴体支持部分６３８の第２の支持部分６５６を移動させるように構成される。第２の支持部分６５６を腎臓上昇位置に移動させるために、第２のアクチュエータ６８１が伸長されて、第２の支持部分６５６を方向６６９に回転させる。
【０１４６】
第１のアクチュエータ６７９は、回転軸６６４を中心に胴体支持部分６３８の第１の支持部分６５４を移動させるように構成される。第１の支持部分６５４を腎臓上昇位置に移動させるために、第１のアクチュエータ６７９が短縮されて、第１の支持部分６５４を方向６６６に回転させる。第１の及び第２のアクチュエータ６７９、６８１は、第１の及び第２の支持部分６５４、６５６を同時に移動させることが好ましい。手術台頂部６２４をほぼ平坦な位置に戻すために、第１のアクチュエータ６７９が伸長され、第２のアクチュエータ６８１が短縮される。
【０１４７】
図３６に示されるように、第３のアクチュエータ６８３は、脚部支持部分６４０の第１の部分６７４がほぼ垂直の位置に、また脚部支持部分６４０の第２の部分６７６がほぼ水平の位置にある状態で、ニーシェルフ位置への支持面６４２の移動を支援するように構成される。第３のアクチュエータ６８３は、回転軸６７２を中心に脚部支持部分６４０の第１の部分６７４を移動させるように構成される。第１の部分６７４を垂直位置に移動させるために、第３のアクチュエータ６８３が短縮されて、第１の部分６７４を方向６８８に回転させる。
【０１４８】
次に、第２の部分６７６は、回転軸６９８を中心に方向６８７に回転される。ロックまたはクラッチ６９１は第１の及び第２の部分６７４、６７６に連結されて、それらの相対位置をロック及びロック解除する。クラッチ６９１を解放するために、治療者は、第２の部分６７６を回転させることができるようにハンドル６９３を移動させる。治療者がハンドル６９３を放すと、クラッチ６９１は第１の部分６７４に対して第２の部分６７６の位置をロックする。クラッチ６９１の追加の記述は、２０００年６月２日出願のＲｕｅｈｌ等の米国仮出願特許第６０／２０９，０５３号、表題「Ｆｏｏｔ  Ｓｕｐｐｏｒｔ  Ａｐｐａｒａｔｕｓ  ｆｏｒ  ａ  Ｂｉｒｔｈｉｎｇ  Ｂｅｄ」で提供されており、この特許の明細はここに引用することをもって明白に組み込まれ、また２００１年６月２日出願のＲｕｅｈｌ等の米国特許出願第０９／８７２，５９４号、表題「Ｆｏｏｔ  Ｓｕｐｐｏｒｔ  Ａｐｐａｒａｔｕｓ  ｆｏｒ  ａ  Ｂｉｒｔｈｉｎｇ  Ｂｅｄ」に提供されており、この特許の明細はここに引用することをもって明白に組み込まれる。支持面６４２をほぼ平坦な位置に戻すために、第３のアクチュエータ６８３が伸長されて、脚部支持部分６４０の第１の部分６７４を方向６８８に回転させ、また第２の部分６７６が方向６８９に回転される。
【０１４９】
手術台装置６２２は、図３５と図３７に示されるように、水平軸７２４、７２６を中心に手術台頂部６２４をそれぞれ移動させるトレンデレンブルグアクチュエータ７２０及びチルトアクチュエータ７２２をさらに含む。トレンデレンブルグアクチュエータ７２０は、軸７２４を中心に方向７２８に手術台頂部６２４を回転させて、手術台装置６２２上に横臥する患者６３４をトレンデレンブルグ位置に配置するか、あるいは方向７３０において患者６３４を逆トレンデレンブルグ位置に配置する。チルトアクチュエータ７２２は、水平軸７２６を中心に方向７３２、７３４に手術台頂部６２４を回転させる。これらのアクチュエータ７２０、７２２の両方は油圧作動システム７１２から作動流体を受容する。
【０１５０】
基部６２６は、ハウジング７３６と、ハウジング７３６に連結された４組の二重キャスタホイール７３８とを含む。ホイール７３８の各々は別個の第１の及び第２のホイール７４０、７４２を含む。バッテリ７１６は、電源コードリトラクタ７４４内に収容される電源コード（図示せず）を通して再充電することが可能である。
【０１５１】
図３８〜図４０に示されるように、下肢支持部分６４０は、手術台頂部６２４の全長の調整を異なる身長の患者のために可能にするために、調整可能な長さを有するように構成される。手術台頂部６２４の脚部支持部分６４０の第２の支持部分６７６において、支持体７０６をフレーム７０４に対して移動させることができる。脚部支持部分６４０の第４の連結器または位置ホルダ６８４は、図３８〜図４１に示されるように、フレーム７０４及び支持体７０６上の相互作用部分７４６、７４８をそれぞれ含んでおり、前記相互作用部分７４６、７４８は、支持体がフレーム７０４に対して複数の位置で配置されることを可能にする。
【０１５２】
第２の支持部分６７６のフレーム７０４の相互作用部分７４６は、第１、第２及び第３の凹部またはポケット７５０、７５２、７５４とトラック７５６とを含む。脚部支持部分６４０に配置されたフレーム７０４の部分は、図３８〜図４１に示されるように、上面７６２と、下面７６４と、内面７６６と、外面７６８と、脚部支持部分６４０の第１の支持部分６７４の方に対面する第１の端部７７０と、第１の端部７７０から離間した第２の端部７７２とを各々が有する離間したアーム７５８、７６０を含む。第１、第２及び第３の凹部７５０、７５２、７５４は、アーム７５８、７６０の各々の上面７６２に形成され、またトラック７５６は、各アーム７５８、７６０の内面７６６に連結される。トラック７５６は、第１、第２及び第３の凹部７５０、７５２、７５４と、アーム７５８、７６０の第１の端部７７０との間の位置で第１の及び第２のアーム７５８、７６０の各々に連結される。代替的実施態様では、より少ない及びより多い凹部が相互作用部分に用意される。
【０１５３】
第２の支持部分６７６の相互作用部分７４８は戻り止め７７４とローラアセンブリ７７６とを含む。戻り止め７７４は、凹部７５０、７５２、７５４の一つに配置されるように構成される。戻り止め７７４が凹部７５０、７５２、７５４の一つに配置された場合、支持体７０６の移動が阻止される。図３９に示されるように、戻り止め７７４が凹部７５０、７５２、７５４の一つに配置されない場合、手術台頂部６２４の全長を調整するために支持体が移動することが可能になる。代替的実施態様では、ボタンスナップ、フックアンドループ型ファスナ、磁石のような異なる種類の相互作用部分、及び当業者に公知の他の種類の相互作用部分が相互作用部分７４６、７４８の代わりに用意される。
【０１５４】
ローラアセンブリ７７６は、凹部７５０、７５２、７５４の間に戻り止め７７４を移動させる際に治療者を支援するために用意される。ローラアセンブリ７７６は、例えば図３８〜図４１に示されるように、ローラ７７８と、ローラ７７８を裏材７８２に連結するブラケット７８０とを含む。
【０１５５】
脚部支持部分６４０の第２の支持部分６７６の支持体７０６は、マットまたはパッド７８４と、パッド７８４に連結されかつパッド７８４とフレーム７０４との間に配置された裏材７８２とを含む。戻り止め７７４は、戻り止め７７４を凹部７５０、７５２、７５４の任意のものに配置し得るように、ある位置において裏材７８２に連結される。支持体７０６は、脚部支持部分６４０の第１の支持部分６７４に対面する第１の端部７８６と、第１の端部７８６から離間した第２の端部７８８とをさらに含む。
【０１５６】
図３９に示されるように、第２の支持部分６７６の支持体７０６は、第２の支持部分６７６のフレーム７０４に対して移動し得る。このように支持体７０６を移動させるために、支持体７０６は、凹部７５０、７５２、７５４に戻り止め７７４がもはや配置されなくなるまで、ローラ７７８によって形成された軸７９２を中心に方向７９０に持ち上げられる。次に、支持体７０６は方向７９４、７９６のいずれかに移動される。この移動中、ローラ７７８は、平滑な軌道を提供するためにトラック７５６に沿って転動する。図４０と図４１に示されるように、支持体７０６が所望の位置にあるとき、支持体は、戻り止め７７４が所望の凹部７５０、７５２、７５４に配置されるまで、軸７９２を中心に方向７９８に下げられる。
【０１５７】
図４４と図４５に示されるように、脚部支持部分６４０の第２の連結器または位置ホルダ６８０は、第１の支持部分６７４の、第１の及び第２の支持部分６９０、６９２の間の、方向６９４、６９６での相対的な軸方向移動を可能にする。第２の連結器６８０は、第１の及び第２の支持部分６９０、６９２の位置を複数の位置の一つに固定するように協働する第１の及び第２の支持部分６９０、６９２の各々に相互作用部分８００、８０２を含む。
【０１５８】
第２の支持部部分６９２の相互作用部分８０２は、凹部８０６、８０８、８１０、８１２を有するロッド８０４を含む。第１の支持部分６９０の相互作用部分８００は、例えば図４４と図４５に示されるように、ばね荷重式の戻り止め８１４と、ロッド８０４を受容するように寸法決めされたアパーチャ８１６と、ばね荷重式の戻り止め８１４を受容するように寸法決めされたねじ付きアパーチャ８１８とを含む。ばね荷重式の戻り止め８１４は、ハンドル８２０と、ハンドル８２０に連結されるねじ付きスタッド８２２と、ばね８２４と、ボール８２６とを含む。アパーチャ８１８は第１の支持部分６７４の第１の支持部分６９０に形成され、ボール８２６よりも僅かに広い第１の部分８２８と、ねじ付きスタッド８２２を受容するようにねじ付けされる第２の部分８３０とを含む。ボール８２６はアパーチャ８１８の第２の部分８３０に配置される。ねじ付きスタッド８２２は、アパーチャ８１８の第１のねじ付き部分８２８にねじ込みかつ出されるように構成され、またばね８２４は、アパーチャ８１８の第１の部分８２８及び第２の部分８３０の両方のねじ付きスタッド８２２とボール８２６との間に延在する。
【０１５９】
治療者は、ばね荷重式の戻り止め８１４のハンドル８２０を方向８３２に回転させ、ボール８２６を凹部８０６、８０８、８１０、８１２の一つの中に押し入れて、第１の及び第２の部分６９０、６９２の位置を固定する。第１の及び第２の部分５８２、５８４が方向６９４、６９６で互いに移動され得るように、治療者は、ハンドル８２０を反対方向８３４に回転させて、ボール８２６がばね８２４の付勢に対抗して方向８３６で内側に移動することを可能にする。
【０１６０】
方向８３４でのハンドル８２０の回転時、ねじ付きスタッド８２２は、図４５に示されるようにロッド８０４から離れるように方向８３６で移動する。ハンドル８２０及びねじ付きスタッド８２２がロッド８０４から離れるように移動されると、ばね８２４は、ロッド８０４の凹部８０６、８０８、８１０、８１２内のボール８２６の位置をなお維持する。しかし、治療者がロッド８０４を方向６９４、６９６のいずれかに移動させると、ボールはばね８２４の付勢に対抗して方向８３６で移動され得る。
【０１６１】
治療者が、第１の部分６９０に対して第２の部分６９２を所望の位置に配置し、またボール８２６が凹部８０６、８０８、８１０、８１２の一つに配置されると、治療者はハンドル８２０を方向８３２に回転させて、ハンドル８２０及びねじ付きスタッド８２２を方向８３８に移動させ、この結果、凹部８０６、８０８、８１０、８１２の一つにボール８２６が押し入れられて、第１の及び第２の部分６９０、６９２の位置を固定する。例示した実施態様では、第２の部分６９０の相互作用部分８０２は四つの凹部８０６、８０８、８１０、８１２を含む。代替的実施態様では、より少ないかまたはより多い凹部がロッドに含まれる。さらに、前述のトルク制限ボルト、ピン、ラッチのような異なる種類の相互作用部分または当業者に公知の他の相互作用部分が、相互作用部分８００、８０２の代わりに用意される。
【０１６２】
上述のように、頭部支持部分６３６は、第１の及び第２の部分６４２、６４４と連結器または位置ホルダ６４６とを含む。連結器６４６は、胴体支持部分６３８に対する頭部支持部分６３６の移動を可能にするように構成される。さらに、頭部支持部分６３６は、追加の二つの連結器または位置ホルダ８４０、８４２と、第１の及び第２の取付ロッド８４４、８４６と、第１の及び第２の部分６４２、６４４と頭部支持部分６３６の取付ロッド８４４の一つとに連結される軸またはシャフト８４８と、を含む。取付ロッド８４４、８４６は、連結器６４６に形成されたアパーチャ８５０に配置され、また連結器６４６によって許容された場合、アパーチャ８５０を通して方向６５０、６５１に滑動されるように構成される。追加の二つの連結器８４０、８４２は、胴体支持部分６３８に対する頭部支持部分６３６の移動、及び頭部支持部分６３６の第１の及び第２の頭部支持部材６４２、６４４の互いの移動を可能にする。
【０１６３】
頭部支持部分６３６の第１の頭部支持部材６４２は、支持プレートまたはフレーム８５２と、支持プレートまたはフレーム８５２に連結された支持体またはパッド８５４とを含む。同様に、頭部支持部分６３６の第２の頭部支持部材６４４は、支持プレートまたはフレーム８５６と、支持プレートまたはフレーム８５６に連結された支持体またはパッド８５８とを含む。第１の及び第２の部分６４２、６４４は軸支持体８５９、８６１を含み、また取付ロッド８４４は、軸支持体８６０と、図４４に示されるように軸８４８を受容するように寸法決めされる、支持体８６０内のアパーチャ８６２とを含む。軸８４８は頭部支持部分６３６の第１の部分６４２の軸支持体８５９に剛堅に連結される。
【０１６４】
第１の連結器またはクランプ８４０は、ハンドル８６４と、ハンドル８６４に連結された第１の端部８６８と第１の端部８６８から離間した第２の端部８７０とを有するロッド８６６と、ロッド８６６の第２の端部８７０に連結されたねじ付き先端８７２とを含む。第２の部分６４４の軸支持体８６１は、図４３に示されるように、アパーチャ８７５とスロット８７４とを含んでおり、前記スロット８７４は、アパーチャ８７５と、アパーチャ８７５に連通するスロット８７４と、スロット８７４に対してほぼ垂直のアパーチャ８７６とを含む。スロット８７４及びアパーチャ８７５は、対向する第１の面８７８と第２の面８８０とによって形成される。アパーチャ８７６は第１の及び第２の部分８８２、８８４を含む。第１の部分８８２はねじ付きでなく、第１の連結器８４０のロッド８６６のねじ付き先端８７２よりも僅かに大きい。さらに、第１の部分８８２は、図４３に示されるようにロッド８８６の肩部８８５に当接するように配置された肩部８８３を含む。第２の部分８８４はねじ付きであり、また第１の連結器８４０のねじ付き先端８７２が第２の部分８８４にねじ込み式に係合できるように寸法決めされる。
【０１６５】
第２の部分６４４は、第１の連結器８４０のロッド８６６を受容するように寸法決めされたアパーチャ８８８を有するロッド支持体８８６をさらに含む。第１の連結器８４０のロッド８６６は、ロッド支持体８８６を通して、第２の部分６４４の軸支持体８６１の第２のアパーチャ８７６内に延在するように配置される。
【０１６６】
第１の連結器またはクランプ８４０は、頭部支持部分６３６の第２の部分６４４が頭部支持部分６３６の第１の部分６４２に対して移動することを許容する。軸支持体８６１のスロット８７４は、軸支持体８６１がクランプ８６１として機能することを許容し、このクランプ８６１は、第２の部分６４４を軸８４８に固定するか、あるいは第２の部分６４４が頭部支持部分６３６の第１の部分６４２に対して軸８４８を中心として移動または回転することを許容する。方向８９０でのハンドル８６４の回転は、アパーチャ８６２とスロット８７４とを形成する対向面８７８、８８０を共に移動させ、したがって軸８４８を挟持する。アパーチャ８７６の第２の部分８４４はねじ付きであり、またロッド８８６はアパーチャ８７６の第１の部分８４２の肩部８８３に当接するので、ハンドル８６４及びロッド８８６の回転は、第２の部分８４４を第１の部分８４４に向かって引っ張り、スロット８７４を狭くする。軸８４８が挟持されると、軸支持体８６１、したがって第２の部分６４４が第１の軸８４８に固定される。
【０１６７】
ハンドル８６４の反対方向８９２での回転は、対向面８７８、８８０を互いに移動させて離し、軸８４８を緩める。軸８４８が挟持されない場合、軸支持体８６１、したがって第２の部分６４４は、第１の部分６４２及び取付ロッド８４４、８６４に対して軸８４８を中心に回転することが可能である。
【０１６８】
第２の連結器８４２は、取付ロッド８４４、８４６に対する頭部支持部分６３６の第１の及び第２の部分６４２、６４４の移動を許容する。第２の連結器８４２は、ハンドル８９４を含み、このハンドル８９４は、軸８４８と、取付ロッド８４４の軸支持体８６０と相互作用する。第２の連結器８４２は、取付ロッド８４４、８４６に対する頭部支持部分６３６の第１の及び第２の部分６４２、６４４の移動を防止するように締め付けられ、また取付ロッド８４４、８４６に対する第１の及び第２の部分６４２、６４４の移動を許容するために緩められる。
【０１６９】
軸８４８は、第１の端部８９６と、第１の端部８９６から離間した第２の端部８９８と、座金または肩部８９７と、第２の端部８９８から延びるねじ付き部分９００とを含む。第１の端部８９６は、頭部支持部分６３６の第１の部分６４２の軸支持体８５ａに剛堅に連結される。ねじ付き部分９００は、取付ロッド８４４の軸支持体８６０を通して延びかつそこから突出する。ハンドル８９４は軸８４８のねじ付き部分９００にねじ込み式に係合する。
【０１７０】
ハンドル８９４の第１の方向６４８での回転は、ハンドル８９４が軸８４８を方向９０１に引っ張るようにさせ、また肩部８９７とハンドル８９４との間に軸支持体８６０を捕捉して、取付ロッド８４４、８４６に対して頭部支持部分６３６の部分６４２、６４４の両方の位置を固定する。ハンドル８９４の反対方向６４９での回転は、ハンドル８９４が軸支持体８６０上のグリップを解放するようにさせて、取付ロッド８４４、８４６に対する頭部支持部分６３６の部分６４２、６４４の両方の移動を許容する。
【０１７１】
患者が部分６４４を通して顔を下に向けることを許容する開口部が存在するように、部分６４４に対して部分６４２を上方または下方に回転できる。部分６４２を下方に回転させて、開口部を残すために、ハンドル８９４が緩められ、両方の部分６４２、６４４が方向６４９に下方に回転される。次に、ハンドル８９４が締め付けられ、また部分６４４がほぼ水平になるまで部分６４４を方向６４８に回転できるように、ハンドル８６４が緩められる。ハンドル８９４が締め付けられた後、部分６４２によって占められていた開口部に人の顔を配置できる。部分６４２は、同様に部分６４４に対して上方に回転できる。
【０１７２】
本発明の開示による手術台装置または患者支持体１０００の第３の実施態様が図４７〜図７９に示されている。図４７を参照すると、手術台装置１０００は、架台１０１４を含む基部１０１２と、架台１０１４に連結された手術台頂部１０１６とを含む。
【０１７３】
架台１０１４は、基部１０１２に対して方向１０２８、１０３０に手術台頂部１０１６を上下に移動させるためのリフト機構（図示せず）を含む。適切なリフト機構の開示は、２００１年１月２５日出願のＢｌｙｓｈａｋ等の米国仮出願特許第６０／２６４，２１４号、表題「Ｈｙｄｒａｕｌｉｃ  Ａｃｔｕａｔｏｒ  Ａｐｐａｒａｔｕｓ」に示されており、この特許の明細は、ここに引用することをもって明白に組み込まれる。
【０１７４】
手術台頂部１０１６は、手術台装置１０００上に配置される患者の頭部、上胴、下胴、上肢、及び下肢に概ね対応する、頭部支持部分１０１８と、上胴支持部分１０２０と、下胴支持部分１０２２と、上肢支持部分１０２４と、下肢支持部分１０２６とを含む。頭部支持部分１０１８は、頭部支持フレーム１０１９と、頭部支持フレーム１０１９によって支持された頭部支持プレート１０１０とを含む。頭部パッドまたは支持体（図示せず）は頭部支持プレート１０１０によって支持される。上胴支持部分、下胴支持部分、及び上肢支持部分１０２０、１０２２、１０２４は、上胴支持フレーム、下胴支持フレーム、及び上肢支持フレーム１０２１、１０２３、１０２５と、上胴支持プレート、下胴支持プレート、及び上肢支持プレート１０３５、１０３７、１０３９とを含む。上胴パッド、下胴パッド、及び上肢パッド（図示せず）は、上胴支持プレート、下胴支持プレート、及び上肢支持プレート１０３５、１０３７、１０３９によってそれぞれ支持される。上胴パッド、下胴パッド、及び上肢パッド部分は協働して、上胴支持プレート、下胴支持プレート、及び上肢支持プレート１０３５、１０３７、１０３９によって支持された胴体パッド（図示せず）を形成する。下肢支持部分１０２６は、下肢支持フレーム１０２７と、下肢支持フレーム１０２７によって支持された下肢支持プレート１０３８とを含む。下肢支持パッド（図示せず）は下肢支持プレート１０３８によって支持される。
【０１７５】
支持フレーム１０１９、１０２１、１０２３、１０２５、１０２７は、手術台頂部１０１６のデッキまたはフレーム１０３２の構成要素である。頭部パッド、胴体パッド、及び脚部パッドは、フレーム１０３２から頭部パッド、胴体パッド、及び脚部パッドを容易に着脱し得るように、フックアンドループ型ファスナによってフレーム１０３２のそれぞれの支持フレーム１０１９、１０２１、１０２３、１０２５、１０２７に取り付けられることが好ましい。代替的実施態様では、取り外し可能にまたは他の方法でパッドをフレームに取り付けるために、スナップ、タイ、または当業者に公知の他の連結器のような他の種類の連結器が用意される。連結器により、パッドのフレームへの容易な脱着が可能にされることが好ましい。
【０１７６】
本発明の開示の第３の実施態様によれば、頭部パッド、胴体パッド、及び脚部パッドは発泡体で充填される。本発明の開示の代替的実施態様によれば、空気、ゲル、液体、空気流動化ビーズ、または当業者に知られている他の支持材料のような他の材料または構成がパッドに用意される。手術台頂部１０１６に使用するための適切な他のパッドまたは支持体の詳細は、１９９８年１１月６日出願のＲｉｃｈａｒｄ  Ｌ．Ｂｏｒｄｅｒｓの米国特許出願第０９／１８７，９９０号、表題ＳＵＲＧＩＣＡＬ  ＴＡＢＬＥ  ＡＰＰＡＲＡＴＵＳに開示されており、この特許の明細は、ここに引用することをもって明白に組み込まれる。
【０１７７】
図４７〜図５５に示した例示的実施態様によれば、手術台頂部１０１６の下肢支持部分１０２６は、手術台頂部１０１６の上肢支持部分１０２４に回動可能かつ取り外し可能に連結される。さらに、下肢支持部分１０２６の脚部支持プレート１０３８は、下肢支持部分１０２６及び手術台頂部１０１６の全長の伸長または短縮を可能にする伸長可能な支持体である。本発明の開示の代替的実施態様によれば、脚部支持部分は、上肢支持部分に対して取り外し不可能及び回動不可能であり、他の方法でフレームの上肢支持部分に連結される。他の代替的実施態様によれば、脚部支持プレートは伸長可能でない。
【０１７８】
下肢支持部分１０２６は、脚部連結器１０４０によって上肢支持部分１０２４に回動可能かつ取り外し可能に連結される。図５０に示されるように、脚部連結器１０４０は、上肢支持部分１０２４に連結された一対の第１の連結器または相互作用部材１０４６と、下肢支持部分１０２６に形成された一対の第２の連結器または相互作用部材１０５８とを含む。下肢支持部分１０２６は、図５０と図５１に示されるように、上肢支持部分１０２４に対して下肢支持部分１０２６を上方に斜めにし、また第２の連結器１０５８と第１の連結器１０４６とを整列することによって、上肢支持部分１０２４に連結される。第２の連結器１０５８は、第１の連結器１０４６及び第２の連結器１０５８の丸い構造形によって一か所に集められて第１の連結器１０４６と整列される。この構造形は、第２の連結器１０５８と第１の連結器１０４６との整列を容易にする。
【０１７９】
第１の及び第２の連結器１０４６、１０５８の整列後、図５２に示されるように、下肢支持部分１０２６は、第１の連結器１０４６及び第２の連結器１０５８が相互ロックするように、上肢支持部分１０２４に対して回転される。脚部連結器１０４０は、下肢支持部分１０２６を上肢支持部分１０２４にロックする保持器またはラッチ１０５２をさらに含む。保持器１０５２及び第２の連結器１０５８は、図５２に示されるようにそれらの間に第１の連結器１０４６を捕捉する。
【０１８０】
下肢支持部分１０２６は、ラッチ１０５２を解放しまた上肢支持部分１０２４に対して下肢支持部分１０２６を上方に回転させることによって、上肢支持部分１０２４から分離される。下肢支持部分１０２６が上方に回転されると、第２の連結器１０５８は第１の連結器１０４６から分離される。第２の連結器１０５８と第１の連結器１０４６とが分離されると、第２の連結器１０５８が整列ポケット１０４８にもはや配置されないように、下肢支持部分１０２６は上肢支持部分１０２４から引き離されることができる。
【０１８１】
図４８〜図５２に示されるように、下肢支持部分１０２６は、脚部連結器１０４０の一対のジョイント１１９２を介して上肢支持部分１０２４に回動可能に連結される。ジョイント１１９２は、一対の回動部材１１９６と、それぞれの回動部材１１９２を回動可能に受容するように構成された一対のソケット１１９４を提供する上肢支持部分１０２４の一部とを含む。ジョイント１１９２は、回動部材１１９６をソケット１１９４に回転可能に連結するように構成された一対の軸１０４４をさらに含む。本発明の開示の好ましい実施態様によれば、動力を供給して、図５２と図５３に示した第１の及び第２の位置の間の、及びそれらの間の任意の位置のソケット１１９４に対して回動部材１１９６を移動させるために、油圧アクチュエータ（図示せず）が用意される。
【０１８２】
図４９と図５０を参照すると、脚部分連結器１０４０の第１の連結器または相互作用部材１０４６は回動部材１１９６から突出する。第２の連結器または相互作用部材１０５８は下肢支持部分１０２６に形成される。第１の連結器１０４６及び第２の連結器１０５８は、上肢支持部分１０２４への下肢支持部分１０２６の連結を容易にする相補的構造形を有し、この構造形は、下肢支持部分１０２６及び上肢支持部分１０２４が共に連結されるときに相互ロックする。下肢支持部分１０２６が上肢支持部分１０２４に連結されると、第１の連結器１０４６は、図５２に示されるように第２の連結器１０５８と相互ロックする。下肢支持部分１０２６が上肢支持部分１０２４から取り外されると、第２の連結器１０５８は、図４９と図５０に示されるように第１の連結器１０４６から離間される。
【０１８３】
上述のように、第１の連結器１０４６及び第２の連結器１０５８の相補的構造形は、下肢支持部分１０２６と上肢支持部分１０２４との連結を容易にする。第１の連結器１０４６と第２の連結器１０５８の両方は、第１の連結器１０４６及び第２の連結器１０５８のそれぞれの部分が互いの上にまたその周りに容易に滑動するので、第１の連結器１０４６と第２の連結器１０５８との連結を容易にする丸い構造形を有する。第１の連結器１０４６の丸い構造形は、第２の連結器１０５８を整列ポケット１０４８内に集める滑動をもたらし、したがって、下肢支持部分１０２６と手術台装置１０００の残りの支持部分とを整列する。
【０１８４】
図５０に示されるように、第１の連結器または相互作用部材１０４６は、回動部材１１９６から延びる突出部または相互作用部分１０５６を含む。相互作用部分１０５６は、整列ポケット１０４８を形成する第１の円弧面１０４７と、第１の円弧面１０４７に隣接する第２の円弧面１０４９と、第２の円弧面１０４９に隣接する僅かに円弧状の第３の面１０５１とを含む丸い構造形を含む。
【０１８５】
第２の連結器または相互作用部材１０５８は、第１の連結器１０４６のローブまたは相互作用部１０５６と相互ロックするように構成されたローブまたは相互作用部１０６０と、第１の連結器１０４６の相互作用部１０５６と相互ロックするように構成された凹みまたは相互作用部１０６２とを含む。第２の連結器１０５８の相互作用部１０６０、１０６２は、第１のアーチ状面１０５９と第２のアーチ状面１０６１と第３のアーチ状面１０６３と第４のアーチ状面１０６５とを含む。第２の連結器１０５８のアーチ状面１０６１、１０６３、１０６５は、第１の連結器１０４６のアーチ状面１０４７、１０４９、１０５１に対し相補的である。
【０１８６】
図５１に示されるように、下肢支持部分１０２６は、方向１０８８において上肢支持部分１０２４に対して上方に下肢支持部分１０２６に角度をつけ、かつ上肢支持部分１０２４に向かって下肢支持部分１０２６を移動させることによって、上肢支持部分１０２４に連結され、その結果第２の連結器１０５８の相互作用部１０６０のアーチ状面１０６１が、第１の連結器１０４６の相互作用部１０５６の整列ポケット１０４８に配置される。相互作用部材１０５８のアーチ状面１０６１は、相互作用部材１０４６のアーチ状面１０４９に接触して、アーチ状面１０４９を滑り下りてアーチ状面１０４７により形成されたポケット１０４８内に入ることによって、相互作用部材１０４６の整列ポケット１０４８内に集められる。アーチ状面１０６１が図５１に示されるようにポケット１０４８内に配置されると、下肢支持部分１０２６は上肢支持部分１０２４と整列される。
【０１８７】
相互作用部材１０４６、１０５８の整列後、下肢支持部分１０２６は、第１の連結器１０４６の相互作用部１０５６が第２の連結器１０５８の凹みまたは相互作用部１０６２によって受容されるように、方向１０８６に回転される。下肢支持部分１０２６が上肢支持部分１０２４に対してほぼ同一平面の位置に回転されると、第１の連結器１０４６の相互作用部１０５６及び第２の連結器１０５８の相互作用部１０６０、１０６２は共に連結される。下肢支持部分１０２６は、下肢支持部分１０２６の脚部連結器１０４０のストッパ１０５４が回動部材１１９６の当接面１０５５に当接するため、上肢支持部分１０２４に対してほぼ同一平面の位置に維持される。
【０１８８】
図５０と図５２を参照すると、第１の連結器１０４６の相互作用部１０５６及び第２の連結器１０５８の相互作用部１０６０、１０６２が共に連結されると、第１の連結器１０４６の表面１０４７、１０４９、１０５１は、第２の連結器１０５８の相補的な表面１０６１、１０６３、１０６５に隣接する。第２の連結器１０５８のローブ１０６０及び凹部１０６２は、第１の連結器１０４６のローブ１０５６と相互ロックする。
【０１８９】
上述のように、保持器１０５２は、図５１に示されるように下肢支持部分１０２６を回動部材１１９６にロックする。保持器１０５２は、側面１０５３と当接面１０５５と底面１０５７とによって形成される、第１の連結器１０４６の凹部１０４１と相互作用するように構成される。本発明の開示の代替的実施態様によれば、脚部支持部分を上肢支持部分に連結するために、ラッチ、フック、ファスナ、ストラップのような他の保持器及び当業者に公知の他の保持器が用意される。
【０１９０】
図５１と図５２を参照すると、保持器１０５２は第１の連結器１０４６の凹部１０４１と協働して、下肢支持部分１０２６を回動部材１１９６に、したがって上肢支持部分１０２４にロックする。保持器１０５２はまた、上肢支持部分１０２４からの下肢支持部分１０２６の取り外しを可能にするように構成される。
【０１９１】
保持器１０５２は、図５１に示されるようにラッチまたはレバー１０９２、レバースプリング１０９４、及びハウジング１０９６を含む。レバー１０９２は、ハンドル端部１０９８、ラッチ端部１１００、及びハンドル端部１０９８とラッチ端部１１００との間に配置された支点１１０２を含む。下肢支持部分１０２６とレバー１０９２のハンドル端部１０９８とは、レバースプリング１０９４の一部分を各々が受容する孔１１０４、１１０６を含む。レバースプリング１０９４は、図５２に示されるように、レバー１０９２の頂面１０９５がハウジング１０９６の下面１０９７と接触するように、支点１１０２を中心にして反時計回り方向１１０１にレバー１０９２を付勢する。
【０１９２】
レバー１０９２のラッチ端部１１００は、第１の連結器１０４６と相互作用して、座及び脚部支持部分１０２４、１０２６をロックし、またロック解除する。レバー１０９２のラッチ端部１１００は、第１の連結器１０４６の側面１０５３に相補的なラッチ面１１１０とアーチ状面１１１１とを含む。ラッチ面１１１０は、図５２に示されるように、下肢支持部分１０２６が上肢支持部分１０２４に対しロックされるとき、側面１０５３に隣接して配置される。一実施態様では、ラッチ面１１１０と凹部側面１０５３は垂直のほぼ平坦な表面である。代替的実施態様では、ラッチ面及び凹部側面は、凹部内へのラッチ端部の導入部を設けるために斜めにされる。追加の代替的実施態様では、ラッチ端部及び凹部は、ラッチ面と凹部側面とは別個の、凹部面の下端の第１の面取り及びラッチ上端の第２の面取りのような導入面を含む。
【０１９３】
上述のように、レバー１０９２は、レバースプリング１０９４によって図５２に示されるロック位置に向かって付勢される。レバースプリング１０９４は、レバー１０９２の上面１０９５がハウジング１０９６の下面１０９７と通常接触するように、方向１１０１にレバー１０９２を付勢する。図５１を参照すると、下肢支持部分１０２６は上肢支持部分１０２４に取り付けられるので、ラッチ端部１１００のアーチ状面１１１１は第１の連結器１０４６のアーチ状面１０５１に接触する。
【０１９４】
ラッチ端部１１００のアーチ状面１１１１は、第１の連結器１０４６のアーチ状またはカム面１０５１のカムフォロワとして機能する。したがって、下肢支持部分１０２６が方向１０８６に上肢支持部分１０２４に対してほぼ同一平面の位置に回転されるとき、レバー表面１０９５がハウジング１０９６の表面１０９７から離間するように、またレバースプリング１０９４がさらに圧縮されるように、ラッチ端部１１００のカムフォロワ面１１１１は、第１の連結器１０４６のカム面１０５１と接触して、レバー１０９２を時計回り方向１１０３で支点１１０２を中心として回転させる。
【０１９５】
下肢支持部分１０２６が上肢支持部分１０２４に対してほぼ平行であるとき、レバー１０９２のラッチ端部１１００が、第１の連結器１０４６の凹部１０４１にスナップ嵌合するかまたはその中に移動して、下肢支持部分１０２６を上肢支持部分１０２４にロックするように、カムフォロワ面１１１１の第１の端部１１１３は移動して、カム面１０５１の第１の端部１１１５を通過する。ラッチ端部１１００は、支点１１０２を中心とする方向１１０１でのレバースプリング１０９４によるレバー１０９２の付勢のため、凹部１０４１内に移動する。
【０１９６】
脚部支持部分連結器１０４０はまた、図５２と図５３に示されるように上肢支持部分１０２４に対する手術台頂部１０１６の下肢支持部分１０２６の回転を可能にするように構成される。脚部分連結器１０４０は、下肢支持部分１０２６が上肢支持部分１０２４に連結されている間に、使用者が上肢支持部分１０２４に対して下肢支持部分１０２６を回動させることを可能にする。下肢支持部分１０２６は、上肢支持部分１０２４に対して第１のまたはほぼ同一平面の位置と、上肢支持部分１０２４に対して９０°の角度にある第２の位置との間で回動可能である。
【０１９７】
第１の連結器１０４６と第２の連結器１０５８との相互ロック、及び凹部１０４１内の保持器１０５２の確実なロックは、図５２に示されるように、脚部支持部分が上肢支持部分１０２４とほぼ同一平面にある場合に、及び図５３に示されるように、下肢支持部分１０２６が上肢支持部分１０２４に対して９０°回転された場合に、及び図５２と図５３との間の位置において、上肢支持部分１０２４に対する下肢支持部分１０２６の連結を維持する。第１の連結器１０４６の相互作用部１０５６は、第２の連結器１０５８の相互作用部またはローブ１０６０と、保持器１０５２とによって、第２の連結器１０５８の凹みまたは相互作用部１０６２内に捕捉または保持される。下肢支持部分１０２６が上肢支持部分１０２４に対しほぼ同一平面であるとき、相互作用部１０５６と相互作用部１０６０、１０６２との相互ロック、及び当接面１０５５に対するストッパ１０５４の当接は、上肢支持部分１０２４に対する下肢支持部分１０２６のほぼ同一平面の位置を維持し、保持器１０５２が、下肢支持部分１０２６を上肢支持部分１０２４にロックする。下肢支持部分１０２６が回動部材１１９６の回転に起因して上肢支持部分１０２４に対し９０°下方に回転されるとき、相互作用部１０６０と保持器１０５２とによる相互作用部１０５６の保持は、回動部材１１９６に対する下肢支持部分１０２６の位置を維持する。
【０１９８】
図５２を参照すると、下肢支持部分１０２６を上肢支持部分１０２４から取り外すため、治療者は、レバー１０９２のハンドル端部１０９８を方向１１２２に上方に押して、ロック位置からロック解除位置に保持器１０５２を移動させる。治療者によって加えられる力に応答して、レバー１０９２のラッチ端部１１００が第１の連結器１０４６の凹部１０４１から取り外されるように、レバー１０９２は時計回り方向１１０３に支点１１０２を中心に回転する。レバー１０９２のラッチ端部１１００が、第１の連結器１０４６の凹部１０４１から取り外されると、治療者は、ポケット１０４８内に配置される第２の連結器１０５８の表面１０６１は別として、第１の連結器１０４６と第２の連結器１０５８との相互ロック面が離間されるように、下肢支持部分１０２６を上肢支持部分１０２４に対して時計回り方向１０８８に回転させる。第１の連結器１０４６と第２の連結器１０５８との相互ロック面が離間されるとき、第２の連結器１０５８の表面１０６１がポケット１０４８から取り外されるように、下肢支持部分１０２６が上げられる。第２の連結器１０５８の表面１０６１がポケット１０４８から取り外されると、治療者は、下肢支持部分１０２６を上肢支持部分１０２４から取り外すことができる。
【０１９９】
前述されまた図５４に示されるように、下肢支持部分１０２６の脚部支持プレート１０３８は、下肢支持部分１０２６及び手術台頂部１０１６の全長の伸長または短縮を可能にする伸長可能な支持体である。下肢支持部分１０２６の支持プレート１０３８は、固定支持プレート１１３３と移動可能な脚部支持プレート１１３０とを含む。脚部支持プレート１０３８の長さを増すために、移動可能な脚部支持プレート１１３０は、固定支持プレート１１３３から方向１１２４に引き離される。脚部支持プレート１０３８の長さを短くするために、移動可能な脚部支持プレート１１３０は、固定支持プレート１１３３に向かって方向１１２６に押される。
【０２００】
治療者が把持して、脚部支持プレート１１３０を脚部支持プレート１１３３に対して方向１１２４、１１２６に移動させるのを補助するためのハンドル１２２２が設けられる。移動可能な脚部支持プレート１１３０は、脚部分フレーム１０２７の部分に形成された、離間したガイドトラックまたはチャネル１１３２によって受容されるように構成される。ガイドトラック１１３２は、移動可能な脚部支持プレート１１３０の方向１１２４と１１２６での移動を促進する。代替的実施態様では、ガイドトラックは低摩擦材料で被覆されることが可能であり、あるいは玉軸受がガイドレールと移動可能な支持プレートとの間に間挿されてもよい。
【０２０１】
移動可能な脚部支持体１１３０及び固定脚部支持体１１３３の構造は、脚部支持体１１３０が方向１１２４、１１２６に移動されるときに、移動可能な脚部支持体１１３０及び固定脚部支持体１１３３が隣接支持面を提供するように構成される。図５４に示されるように、固定支持プレート１１３３は、移動可能な脚部支持体１１３０に形成された凹部１１３９に受容される中央タブ１１３７を含む。移動可能な脚部支持体１１３０及び固定脚部支持体１１３３は、トラックまたはジョイント１１３５に可動に接合される。ジョイント１１３５は、一実施態様ではラップジョイントである。代替的実施態様では、ジョイントはさねはぎジョイントまたは追加の適切なジョイントである。
【０２０２】
脚部伸長連結器または位置ホルダ１０４２は、移動可能な脚部支持体１１３０の位置を固定するために設けられる。脚部伸長連結器１０４２は、移動可能な脚部支持プレート１１３０と相互作用して、脚部支持プレート１１３０の位置を固定する。図５４に示されるように、脚部支持プレート１１３０は、ガイドトラック１１３２上で方向１１２４、１１２６に滑動して、下肢支持部分１０２６と手術台装置１０００との全長を所望のとおりに変更することを可能にする。脚部伸長連結器１０４２は、種々の位置の間に移動されていない場合に、脚部支持プレート１１３０の位置を固定するように構成される。
【０２０３】
図示した好ましい実施態様では、脚部伸長連結器１０４２はトルク制限ボルト１１３４である。連結器が締め付けられるときに過大なトルクが連結器に加えられるならば、治療者は、連結器を後で緩めることができない可能性がある。したがって、トルク制限ボルト１１３４が設けられ、その結果、他の方法では打ち勝つことが困難であり得る過大なトルクが加えられることがない。トルク制限ボルト１１３４は、図８と図９に関連して前述された本発明の開示の第１の実施態様のトルク制限ボルト１３４と実質的に同一である。本発明の開示の代替的実施態様によれば、トルク制限のない連結器が設けられる。
【０２０４】
トルク制限ボルト１１３４は、図５５に示されるように、下肢支持部分１０２６のねじ付き孔１１８２にねじ込み式に係合する。トルク制限ボルト１１３４は、ねじ付き孔１１８２を形成するねじ付き円筒状壁部１１８４の長さよりも長いねじ部分１１６６を含み、その結果トルク制限ボルト１１３４がねじ付き孔１１８２内に方向１１２８に完全に前進されたとき、ねじ付き部分１１６６の第２の端部１１８０がねじ付き孔１１８２を通り過ぎて突出して、脚部支持プレート１１３０に当接する。
【０２０５】
トルク制限ボルト１１３４の第２の端部１１８０がねじ付き孔１１８２から突出して、脚部支持プレート１１３０の下面１２１２に当接するとき、トルク制限ボルト１１３４の第２の端部１１８０は、ガイドトラック１１３２に対して脚部支持プレート１１３０の位置を固定する。トルク制限ボルト１１３４の第２の端部１１８０が、ボルト１１３４と脚部支持プレート１１３０との間の十分な力を緩和するのに十分な程に、方向１１３１に戻し出されるとき、例えば、ボルト１１３４が脚部支持プレート１１３０から離間されるとき、脚部支持プレート１１３０は、下肢支持部分１０２６のガイドトラック１１３２内で水平に、方向１１２４、１０８６に滑動することが可能である。
【０２０６】
脚部支持プレート１１３０が方向１１２４に移動できる程度は、ストッパ１２００によって制限される。図５４を参照すると、ストッパまたはリミット１２００は、ねじ部１２０４と頭部１２０６とを有する止めねじ１２０２である。ねじ部１２０４は、ねじ１２０２がねじ付き開口部１２０８内で完全に前進させられたとき、ねじ１２０２のねじ部１２０４の一部分が脚部支持フレーム１０２６の頂面１２０９の上に延在するように、下肢支持部分１０２６のねじ付き開口部１２０８にねじ込まれる。ねじ１２０２は、工具を受容するように構成された、頭部１２０６内の凹部１２１０と工具（図示せず）を係合することによって、ねじ付き開口部１２０８にねじ込まれる。代替的実施態様では、ストッパは、脚部支持フレーム内の開口部に受容されるピンであるか、あるいは脚部支持フレームの頂面の上方に延びる戻り止めまたは突出部である。
【０２０７】
脚部支持プレート１１３０の下面１２１２は、脚部支持プレート１１３０が脚部分フレーム１０２７に対して移動されるとき、脚部支持フレーム１０２７の頂面１２０９上を概ね滑動する。ストッパ１２００がねじ付き開口部１２０８内に完全に前進したときに、ストッパ１２００を受容するために、凹部またはチャネル１２１４が、脚部支持プレート１１３０に配置される。凹部１２１４は底面１２１６と第１の停止面１２１８とを含む。脚部支持プレート１１３０が方向１１２４に移動されるとき、ストッパ１２００と凹部１２１４の停止面１２１８との間の距離が小さくなる。ストッパ１２００が停止面１２１８に接触するとき、脚部支持プレート１１３０の、方向１１２４へのさらなる移動が防止される。脚部支持プレート１１３０が方向１１２６に移動されるときに脚部支持プレート１１３０の移動範囲を制限するために、第２の停止面１２２０も用意される。
【０２０８】
手術台頂部１０１６の頭部支持部分１０１８は、上胴支持部分１０２０に取り外し可能に連結される。本発明の開示の代替的実施態様によれば、頭部支持部分は上胴支持部分に対して取り外し可能ではなく、他の方法でフレームの上胴支持部分に連結される。
【０２０９】
頭部支持プレート１０１０は、第１の位置ホルダ２２００と第２の位置ホルダ２６００の操作によって上胴支持部分１０２０に対して位置決め可能である。以下により詳細に説明するように、第１の位置ホルダ２２００と第２の位置ホルダ２６００は、互いに独立して機能し、頭部支持プレート１０１０、したがって患者の頭部をいろいろな位置に配置できる。
【０２１０】
図示した実施態様では、第１の位置ホルダ２２００は、上胴支持部分１０２０に対する頭部支持プレート１０１０の高さ調整を第１の位置範囲内で可能にする。さらに、第２の位置範囲内で、第１の位置ホルダ２２００は、上胴支持部分１０２０に対する頭部支持プレート１０１０の高さ及び角度の両方の調整を可能にする。第１の及び第２の位置範囲は好ましくは排他的である。好ましい実施態様では、頭部支持プレート１０１０が上胴支持部分１０２０の下方に７６．２ｍｍ（３．０ｉｎ）と上方に７６．２ｍｍ（３．０ｉｎ）の間にあるすべての位置を第１の位置範囲が含む。
【０２１１】
第２の位置ホルダ２６００は、第１の及び第２の位置範囲内にあるとき、上胴支持部分１０２０に対する頭部支持プレート１０１０の角度を調整する。好ましい実施態様では、第２の位置ホルダ２６００は、頭部支持プレート１０１０の角度調整を３０°の範囲で許容する。
【０２１２】
図５６及び図５８〜図６０は、第１の位置ホルダ２２００によって許容される頭部支持プレート１０１０の四つの例示的な位置を示している。図５６を参照すると、頭部支持プレート１０１０の頂面２０１３は、上胴支持部分１０２０の頂面２０１１とほぼ同一平面である。図５８を参照すると、頭部支持プレート１０１０の頂面２０１３は、上胴支持体１０２０の頂面２０１１に対しほぼ平行であり、また頭部支持プレート１０１０は上胴支持部分１０２０に対して高くされる。図５９を参照すると、頭部支持プレート１０１０の頂面２０１３は、上胴支持体１０２０の頂面２０１１に対しほぼ平行であり、また頭部支持プレート１０１０は上胴支持部分１０２０に対して低くされる。図６０を参照すると、頭部支持プレート１０１０は、頭部支持部分１０１８を格納するために上胴支持部分１０２０の下に格納または押し込まれる。
【０２１３】
図５６、図５８、図５９に示した位置は、頭部支持プレート１０１０の高さのみが、第１の位置ホルダ２２００によって実質的に変更されるので、頭部支持プレート１０１０の第１の位置範囲内の例示的な位置である。図６０に示した格納位置は、頭部支持プレート１０１０の高さ及び角度の両方が実質的に変更されるので、頭部支持プレート１０１０の第２の位置範囲内の例示的な位置である。
【０２１４】
例示的な実施態様では、第１のリンクセット２００５と第２のリンクセット２００９とを有する四棒リンク機構２００７が用意される。リンクセット２００５、２００９の各々は、四つのリンクから成る閉ループリンク機構である。リンクセット２００５、２００９は、頭部支持プレート１０１０が、図５６、図５８、図５９に示した例示的な位置のような第１の位置範囲内の様々な位置に配置されるとき、頭部支持プレート１０１０と上胴支持部分１０２０との間の平行関係を実質的に維持するように構成される。さらに、リンクセット２００５、２００９は、図６０に示した格納または押し込み位置のような第２の位置範囲内の様々な実質的に非平行な位置に頭部支持プレート１０１０を配置するように構成される。
【０２１５】
第１の位置ホルダ２２００は、リンク機構２００７の配向を維持することによって、頭部支持プレート１０１０の位置を維持するように構成される。第１の位置ホルダ２２００はロック位置とロック解除位置との間で移動可能である。
【０２１６】
例示的な実施態様では、第２の位置ホルダ２６００は、リンク機構２００７に対する頭部支持プレート１０１０の角度配向の調整を可能にする図７３〜図７５に示したギヤセット２６０３を含む。頭部支持プレート１０１０は、頭部支持プレート１０１０が上胴支持部分１０２０に対しほぼ平行であるか、あるいは上胴支持部分１０２０に対して傾けられるように、第２の位置ホルダ２６００によって位置決め可能である。
【０２１７】
さらに、頭部支持部分１０１８は、頭部支持体２８００と共に動作するように構成される、図７６参照。頭部支持体２８００は、患者が手術台装置１０００でうつ伏せ姿勢にあるときに患者の頭部を受容するように、また患者の顔へのアクセスを可能にするように構成される。
【０２１８】
図６１と図６２を参照すると、頭部支持部分１０１８は、リンク機構２００７をフレーム１０３２の上胴支持フレーム１０２１に連結する第１の及び第２の取付けロッドまたは連結器２１００、２１０２を含む。取付けロッド２１００、２１０２の第１の端部２１０４、２１０６は、手術台頂部１０１６のフレーム１０３２の上胴支持フレーム１０２１の連結器（図示せず）によって受容され、頭部支持部分１０１８を上胴支持部分１０２０に連結する。取付けロッド２１００、２１０２の第２の端部２１０８、２１１０は、リンク機構２００７に連結される。
【０２１９】
第１の及び第２のリンクセット２００５、２００９は、取付けロッド２１００、２１０２の第２の端部２１０８、２１１０にそれぞれ連結される第１のリンク２２０２、２２０４を含む。さらに、第１の及び第２のリンクセット２００５、２００９は、ジョイント２２０７、２２０９において第１のリンク２２０２、２２０４に回動可能に連結される第２のリンク２２０６、２２０８と、ジョイント２２１５、２２１７において第２のリンク２２０６、２２０８に回動可能に連結される第３のリンク２２１４、２２１６とを含む。さらに、第１の及び第２のリンクセット２００５、２００９は、ジョイント２２０３、２２０５において第３のリンク２２１４、２２１６に、またジョイント２２１１、２２１３において第１のリンク２２０２、２２０４に回動可能に連結される第４のリンク２２１０、２２１２を含む。
【０２２０】
頭部支持部分１０１８は、第２のリンク２２０６、２２０８の第１の端部２２２０，２２２２において頭部支持プレート１０１０をリンク機構２００７にそれぞれ連結する一対のプレート装着部２２１８、２２１９を含む。例示的な実施態様では、プレート装着部２２１８、２２１９は、締結具２２２８、２２３０、２２３２、２２３４を受容するように構成されるアパーチャ２２３６、２２３８、２２４０、２２４２を含む。締結具２２２８、２２３０、２２３２、２２３４は、頭部支持プレート１０１０の第１の及び第２の端部２２２４、２２２６をプレート装着部１２１８、１２１９に連結する。アパーチャ２２３６、２２３８は装着部２２１８の頂面２２３９に形成され、アパーチャ２２４０、２２４２は装着部２２１９の頂面２２４１に形成される。代替的実施態様では、頭部支持プレートは溶接によってまたは接着剤を用いて装着部に連結されるか、あるいは装着部と一体形成される。
【０２２１】
第１のリンクセット２００５と第２のリンクセット２００９との同調運動のため、第４のリンク２２１０、２２１２は、図６２に示したようなスタビライザまたは横材２２４４によって共に連結される。第１のリンクセット２００５の第４のリンク２２１０が治療者によって移動されると、第２のリンクセット２００９の第４のリンク２２１２は、第４のリンク２２１０と共に移動する。横材２２４４は、頭部支持プレート１０１０の第１の端部２２２４が、頭部支持プレート１０１０の第２の端部２２２６よりも高くなるか、あるいは低くなることを防止する。したがって、頭部支持プレート１０１０は、頭部支持プレート１０１０が移動されるときに横断方向２２２５に沿って傾斜しない、図６１参照。
【０２２２】
頭部支持プレート１０１０は、第１の及び第２のリンクセット２００５、２００９の構造の故に、頭部支持プレート１０１０が第１の位置範囲内で移動されるときに上胴支持部分１０２０に対しほぼ平行に留まる。例示的実施態様では、リンクセット２００５、２００９のリンク２２０２、２２０４、２２０６、２２０８、２２１０、２２１２、２２１４、２２１６の相互接続は、第１のリンクセット２２０５のジョイント２２０３、２２１５がほぼ垂直に整列され、第２のリンクセット２００９のジョイント２２０５、２２１７がほぼ垂直に整列されるように構成される。
【０２２３】
この構造は、頭部支持プレート１０１０がほぼ水平に留まるように、第３のリンク２２１４、２２１６をほぼ垂直の配向に維持する。例えば、頭部支持プレート１０１０が図５９に示される下降位置に移動されるとき、第４のリンク２２１０、２２１２は方向２３２６に下方に回転し、第３のリンク２２１４、２２１６は、第３のリンク２２１４、２２１６と第２のリンク２２０６、２２０８との接続の故に、第４のリンク２２１０、２２１２に対して方向２３２６とほぼ反対の方向２２２３に回転する。この相対運動は、第４及び第２のリンク２２１０、２２１２、２２０６、２２０８が下方に回転するとき、第３のリンク２２１４、２２１６をほぼ垂直の配向に維持する。かくして、頭部支持プレート２０１０の高さが低くされるが、頭部支持プレート２０１０の角度はほぼ一定に留まる。
【０２２４】
他の実施例では、頭部支持プレート１０１０が図５８に示される上昇位置に移動されるとき、第４のリンク２２１０、２２１２は方向２３２８に上方に回転し、第３のリンク２２１２、２２１４は、第３のリンク２２１４、２２１６と第２のリンク２２０６、２２０８との接続の故に、第４のリンク２２１０、２２１２に対して方向２３２８と反対の方向２２２１に回転する。したがって、リンク機構２００７の相互接続は第４のリンク２２１０、２２１２の回転に対抗して、ジョイント２２０３、２２１５及びジョイント２２０５、２２１７がほぼ垂直に整列維持されるように、第３のリンク２２１４、２２１６をほぼ垂直の配向に維持する。
【０２２５】
リンク機構２００７のジョイント２２０３、２２０５、２２０７、２２０９、２２１１、２２１３、２２１５、２２１７は、対応するリンク２２０２、２２０４、２２０６、２２０８、２２１０、２２１２、２２１４、２２１６の間の回転を可能にするように構成される。第１の位置ホルダ２２００の位置、したがってリンク機構２００７の配向は、リンク２２０２、２２０４、２２０６、２２０８、２２１０、２２１２、２２１４、２２１６から選択された二つのリンクの配向をロックすることによって維持され、リンク機構２００７の残部を結合する。リンク機構２００７の第１の及び第２のリンクセット２００５、２００９の各々は、横材２２４４によって共に連結される閉ループリンク機構であるので、ジョイント２２０３、２２０５、２２０７、２２０９、２２１１、２２１３、２２１５、２２１７の一つをロックすることが、リンク機構２００７全体を結合またはロックする。
【０２２６】
図６３を参照すると、位置ホルダ２２００は、第４のリンク２２１０に連結された支持体２２５０と、キー部材２２５２、２２５４、２２５６、２２５８を有する第１の連結またはロック部材２２５１と、第１のシールリング２２６０と、第１のリンク２２０２に形成された第２の連結またはロック部材２２６２と、第２のシールリング２２６４と、カム２２６６と、締結具２２６８と、第４のリンク２２１０に連結されたストッパ２２７０とを含む。支持体２２５０は、第１のリンク２２０２の開口部２２６１によって受容される。第１のリンク２２０２の開口部２２６１は、支持体２２５０の外径２２８０よりも大きな直径を有する表面２２８１によって形成される。さらに、支持体２２５０は、キー部材２２５２、２２５４、２２５６、２２５８を受容するように寸法決めされるスロットまたは開口部２２７２、２２７４、２２７６、２２７８を含む。
【０２２７】
四つのキー部材２２５２、２２５４、２２５６、２２５８が図６３〜図６５に示されている。本発明の開示の代替的実施態様によれば、他の数量のキー部材が用意される。例えば、いくつかの実施態様によれば、ロックジョイントは、一つのみのキー部材、二つのキー部材、三つのキー部材、または他の追加の数のキー部材を含む。
【０２２８】
第１のロック部材２２５１のキー部材２２５２、２２５４、２２５６、２２５８は、第２のロック部材２２６２と相互作用して、第１のリンク２２０２の配向及び第４のリンク２２１０の配向をロックする。第２のロック部材２２６２は、第１のリンク２２０２の開口部２２６１に配置され、また第１のキー部材２２５２、２２５４、２２５６、２２５８を受容するように構成された複数の切れ込みまたはキー溝２２７４を含む。キー溝２２７４は内径２２８１の周りに均等に間隔を置かれている。好ましい実施態様では、キー部材２２５２、２２５４、２２５６、２２５８は円筒状であり、またキー溝２２７４は、キー溝２２７４の曲率が、キー部材２２５２、２２５４、２２５６、２２５８の曲率に概ね等しいように湾曲している。代替的実施態様では、キー溝はくさび状であるかまたは他の形状に形を与えられ、またキーは、キー溝によって受容されるように構成された、対応するくさびまたは他の形状に形を与えられた部分を有する。キー２２５２、２２５４、２２５６、２２５８及び対応するキー溝２２７４の直径は、第１のリンク２２０２に対する第４のリンク２２１０の角度位置を指定する。好ましい実施態様によれば、第４のリンク２２１０は、第１のリンク２２０２に対して１０度の増分で位置決め可能である。
【０２２９】
第１の位置ホルダ２２００は、図６５に示されるように、キー部材２２５２、２２５４、２２５６、２２５８がキー溝２２７４に配置されているときにロック位置にあり、また図６４に示されるようにキー部材２２５２、２２５４、２２５６、２２５８がキー溝２２７４内に配置されていないときにロック解除位置にある。カム２２６６の操作により、キー部材２２５２、２２５４、２２５６、２２５８は、キー溝２２７４の中にまたそれから移動される。
【０２３０】
カム２２６６は、キー部材２２５２、２２５４、２２５６、２２５８を受容するように構成されたポケット２２７６、２２７８、２２８０、２２８２をそれぞれ含む。ポケット２２７６、２２７８、２２８０、２２８２の各々は、第１の表面２２９０、２２９２、２２９４、２２９６とカム面２２９８、２３００、２３０２、２３０４とをそれぞれ含む。好ましい実施態様では、第１の表面２２９０、２２９２、２２９４、２２９６はアーチ状である。表面２２９０、２２９２、２２９４、２２９６が支持体２２５０のスロット２２７２、２２７４、２２７６、２２７８と整列されると、ポケット２２７６、２２７８、２２８０、２２８２は、キー部材２２５２、２２５４、２２５６、２２５８を受容するためのクリアランスを提供し、また第４のリンク２２１０が第１のリンク２２０２に対して移動可能であるように、位置ホルダ２２００はロック解除位置にある、図６４参照。ポケット２２７６、２２７８、２２８０、２２８２が、スロット２２７２、２２７４、２２７６、２２７８との整列位置から移動されると、キー部材２２５２、２２５４、２２５６、２２５８は外側に移動されてキー溝２２７４に接触し、また第４のリンク２２１０が第１のリンク２２０２に対して移動できないように、位置ホルダ２２００はロック位置にある、図６５参照。
【０２３１】
第１の位置ホルダ２２００は次の方法で組み立てられる。シールリング２２６０が、支持体２２５０と第２のロック部材２２６２との間に間挿される。支持体２２５０は、シールリング２２６０が支持体２２５０の表面２３０６と第１のリンク２２０２の表面２３０８とに接触するように、第１のリンク２２０２の開口部２２６１に挿入される。シールリング２２６０は、ジョイント２２１１内へのほこりと流体の取り込みを防止する。好ましい実施態様では、シールリング２２６０は、ロックジョイント２２１１の内部からの潤滑油（図示せず）の放出をさらに防止する。次に、第１のキー部材２２５２、２２５４、２２５６、２２５８が、それぞれ、支持体２２５０のスロットまたは開口部２２７２、２２７４、２２７６、２２７８内に配置される。次に、ストッパ２２７０が支持体２２５０の凹部２２８６内に配置される。
【０２３２】
シールリング２２６４は、シールリング２２６４がカム２２６６の表面２３１４と第１のリンク２２０２の表面（図示せず）とに接触するように、第１のリンク２２０２とカム２２６６との間に間挿される。シールリング２２６４は、ジョイント２２１１内へのほこりと水分の取り込みを防止する。好ましい実施態様では、シールリング２２６４は、ロックジョイント２２１１の内部からの潤滑油（図示せず）の放出をさらに防止する。
【０２３３】
カム２２６６は、ストッパ２２７０が、カム２２６６の前面２３１２に形成された凹部２３１０内に配置されるように、表面２２８３によって形成される支持体２２５０の凹部２２７９内に配置される。凹部２３１０は、カム２２６６が支持体２２５０に対し回転可能であるように細長い。しかし、支持体２２５０に対するカム２２６６の回転量は、細長い凹部２３１０の長さによって制限される。したがって、ストッパ２２７０が凹部２３１０の第１の端面２３１１または凹部２３１０の第２の端面２３１３に接触するときはいつも、支持体２２５０に対するカム２２６６のさらなる回転が防止される。好ましい実施態様では、凹部２３１０は、支持体２２５０に対するカム２２６６の回転を可能にするように寸法決めされ、この結果、位置ホルダ２２００は図６５に示されるロック位置と図６４に示されるロック解除位置との間で移動可能である。
【０２３４】
締結具２２６８は、カム２２６６の中心孔２２８５を通過させられて、支持体２２５０に連結される。締結具２２６８は、支持体２２５０に対するカム２２６６の回転を可能にするように構成される。
【０２３５】
好ましい実施態様では、締結具２２６８は、支持体２２５０の表面２２８８に形成されたねじ付きアパーチャ２３１８内にねじ込まれるねじ部２３１６を含む。締結具２２６８は、カム２２６６の中心孔２２８５の直径にほぼ等しい外径を有する肩部２３２０をさらに含んでおり、肩部２３２０が、締結具２２６８に対するカム２２６６の半径方向の移動を防止するようになっている。
【０２３６】
上述のように、位置ホルダ２２００は、位置ホルダ２２００がロック解除位置にあるときに第１のリンク２２０２に対する第４のリンク２２１０の回転を可能にし、図６４参照、また位置ホルダ２２００がロック位置にあるときに第４のリンク２２１０を第１のリンク２２０２にロックする、図６５参照。位置ホルダ２２００がロック解除位置にあるとき、使用者は、第４のリンク２２１０を方向２３２６または方向２３２８で第１のリンク２２０２に対して回転させることが可能である。位置ホルダ２２００がロック位置にあるとき、カム２２６６によるキー部材２２５２、２２５４、２２５６、２２５８のキー溝２２７４内への進入の故に、第１のリンク２２０２に対する第４のリンク２２１０の方向２３２６、２３２８への回転が阻止される。
【０２３７】
ロック解除位置にあるとき、カム２２６６のポケット２２７６、２２７８、２２８０、２２８２は、前述のようにキー部材２２５２、２２５４、２２５６、２２５８と整列される。キー部材２２５２、２２５４、２２５６、２２５８は、ポケット２２７６、２２７８、２２８０、２２８２によって受容されることができ、この結果、キー部材２２５２、２２５４、２２５６、２２５８は第２のロック部材２２６２のキー溝２２７４に干渉しない。図６４に示されるように、位置ホルダ２２１１がロック解除位置にあるとき、キー部材２２５２、２２５４、２２５６、２２５８は支持体２２５０の外径２２８０の内部に配置される。
【０２３８】
ポケット２２８２が整列されるときでも、重力のため、キー部材２２５８はポケット２２８２内に配置されない。しかし、第１のリンク２２０２に対して方向２３２６または方向２３２８に第４のリンク２２１０が移動されると、キー部材２２５８はキー溝２２７４の隆起部分によってポケット２２８２内に押し上げられる。
【０２３９】
図６５を参照すると、ロック位置において、カム２２６６のポケット２２７６、２２７８、２２８０、２２８２は、キー部材２２５２、２２５４、２２５６、２２５８と整列されない。キー部材２２５２、２２５４、２２５６、２２５８は、カム２２６６の外径２２８４によって、代表的なキー溝２２７４ａ、２２７４ｂ、２２７４ｃ、２２７４ｄとそれぞれ接触保持される。支持体２２５０のスロット２２７２、２２７４、２２７６、２２７８内のキー部材２２５２、２２５４、２２５６、２２５８の保持、及びキー部材２２５２、２２５４、２２５６、２２５８とキー溝２２７４ａ、２２７４ｂ、２２７４ｃ、２２７４ｄとの間の接触は、第１のリンク２２０２に対する方向２３２６、２３２８での第４のリンク２２１０の回転を防止する。
【０２４０】
位置ホルダは、支持体２２５０に対するカム２２６６の移動の故に、ロック位置からロック解除位置に移動される。キー部材２２５２、２２５４、２２５６、２２５８は、カム２２６６が回転されるとき、カム面２２９８、２３００、２２０７、２３０４を上または下にそれぞれ移動させる。
【０２４１】
図６２に示したムーバ２５５０は、カム２２６６を支持体２２５０に対して回転させる。好ましい実施態様では、ムーバ２５５０は第１の端部２５５４と第２の端部２５５６とを有するロッド２５５２を含む。第１の端部２５５４は、締結具２５５８でカム２２６６に連結される。第２の端部２５５６は、第４のリンク２２１０に連結されたハウジング２５６０内に受容される。
【０２４２】
ロッド２５５２は、方向２５６２と方向２５６４に移動するように構成される。ばね（図示せず）が、ロッド２５５２を方向２５６２に付勢するために設けられる。ばねは、ハウジング２５６０内のロッド２５５２の端部２５５６を押圧して、付勢を付与する。方向２５６２にロッド２５５２に加えられた付勢力は、位置ホルダ２２００が図６５に示したロック位置に押しやられるように、カム２２６６を付勢する。
【０２４３】
ロッド２５５２を方向２５６４に移動させることによって、位置ホルダ２２００は、図６５に示したロック位置から図６４に示したロック解除位置に移動される。ハンドル、グリップ、またはレバー２５６６が第２の端部２５５６に近接するロッド２５５２に取り付けられ、ロッド２５５２の方向２５６４での移動を補助する。治療者は、手のひらを横材２２４４に置き、指をハンドル２５６６に置き、またハンドル２５６６を横材２２４４の方に引くことによって、ロッド２５５２を方向２５６４に移動させる。ロッド２５５２のこの移動は、カム２２６６を図６４に示した位置に回転させて、キー部材２２５２、２２５４、２２５６、２２５８が前述したようにキー溝２２７４から外に移動するのを許容する。
【０２４４】
代替的実施態様では、カムはモータに連結される。モータは、入力信号に応答してカムをロック位置とロック解除位置との間で回転させる。一実施態様では、入力信号はプロセッサによって生成される。さらなる代替的実施態様では、入力信号は、スイッチを閉じることまたはボタンを押すことによって生成される。
【０２４５】
図５８と図６２に戻ると、治療者が上昇位置に頭部支持プレート１０１０を移動させようとする場合、治療者は、ムーバ２２５０のハンドル２５６６を方向２５６４に引き、これによって、位置ホルダ２２００をロック解除位置に配置する。次に、治療者は、第１のリンク２２０２、２２０４に対して第４のリンク２２１０、２２１２を方向２３２８に回転させて、所望の位置にあるときに頭部支持プレート１０１０が手術台頂部１０１６の残りの支持部分に対して上方に方向２０２８で移動され、使用者がハンドル２５６６を解放し、また位置ホルダ２２００がロック位置に移動されて戻されるようにする。頭部支持プレート１０１０の角度は、第２の位置ホルダ２６００を用いて調整することが可能である。第２の位置ホルダ２６００の操作は図７０〜図７２に概ね示され、以下に詳細に説明される。
【０２４６】
図５９と図６２を参照すると、治療者が頭部支持プレート１０１０を下降位置に移動させようとする場合、治療者は、ムーバ２２５０のハンドル２５６６を方向２５６４に引き、これによって、位置ホルダ２２００をロック解除位置に配置する。治療者は、第１のリンク２２０２、２２０４に対して第４のリンク２２１０、２２１２を方向２３２６に回転させ、その結果頭部支持プレート１０１０が手術台頂部１０１６の残りの支持部分に対して下方に方向２０３０で移動される。治療者は、位置ホルダ２２００がロック位置に移動して戻るようにハンドル２５６６を解放する。
【０２４７】
図６０と図６２を参照すると、治療者が頭部支持部分１０１８を格納しようとする場合、頭部支持部分１０１８は、フレーム１０３２の上胴支持部分１０２０の下の格納または押し込み位置に移動される。頭部支持部分１０１８を格納または押し込み位置に移動させるために、治療者は、ムーバ２２５０のハンドル２５６６を方向２５６４に引き、これによって、位置ホルダ２２００をロック解除位置に配置し、また頭部支持プレート１０１０が上胴支持部分１０２０の下に押し込まれるように、第１のリンク２２０２、２２０４に対して第４のリンク２２１０、２２１２を方向２３２６に回転させる。再び、ハンドル２２５６は解放され、位置ホルダ２２００をロック位置に移動させる。図５６及び図５８〜図６０における頭部支持部分１０１８の位置は、手術台頂部１０１６の残りの支持部分に対して頭部支持部分１０１８が調整されることができる多くの位置の単なる例に過ぎない。
【０２４８】
図６６を参照すると、代替的実施態様の位置ホルダ２４１１は、第４のリンク２２１０に連結された支持体２２５０に概ね同様の支持体２４５０と、キー部材２２５２、２２５４、２２５６、２２５８に概ね同様のキー部材２４５２、２４５４、２４５６、２４５８を有する第１の連結またはロック部材２４５１と、テンション部材またはばね２４６０と、第２の連結またはロック部材２２６２に概ね同様で第１のリンク２２０２内に形成された第２の連結またはロック部材２４６２と、保持器またはスナップリング２４６４と、カム２２６６に概ね同様のカム２４６６と、締結具２２６８に概ね同様の締結具２４６８と、ストッパ２２７０に概ね同様のストッパ２４７０とを含む。
【０２４９】
支持体２４５０は円筒状であり、キー部材２４５２、２４５４、２４５６，２４５８をそれぞれ受容するように寸法決めされるスロット２４７２、２４７４、２４７６、２４７８を含む。支持体２４５０は、第１のリンク２２０２の開口部２４６１によって受容される。第１のリンク２２０２の開口部２４６１は、表面２４８１によって形成される。
【０２５０】
第１のロック部材２４５１のキー部材２４５２、２４５４、２４５６、２４５８は、第２のロック部材２４６２と相互作用して、第１のリンク２２０２及び第４のリンク２２１０の配向をロックする。第２のロック部材２４６２は、第１のリンク２２０２の開口部２４６１に配置され、またキー部材２４５２、２４５４、２４５６、２４５８を受容するように構成された複数の切れ込みまたはキー溝２４７４を含む。
【０２５１】
キー部材２４５２、２４５４、２４５６、２４５８がキー溝２２７４に配置されると、位置ホルダ２４１１は図６８に示したロック位置にある。キー部材２４５２、２４５４、２４５６、２４５８は、カム２４６６によってキー溝２２７４に配置される。
【０２５２】
カム２４６６は、キー部材２４５２、２４５４、２４５６、２４５８をそれぞれ受容するように構成されたポケット２４７６、２４７８、２４８０、２４８２を含む。カム２４６６は、ばね２４６０の一部分を受容するように寸法決めされた凹部２４６７を含む。凹部２４６７は、ばね２４６０のコイル部分２４６１を受容するように構成された円形部分２４６９と、ばね２４６０の第２の端部２４６５を受容するように構成されたチャネル部２４７１とを含む。
【０２５３】
位置ホルダ２４１１は次の方法で組み立てられる。ばね２４６０は、ばね２４６０のコイル部分２４６１が凹部２４８７の円形部分２４８９に配置され、かつばね２４６０の第１の端部２４６３が凹部２４８７のチャネル部２４９１に配置されるように、支持体２４５０の凹部２４８７内に配置される。次に、支持体２４５０は第１のリンク２２０２の開口部２４６１に挿入される。キー部材２４５２、２４５４、２４５６、２４５８は、それぞれ、支持体２４５０のスロット２４７２、２４７４、２４７６、２４７８内に配置される。ストッパ２４７０は、支持体２４５０の凹部２４８６内に配置される。
【０２５４】
支持体２４５０は、スナップリングまたは保持器２４６４によって第１のリンク２２０２の開口部２４６１に維持される。スナップリング２４６４の一部は、支持体２４５０の外径２４８０の周辺凹部２４７３によって受容される。スナップリング２４６４が支持体２４５０の凹部２４７３に配置されると、開口部２４６１からの支持体２４５０の取り外しが防止される。
【０２５５】
カム２４６６は、カム２４６６の前面２４１２に形成された、カム２４６６の凹部２４１０内に、ストッパ２４７０が配置されるように、支持体２４５０の凹部内に配置される。凹部２４１０は、カム２４６６が支持体２４５０に対して回転するのを可能にするために細長い。しかし、支持体２４５０に対するカム２４６６の回転量は、細長い凹部２４１０のサイズによって制限される。したがって、ストッパ２４７０が凹部２４１０の第１の端面２４１１あるいは凹部２４１０の第２の端面２４１３に接触すると、支持体２４５０に対するカム２４６６のさらなる回転が防止される。凹部２４１０は、支持体２４５０に対するカム２４６６の回転を可能にするように寸法決めされ、この結果、位置ホルダ２４１１は図７８に示したロック位置と図７７に示したロック解除位置との間で移動可能である。
【０２５６】
締結具２４６８は、支持体２４５０に対するカム２４６６の回転を可能にする。締結具２４６８は、カム２４６６の中心孔２４８５を通過させられて、支持体２４５０に連結される。締結具２４６８は、支持体２４５０の表面２４８８に形成されたねじ付きアパーチャ２５１８内にねじ込まれるねじ部２５１６と、カム２４６６の中心孔２４８５の直径に概ね等しい外径を有する肩部２５２０とを含む。肩部２３２０は、カム２２６６が軸方向に移動することを防止する。
【０２５７】
上述のように、位置ホルダ２４１１は、位置ホルダ２４１１がロック解除位置にあるとき、第１のリンク２２０２に対する第４のリンク２２１０の回転を可能にし、図６７参照、また位置ホルダ２４１１がロック位置２５２４にあるときに第４のリンク２２１０を第１のリンク２２０２にロックする、図６８参照。位置ホルダ２４１１がロック解除位置にあるとき、使用者は、第４のリンク２２１０を第１のリンク２２０２に対して方向２５２６または方向２５２８に回転させることができる。位置ホルダ２４１１がロック位置にあるとき、キー部材２４５２、２４５４、２４５６、２４５８がカム２４６６によりキー溝２４７４内へ配置されるために、第４のリンク２２１０は第１のリンク２２０２に対する方向２５２６、２５２８への回転が防止される。
【０２５８】
ばね２４６０は、位置ホルダ２４１１をロック位置に向かって付勢する。位置ホルダ２４１１がロック位置にあるとき、ばね２４６０は緩んだ状態にある。位置ホルダ２４１１がロック解除位置にあるとき、ばね２４６０は、ばね２４６０の第１の端部２４６３に対するばね２４６０の第２の端部２４６５の移動の故に、巻かれた状態にある。ばね２４６０は、巻かれると、ばね２４６０の緩んだ状態に対応するロック解除位置に向かって位置ホルダ２４１１を押しやる。
【０２５９】
ロックジョイント２２１１に加えて、好ましい実施態様のリンク機構２００７は、抵抗性ジョイント２２１３をさらに含む。抵抗性ジョイントは、その対応するリンクの相対運動に対し抵抗を有するジョイントである。
【０２６０】
図６９を参照すると、リンク機構２００７の例示的な実施態様において、抵抗性ジョイント２２１３は、第４のリンク２２１２に連結された柱または支持体２３４０と、テンション部材２３４２と、座金２３４４と、保持器２３４６とを含む。テンション部材２３４２は、第１のリンク２２０４に対する第４のリンク２２１２の移動に対する抵抗性を高める。保持器２３４６と座金２３４４は協働して、第１のリンク２２０４に対する第４のリンク２２１２の移動に対抗する、テンション部材２３４２によって及ぼされる抵抗量を設定する。
【０２６１】
抵抗性ジョイント２２１３は次の方法で組み立てられる。支持体２３４０は、第１のリンク２２０４のアパーチャ２３４８を通して受容される。支持体２３４０の第１の部分２３５０は、第１のリンク２２０４に形成されたポケット２３５２内に延在する。第１のリンク２２０４のポケット２３５２は、第１の軸方向面２３５４と、第１のラジアル面２３５６と、第１の軸方向面２３５４と第１のラジアル面２３５６との間に間挿された斜面２３５８とを含む。
【０２６２】
好ましい実施態様では、テンション部材２３４２は、皿座金であり、またテンション部材２３４２の外側部分２３６８がポケット２３５２の斜面２３５８と接触するように、テンション部材２３４２に形成されたアパーチャ２３６６に配置された柱２３４０と共にポケット２３５２に配置される。テンション部材２３４２の中央部分２３７０はポケット２３５２の表面に接触しない。
【０２６３】
座金２３４４は、柱２３４０が座金２３４４に形成されたアパーチャ２３７２に配置され、かつ座金２３４４がテンション部材２３４２に接触するように配置される。保持器２３４６は、第１のリンク２２０４と第４のリンク２２１２が共に有効に連結されるように、テンション部材２３４２と座金２３４４との接触を維持し、またポケット２３５２の斜面２３５８とテンション部材２３４２との接触を維持する。さらに、保持器２３４６は、テンション部材２３４２によって第１のリンク２２０４に及ぼされる抵抗量を制御する。
【０２６４】
例示的な実施態様では、保持器２３４６はナット２３７４とピン２３７６とを含む。ナット２３７４は、柱２３４０のねじ部２３８０にねじ込まれるねじ付きアパーチャ２３７８を含む。ナット２３７４は、ピン２３７６を受容するための横断方向チャネル２３８２をさらに含む。柱２３４０は、ピン２３７６を受容するための横断方向チャネル２３８４を含む。支持体２３４０のチャネル２３８４とナット２３７４のチャネル２３８２とを貫通したピン２３７６の配置は、支持体２３４０に対するナット２３７４の回転を防止する。
【０２６５】
抵抗性ジョイント２２１３と関連して、第１のリンク２２０４に対して第４のリンク２２１２によって及ぼされる圧力量は、保持器２３４６によってテンション部材２３４２に及ぼされる力の量によって支配される。抵抗性を増すために、保持器２３４６は、さらに柱２３４０にねじ込まれて、テンション部材２３４２をさらに圧縮して、抵抗性を増す。第４のリンク２２１２によって第１のリンク２２０４に及ぼされる圧力が大きくなると、第１のリンク２２０４に対して第４のリンク２２１２を移動させるために必要な力は、それだけ大きくなる。代替的実施態様では、保持器は、前述のトルク限定ボルト１３４と同様のトルク制限ナットである。
【０２６６】
抵抗性ジョイント２２１３は、端部キャップ２３９０によって第１のリンク２２０４のポケット２３５２内に隠される。キャップ２３９０は湾曲面２３９４を有する連結器２３９２を含む。キャップ２３９０が第１のリング２２０４に連結されるように、キャップ２３９０の連結器２３９２はポケット２３５２内に形成された連結器２３６０によって受容される。
【０２６７】
前述のように、第２の位置ホルダ２６００は、頭部支持プレート装着部２２１８とリンク機構２００７との間の、したがって頭部支持プレート１０１０とリンク機構２００７との間の角度調整を可能にする。図７０〜図７４を参照すると、第３のリンク２２１４と装着部２２１８、したがって頭部支持プレート１０１０との間の角度は、ハンドル２６３２を回転させることによって調整され、装着部２２１８及び頭部支持プレート２２１８の回転をもたらす。
【０２６８】
図７０に示されるように、頭部パッド２０３４が、上胴支持部分１０２０に部分的に配置された胴体パッド２０３５に対してほぼ同一の平面の位置に支持される状態で、頭部支持部分１０１８が第１の水平位置に配置される。図７１を参照すると、頭部支持プレート１０１０は第１の斜めの位置に配置され、この位置において、頭部パッド２０３４は、第２の位置ホルダ２６００の調整に起因して胴体パッド２０３５の方に向かって傾いている。頭部支持プレート１０１０が第１の斜めの位置に配置されると、装着部２２１８は胴体パッド２０３５に向かって斜めにされる。図７２を参照すると、頭部支持プレート１０１０は第２の斜めの位置に配置され、この位置において、頭部パッド２０３４は、第２の位置ホルダ２６００の反対側への調整に起因して、胴体パッド２０３５から離れるように傾けられる。
【０２６９】
好ましい実施態様では、第２の位置ホルダ２６００は、ハンドル２６３２に連結された入力シャフト２６０２と、第１のシャフト２６０２に連結された第１のギヤ２６０４と第１のギヤ２６０４に可動に連結された第２のギヤ２６０６とを含むギヤセット２６０３と、第２のギヤ２６０６と装着部２２１８とに連結された出力シャフト２６０８と、ピン２６１０とを含む。第１のギヤ２６０４は好ましくはウォームギヤである。ウォームギヤ２６０４の回転軸線は第２のギヤ２６０６の回転軸線に対し垂直である。したがって、ウォームギヤ２６０４は、頭部支持プレート１０１０から出力シャフト２６０８に印加される外力に起因した、第２のギヤ２６０６の回転を阻止する。代替的実施態様では、入力部材はモータ（図示せず）によって回転される。モータは、プロセッサ（図示せず）またはスイッチ（図示せず）によって制御される。
【０２７０】
図７３を参照すると、第２の位置ホルダ２６００は次の方法で組み立てられる。第２の位置ホルダ２６００は、第３のリンク２２１４のポケット２６１２内に受容される。第３のリンク２２１４は、締結具２６１８、２６２０によって共に固定される第１の半部２６１４と第２の半部２６１６とを含む。第１のギヤ２６０４と入力シャフト２６０２の第１の部分２６２２とは、ポケット２６１２の第１の部分２６２４によって受容される。第２のギヤ２６０６は、ポケット２６１２の第２の部分２６２６によって受容され、また第２のギヤ２６０６の歯２６２８が第１のギヤ２６０４のねじ２６３０に係合するように配置される。ハンドル２６３２は、入力シャフト２６０２の第２の端部２６３４に固定され、入力シャフト２６０２を回転させるためのより大きな梃子の腕を使用者に提供する。
【０２７１】
出力シャフト２６０８は、装着部２２１８のアパーチャ２６３５によって受容される。出力シャフト２６０８は、出力シャフト２６０８内のアパーチャ２６３９内と装着部２２１８のアパーチャ２６３６内とに受容されるピン２６３７で装着部２２１８に連結される。さらに、出力シャフト２６０８は、ピン２６１０を受容するためのアパーチャ２６３８を含む。ピン２６１０は、装着部２２１８が出力シャフト２６０８に対して移動することを防止する。
【０２７２】
必要なときまたは望ましいとき、使用者は、第１の位置ホルダ２２００と共に第２の位置ホルダ２６００を使用することができる。例えば、第１の位置ホルダ２２００を使用して頭部支持プレート１０１０が下げられるとき、第２の位置ホルダ２６００を用いて、頭部支持プレート１０１０を支持面の残部に対して正確に平行な位置に配置して、下降時の頭部支持プレート１０１０の僅かな回転を補償することができる。さらに、リンク機構２００７が第１の配向範囲の中を移動するとき、第２の位置ホルダ２６００を用いて、実質的に非平行な位置に頭部支持プレート１０１０を配置することができる。
【０２７３】
患者２８０１が手術台装置上でうつ伏せ姿勢に配置されると、多くの場合患者の顔を観察できること及び患者の顔にアクセスできることが望ましいことである。図７６と図７７を参照すると、頭部支持体２８００が頭部支持部分１０１８に関連して示されている。頭部支持体２８００は、患者２８０１が手術台装置１０００上にうつ伏せの姿勢で横臥しているときに、患者の頭部２８０３を支持するために使用される。頭部支持体２８００は、第１の端部２８０４と第２の端部２８０６とを有する本体２８０２を含む。第１の端部２８０４は、患者２８０１の頭部２８０３を受容するように構成される。好ましい実施態様では、頭部支持体２８００は第１の部分２８０８と第２の部分２８１０とを含む。第１の部分２８０８は、プラスチックまたは高密度発泡体のような堅い材料から製造される。第２の部分２８１０は、より低い密度の発泡体のようなより軟質の材料から製造される。第１の部分２８０８の堅い特性は、本体２８０２の安定した高さ２８１２を提供し、また第２の部分２８１０の軟質の特性は、患者２８０１の頭部２８０３を休ませるための快適な表面を患者２８０１に提供する。
【０２７４】
頭部支持体２８００は、第１の端部２８０４から第２の端部２８０６に延在する開口部２８１４を含む。開口部２８１４は、頭部２８０３が第１の端部２８０４によって受容されるとき、患者２８０１の顔２８０７の部分が開口部２８１４を通して第２の端部２８０６から見えるように寸法決めされかつ形を与えられる。開口部２８１４は、患者２８０１の目、鼻及び口が開口部２８１４を通して見ることができるようにＴ字形であることが好ましい。代替的実施態様では、開口部は楕円形または他の形状である。
【０２７５】
頭部支持体２８００は、第２の端部２８０６が頭部支持プレート２８２０に配置されるように、頭部支持部分１０１８に配置される。頭部支持プレート２８２０は、それが少なくとも部分的に透明であることを除いて、頭部支持プレート１０１０に概ね同様である。頭部支持プレート２８２０の透明な特性は、開口部２８１４を通して見える患者２８０１の顔２８０７の部分が、頭部支持プレート２８２０を通して観察されることを可能にする。一実施態様では、頭部支持体２８００は、患者２８０１の顔２８０７へのアクセスを可能にする本体２８０２の第２の開口部２８２２を含む。開口部２８２２の例示的な用途は、患者２８０１への酸素配管を提供することである。頭部支持部分１０１８は、手術台装置１０００の残りの支持部分に対して下げることが可能であるので、患者２８０１の顔２８０７へのより優れたアクセスを可能にするために、頭部支持体２８００の高さ２８１２を大きくすることができる。
【０２７６】
図７７を参照すると、鏡２８３０は、頭部支持プレート２８２０の上方にまたは頭部支持プレート２８２０の側面に配置された観察者が患者２８０１の顔２８０７を観察し得るように、頭部支持プレート２８２０の下に配置される。鏡２８３０は、鏡２８２０の第１の端部２８３２に沿って頭部支持プレート２８２０に回動可能に連結されることが好ましい。連結器２８２４、２８２６は、鏡２８３０を頭部支持プレート２８２０に連結する。連結器２８２４、２８２６は、鏡２８３０が第１の端部２８３２の周りで回転することを可能にし、鏡２８３０を所望の観測位置に保持する。代替的実施態様では、鏡はフレームに固定される。他の代替的実施態様では、鏡は、頭部支持部分の下に配置されたスタンド（図示せず）に連結される。
【０２７７】
頭部支持体２８００は、頭部支持部分１０１８と関連して次の方法で使用される。頭部支持体２８００は、頭部支持プレート２８２０に配置され、また頭部支持部分１０１８は、図７６に示されるように下降位置に移動される。患者２８０１は、患者２８０１の胴体２８０９が胴体パッド２０３５によって支持され、かつ患者２８０１の頭部２８０３が頭部支持体２８００によって支持されるように、胴体パッド２０３５及び頭部支持体２８００の上に配置される。頭部支持体２８００の角度は、第２の位置ホルダ２６００で頭部支持プレート２８２０の角度を調整することによって変更することができる。好ましい実施態様では、患者２８０１の頭部２８０３が患者２８０１の胴体２８０９と整列されて患者２８０１の背骨に対する応力を低減させるように、頭部支持部材２８００が配置される。
【０２７８】
治療者は、患者２８０１の目が治療者の位置から鏡２８３０の中に見えるように、鏡２８３０を調整する。患者２８０１の目を観測することによって、治療者は、患者２８０１に目のまばたきをさせて患者２８０１と意思を通じ合うことができる。さらに、治療者は、苦しみまたは痛みの兆候ついて患者２８０１を観察し、患者２８０１に対する麻酔の効果を監視することができる。
【０２７９】
図６２、図７８、図７９を参照すると、リンク２２１０、２２１２、２２４４の少なくとも一つは、それらに連結される付属品２９２８を有するように構成される。例としての付属品には、レッグホルダ、ショルダチェア、関節鏡応力点、全膝安定器、患者搬送延長部と狭いヘッドレストと足部延長部と手術台幅延長装置とを含む手術台頂部延長部、アームボード、アームボードクレードル、ハンドまたはアームテーブル、ニッセン（ｎｉｓｓｅｎ）ストラップとショルダブレースと横方向ブレースと横方向支持体と患者拘束ストラップとを含む拘束体、アームシールド；尿道カテーテル、サイドキャッチャ及び膀胱テーブルバッグのような流体封入装置；麻酔スクリーン；シューレ（Ｓｃｈｕｒｅ）のスライド及びレッグドレープが含まれる。
【０２８０】
図７８と図７９を参照すると、付属品クランプ２９００が示される。付属品クランプ２９００は、本体部材２９０２、リンク連結器２９０４、付属品連結器２９０６及びテンション部材２９０８を含む。付属品クランプ２９００は、ベッドレール２９１０によって、図５６参照、リンク２２１０、２２１２、２２４４によって、図６１と図６２参照、受容されるように構成される。付属品レール２９００は、レール２９１０の開放端２９１２において、あるいはノッチ２９１４を通してベッドレール２９１０によって受容される。付属品レール２９００は、ノッチ２９１６を通してリンク機構２００７のリンク２２１０、２２１２、２２４４によって受容される、図６１と図６２参照。
【０２８１】
図７９を参照すると、リンク連結器２９０４は、第１の連結器２９１８及び第２の連結器２９２０を備える。第１の及び第２の連結器２９１８、２９２０は、リンク機構２００７のリンク２２１２のようなリンクの頂部部分２９２２と底部部分２９２４とに重なる。
【０２８２】
付属品は、次の方法で、付属品クランプ２９００でリンク機構２００７のリンクに取り付けられる。第１の連結器２９１８は、第２の連結器２９２０がリンク２２１２のノッチ２９１６に近接するように、リンク２２１２の頂部部分２９２２の上方に配置される。第２の連結器２９２０は、第１の連結器２９１８と第２の連結器２９２０がほぼ垂直に整列されるように、ノッチ２９１６を通過させられる。次に、付属品クランプ２９００はリンク２２１２に沿って所望の位置に滑動される。次に、付属品２９２８の支持体２９２６は、支持体２９２６が、リンク２２１２の前面２９３０とクランプ２９００の後面２９３２との間に配置されるように、付属品連結器２９０６に配置される。付属品２９２８の支持体２９２６及びクランプ２９００の本体２９０２は、テンション部材２９０８によって適所に固定される。一実施態様におけるテンション部材２９０８は、本体２９０２のねじ付きアパーチャ（図示せず）によって受容されるねじ付きロッド２９３６である。テンション部材２９０８は、第１の及び第２の連結器２９１８、２９２０と付属品支持体２９２６とをリンク２２１２に対して保持する。
【０２８３】
他の代替的実施態様の頭部支持部分３０１０が図８０に示されている。頭部支持部分３０１０は、患者の頭部を支持するように作られた頭部支持部材３０１２と、胴体支持部分（図示せず）の隣接する上胴支持部分（図示せず）に頭部支持部材３０１２を支持するように配置された部材支持体３０１４とを含む。頭部支持部材３０１２は、第１の及び第２の頭部支持プレート３０１６、３０１８と、第２の頭部支持プレート３０１８によって支持された頭部支持パッド３０２０とを含む。部材支持体３０１４は、一対の柱３０２６によって上胴支持部分に支持された位置ホルダ３０２４に連結されるＵ字状のリンク３０２２を含む。
【０２８４】
位置ホルダ３０２４は、頭部支持パッド３０２０によって形成される頭部支持面３０２７の角度調整を可能にするように構成される。図８２に示されるように、位置ホルダ３０２４は、柱３０２６に剛堅に連結された第１の基部３０２８と、リンク３０２２と共に回転するように連結された第２の基部３０３０とを含む。シャフト３０３２が設けられ、その上で、第２の基部３０３０が第１の基部３０２８に対し回転する。
【０２８５】
位置ホルダ３０２４は、第２の基部３０３０に連結された円筒状支持体３０３４と、支持体３０３４によって支持された一対の結合部材３０３６とを含む。位置ホルダ３０２４は、第１の基部３０２８に剛堅に連結される環状リング状の被結合部材３０３８をさらに含む。
【０２８６】
結合部材３０３６は、被結合部材３０３８の相対移動を阻止する図８３に示した第１の位置または結合位置と、被結合部材３０３８の移動を許容する図８４に示した第２の位置または非結合位置との間で移動可能である。結合部材３０３６の各々は、図８１に示されるように、被結合部材３０３８の部分３０４４を受容するように寸法決めされた空隙またはスロット３０４２を形成する縁部３０４０を含む。スロット３０４２は、結合位置にあるときに第１の面積を部分３０４４に対して投影し、非結合位置にあるときに第２の面積を部分３０４４に対して投影する。
【０２８７】
結合部材３０３６が結合位置にあるとき、第１の投影面積は、部分３０４４と同一のサイズであり、結合部材３０３６に被結合部材３０３８を把持または結合させて相対運動を阻止させる。しかし、第２の投影面積は、結合部材３０３６が非結合位置にあるとき、部分３０４４よりも僅かに大きくそして相対運動を許容する。したがって、結合部材３０３６が非結合位置に移動されると、リンク３０２２及び頭部支持パッド３０２０は、上胴部分に対して回転することができる。
【０２８８】
位置ホルダ３０２４は、結合部材３０３６を結合位置と非結合位置との間で移動させるように構成されたＣ字状の部材ムーバ３０４６を含む。図８２に示されるように、位置ホルダ３０２４は、コイルスプリング３０５２を受容するように寸法決めされた孔３０５０を含むばね支持体３０４８をさらに含む。コイルスプリング３０５２は、図８３に示されるように、結合部材を結合位置の方に向かって付勢するように位置決めされる。
【０２８９】
ガイドピン３０５４は、ばね支持体３０４８によって支持される。部材ムーバ３０４６は、図８３と図８４に示されるように、ピン３０５６を受容して、第１の及び第２の位置の間で部材ムーバ３０４６を案内するように寸法決めされたアパーチャ３０５４を含む。図８２に示されるように、部材ムーバ３０４６は、部材ムーバ３０４６を第１の位置に付勢する他のコイルスプリング３０６０を受容するように寸法決めされたチャネル３０５８を含む。コイルスプリング３０６０は、チャネル３０５８の第１の閉鎖端部３０６２と、リンク３０２２に連結された柱３０６４との間に捕捉される。かくして、部材ムーバ３０４６が第２の位置に移動されるとき、ばね３０６０は、閉鎖端部３０６２と柱３０６４との間で圧縮されて、部材ムーバ３０４６を第１の位置に押しやって戻す。
【０２９０】
部材ムーバ３０４６は、結合部材３０３６に接触する一対のランプまたはカム３０６６を含む。部材ムーバ３０４６が第２の位置に移動されると、ランプ３０６６は遠位端３０６８を内側に押しやって、被結合部材３０３８を解放して相対運動を可能にする。
【０２９１】
図８５に示されるように、位置ホルダ３０２４は、リンク３０２２に回動可能に連結されるハンドル３０７０と、ピン３０７４によってハンドル３０７０と部材ムーバ３０４６とに連結された搬送リング３０７２とをさらに含む。使用者は、ハンドル３０７０を締め付けて、部材ムーバ３０４６を第１の及び第２の位置の間に移動させる。解放されると、ばね３０６０は、部材ムーバ３０４６を押しやって第１の位置に戻す。適切な位置ホルダの更なる詳細と説明は、１９９９年６月３日出願のＳｌａｓｉｎｓｋｉの米国特許第６，２４４，７７９号、表題「Ａｎｇｕｌａｒｌｙ  Ａｄｊｕｓｔａｂｌｅ  Ｃｏｕｐｌｉｎｇ」に示されており、この特許の明細は、ここに引用することをもって明白に組み込まれる。
【０２９２】
本発明の開示の代替的実施態様によれば、開示した頭部支持部分は、手術台装置の側面または足部端部のような患者支持体の他の位置に配置され、患者の腕または下肢または足部を支持する。同様に、他の代替的実施態様によれば、開示した下肢部分は、手術台装置の側面または頭部側のような患者支持体の他の位置に配置され、患者の腕または頭部を支持する。本発明の開示の他の代替的実施態様によれば、開示した種々の実施態様の頭部分支持体及び足部分支持体の連結器または位置ホルダは、それらの支持体に設けられた他のそれぞれの連結器または位置に取って代わるか、あるいは開示した他の実施態様の頭部分支持体及び足部分支持体に取って代わる。
【０２９３】
添付図面及び上述の記述により、本発明について詳細に図解しかつ説明してきたが、このような図解及び説明は、例示的であって、本質的に限定的ではないと考えられ、また例示的な実施態様のみが図示かつ説明されてきたことが理解され、本発明の精神に含まれるすべての変更及び修正が保護されることが望まれる。
【図面の簡単な説明】
【０２９４】
【図１】図１は、本発明の開示による手術台装置の第１の実施態様の斜視図であり、基部と、頭部パッド及び胴体／上肢パッド及び下肢パッドを有する手術台頂部とを含む手術台装置を示している。
【図２】図２は、図１の切断線２−２に沿って得られた手術台頂部の下肢支持部分の断面図であり、下肢パッドが取り外されて上肢支持部分に回動可能に連結された下肢支持部分を示しており、また胴体／上肢パッドは除かれている。
【図３】図３は、上肢支持部分に対して下方に９０度回転された、手術台装置の下肢支持部分を示す、図２と同様の断面図である。
【図４】図４は、手術台頂部の下肢支持部分を上肢支持部分に連結する機構の一部分を示す、図３の一部分の拡大図である。
【図５】図５は、上肢支持部分から取り外される、手術台頂部の下肢支持部分を示す図１と同様の分解斜視図である。
【図６】図６は、上肢支持部分から取り外される下肢支持部分を示す、図５の切断線６−６に沿って得られた図２に同様の断面図である。
【図７】図７は、下肢パッドが取り外された図１の手術台頂部の下肢支持部分の斜視図であり、下肢支持部分は、伸長可能な及び固定される脚部支持プレートを含み、また伸長可能な脚部支持プレートは、下肢支持部分の残部に対する伸長可能な脚部支持プレートの移動を支援するためのハンドルを有している。
【図８】図８は、伸長可能な脚部支持プレートを下肢支持部分の残部に連結するように構成された連結器の分解斜視図である。
【図９】図９は、図８の連結器の部分断面側面図である。
【図１０】図１０は、図１の手術台頂部の、頭部支持部分と上胴支持部分と下胴支持部分の一部との側面図であり、上胴支持部分に回動可能に連結される頭部支持部分を示しており、頭部支持部分の頭部支持面は上胴支持部分の胴体支持面とほぼ同一平面である。
【図１１】図１１は、上胴支持部分に対して回転された頭部支持部分を示す、図１０と同様の図であり、頭部支持部分の頭部支持面は、上胴支持部分の胴体支持面に対して平行であり且つ持ち上げられている。
【図１２】図１２は、上胴支持部分に対して回転された頭部支持部分を示す、図１０と同様の図であり、頭部支持部分の頭部支持面が上胴支持部分の胴体支持面に対して平行であり且つ下げられている。
【図１３】図１３は、上胴支持部分に対して回転された頭部支持部分を示す、図１０と同様の側面図であり、頭部支持部分の頭部支持面が上胴支持部分の下に押し込まれている。
【図１４】図１４は、頭部支持パッドが取り外された手術台頂部の頭部支持部分の斜視図であり、頭部支持プレート、頭部支持プレートを支持する一対のリンク、頭部支持プレートを一対のリンクに回動可能に連結する第１の一対の連結器または位置ホルダ、一対の取付柱または取付ロッド、及び一対のリンクを取付ロッドに回動可能に連結する第２の一対の連結器または位置ホルダを含む頭部支持部分を示している。
【図１５】図１５は、図１４の頭部支持部分の第２の一対の連結器の一つの分解斜視図である。
【図１６】図１６は、それぞれのリンクをそれぞれの取付ロッドに固定的に連結する第１の位置にある連結器を示す、図１５の連結器の断面図である。
【図１７】図１７は、それぞれの取付ロッドに対するそれぞれのリンクの回転を可能にする第２の位置にある連結器を示す、図１６と同様の図である。
【図１８】図１８は、リンクを取付ロッドに回動可能に連結するように構成された代替的実施態様の連結器または位置ホルダの分解斜視図である。
【図１９】図１９は、それぞれのリンクをそれぞれの取付ロッドに固定的に連結する第１の位置にある連結器を示す、図１８の連結器の断面図である。
【図２０】図２０は、それぞれの取付ロッドに対するそれぞれのリンクの回転を可能にする第２の位置にある連結器を示す、図１９と同様の図である。
【図２１】図２１は、頭部パッドの分解斜視図である。
【図２２】図２２は、第１のパッドまたは主本体と、第２のパッドまたは円形挿入体とを含む頭部パッドを示す、図２１の頭部パッドの斜視図である。
【図２３】図２３は、主本体に形成された開口部に配置された挿入体を示す、図２２と同様の図である。
【図２４】図２４は、カバーを含む、主本体と挿入体とを示す、図２２と同様の図である。
【図２５】図２５は、カバーを有する、主本体及び挿入体とを示す、図２３と同様の図であり、挿入体は、主本体に形成された開口部に配置されている。
【図２６】図２６は、主本体と（仮想線で）挿入体とを示す、図２５の頭部パッドの側面図である。
【図２７】図２７は、主本体に配置された頭部パッドの挿入体を示す、図２５の切断線２７−２７に沿って得られた断面図である。
【図２８】図２８は、代替的実施態様の頭部パッドの分解斜視図である。
【図２９】図２９は、図２８の頭部パッドの斜視図である。
【図３０】図３０は、カバーを含む頭部パッドを示す、図２８の頭部パッドの斜視図である。
【図３１】図３１は、カバーなしの図２８の頭部パッドの側面図である。
【図３２】図３２は、図３０の切断線３２−３２に沿って得られた図２８の頭部パッドの断面図である。
【図３３】図３３は、図２８と図３４の切断線３３−３３に沿って得られた、図２８の頭部パッドの一部の断面図である。
【図３４】図３４は、図３３に示した頭部パッドの一部の平面図である。
【図３５】図３５は、手術台装置の第２の実施態様の側面部分断面図である。
【図３６】図３６は、（仮想線で示された）患者の身体に合うように移動された手術台装置の支持部分を示す、図３５の手術台装置の側面図である。
【図３７】図３７は、手術台装置の下肢支持部分が取り外された、図３５の手術台装置の斜視図である。
【図３８】図３８は、手術台装置の下肢支持部分の足部支持部分の側面部分断面図であり、フレームと足部パッドとを含む足部支持部分が、フレームに対する第１の位置にある状態を示している。
【図３９】図３９は、足部支持部分のフレームに対して上方に回転された足部パッドを示す、図３８と同様の図である。
【図４０】図４０は、フレームに対して右に移動された足部パッドを示す、図３８と同様の図である。
【図４１】図４１は、図４０の切断線４１−４１に沿って得られた断面図である。
【図４２】図４２は、図３８の手術台装置の頭部支持部分の部分断面斜視図であり、頭部支持部分は、手術台装置の上胴支持部分に回動可能に連結されている。
【図４３】図４３は、図４２の切断線４３−４３に沿って得られた断面図であり、頭部支持部分の第２の頭部支持部材に対する頭部支持部分の第１の頭部支持部材の運動を可能にするように構成された連結器または位置ホルダを示している。
【図４４】図４４は、図４２の切断線４４−４４に沿って得られた断面図である。
【図４５】図４５は、下肢支持部分を手術台頂部の上肢支持部分に回動可能にかつ滑動可能に連結するように構成された、連結器または位置ホルダの側面部分断面図である。
【図４６】図４６は、手術台頂部の上肢支持部分により近接して滑動された下肢支持部分を示す、図４５と同様の図である。
【図４７】図４７は、本発明の開示による手術台装置の第３の実施態様の斜視図であり、架台を含む基部と、頭部支持部分、上胴支持部分、下胴支持部分、座部支持部分、及び脚部支持部分を有する手術台頂部とを含む手術台装置を示しており、頭部パッド、胴体パッド、及び下肢パッドは、頭部支持部分、上胴支持部分、下胴支持部分、上肢支持部分、及び下肢支持部分のフレームを示すために取り外されている。
【図４８】図４８は、上肢支持部分から分離された下肢支持部分を示す、図４７と同様の斜視図である。
【図４９】図４９は、下肢支持部分を上肢支持部分に連結する下肢連結器を示す、図４８の一部の拡大図である。
【図５０】図５０は、上方に斜めにされかつ上肢支持部分から離間され、また下肢支持部分を上肢支持部分に連結できるように配置された下肢支持部分を示した断面図である。
【図５１】図５１は、下肢支持部分の上方ローブが上肢支持部分のポケットによって受容されるように上肢支持部分と整列された下肢支持部分を示す、図５０と同様の断面図である。
【図５２】図５２は、図４７の切断線５２−５２に沿って得られた断面図であり、手術台装置の上肢支持部分に回動可能に連結される下肢支持部分を示している。
【図５３】図５３は、上肢支持部分に対して下方に９０度回転された、手術台装置の下肢支持部分を示す、図５２と同様の断面図である。
【図５４】図５４は、移動可能な及び固定される脚部支持プレートを含む下肢支持部分を示す、図４７の手術台頂部の下肢支持部分の斜視図であり、移動可能な脚部支持プレートは、下肢支持部分の残部に対する下肢支持部分の移動を支援するためのハンドルを有する。
【図５５】図５５は、図５４の切断線５５−５５に沿って得られた断面図であり、移動可能な脚部支持プレートの位置を固定する脚伸長連結器または位置ホルダと、移動可能な脚部支持プレートの移動範囲を制限するリミットまたはストッパとを示している。
【図５６】図５６は、手術台装置の頭部支持部分を示す、図４７の手術台装置の他の斜視図である。
【図５７】図５７は、頭部支持部分の頭部支持プレートが取り外された、図５６と同様の図であり、頭部分フレームまたは部材支持体の構成要素を示している。
【図５８】図５８は、上昇位置にある頭部支持部分を示す、図５６と同様の図であり、頭部支持部分は上胴支持部分に対して回転され、頭部支持部分の頭部支持面は上胴支持部分の胴体支持面に対して平行であり且つ持ち上げられている。
【図５９】図５９は、下降位置にある頭部支持部分を示す、図５６と同様の図であり、頭部支持部分は上胴支持部分に対して回転され、頭部支持部分の頭部支持面は上胴支持部分の胴体支持面に対してほぼ平行でありかつ下げられている。
【図６０】図６０は、上胴支持部分に対して回転されかつ格納または押し込み位置に配置された頭部支持部分を示す、図５６と同様の図である。
【図６１】図６１は、図５６の支持面の頭部支持部分の斜視図であり、下方左側に延在する１組の取付ロッドと、取付ロッドに連結された四棒リンク機構と、四棒リンク機構に連結された頭部支持プレートとを含む頭部支持部分を示している。
【図６２】図６２は、頭部支持プレートが取り外された、図６１と同様の図である。
【図６３】図６３は、図６１と図６２の四棒リンク機構のジョイントの一つの分解図である。
【図６４】図６４は、ロック解除位置にある位置ホルダを示す、図６３のジョイントの断面図である。
【図６５】図６５は、ロック位置にある位置ホルダを示す、図６４と同様の図である。
【図６６】図６６は、ジョイントの代替的実施態様の分解図である。
【図６７】図６７は、ロック解除位置にある位置ホルダを示す、図６６のジョイントの断面図である。
【図６８】図６８は、ロック位置にある位置ホルダを示す、図６７と同様の図である。
【図６９】図６９は、図６２の四棒リンク機構の一つの他のジョイントの断面図である。
【図７０】図７０は、図５８の頭部支持部分の側面図であり、上胴支持部分の胴体支持面とほぼ平行でありかつほぼ同一平面である頭部支持部分の頭部支持面を示す。
【図７１】図７１は、上胴支持部分の胴体支持面に対して斜めにされた頭部支持プレートを示す、図７０と同様の図である。
【図７２】図７１は、上胴支持部分の胴体支持面に対して図７１に示した方向と反対方向で斜めにされた頭部支持プレートを示す、図７０と同様の図である。
【図７３】図７３は、頭部支持部分の他の位置ホルダの分解斜視図である。
【図７４】図７４は、図７３の切断線７４−７４に沿って得られた第２の位置ホルダの部分断面図であり、図７０に示した位置にある頭部支持プレート装着部を示す。
【図７５】図７５は、図７１に示した位置にある頭部支持プレート装着部を示す、図７４と同様の図である。
【図７６】図７６は、手術台装置に配置された頭部支持パッドを有する本発明の開示による手術台装置の頭部支持部分の側面図であり、頭部支持部分は少なくとも部分的に透明な頭部支持プレートまたは部材を有する。
【図７７】図７７は、図７６の頭部支持部分と頭部支持パッドの斜視図である。
【図７８】図７８は、図６２のリンク機構のリンクに付属品クランプで連結される付属品の斜視図である。
【図７９】図７９は、図７８の切断線７９−７９に沿って得られた付属品クランプの断面図であり、付属品クランプのレール連結器を示す。
【図８０】図８０は、頭部支持部材と、手術台装置の残部に対して頭部支持部材を支持するように構成された部材支持体とを含む、本発明の開示の他の実施態様による手術台装置の頭部支持部分の斜視図である。
【図８１】図８１は、図８０の頭部支持部分の位置ホルダの斜視図である。
【図８２】図８２は、図８１に示した位置ホルダの分解斜視図である。
【図８３】図８３は、図８１の切断線８３−８３に沿って得られた断面図であり、頭部支持部材の移動を阻止する第１の位置にある位置ホルダを示す。
【図８４】図８４は、頭部支持部材の移動を可能にする第２の位置にある位置ホルダを示す、図８３と同様の図である。
【図８５】図８５は、図８１の頭部支持部分の底面図であり、第１の及び第２の位置の間に位置ホルダを移動させるように構成されたハンドルを含む頭部支持部分を示している。
【図６１】
2005504559.tif 000003
【図６２】
2005504559.tif 000004
【国際公開パンフレット】
2005504559.tif 000005
2005504559.tif 000006
2005504559.tif 000007
2005504559.tif 000008
2005504559.tif 000009
2005504559.tif 000010
2005504559.tif 000011
2005504559.tif 000012
2005504559.tif 000013
2005504559.tif 000014
2005504559.tif 000015
2005504559.tif 000016
2005504559.tif 000017
2005504559.tif 000018
2005504559.tif 000019
2005504559.tif 000020
2005504559.tif 000021
2005504559.tif 000022
2005504559.tif 000023
2005504559.tif 000024
2005504559.tif 000025
2005504559.tif 000026
2005504559.tif 000027
2005504559.tif 000028
2005504559.tif 000029
2005504559.tif 000030
2005504559.tif 000031
2005504559.tif 000032
2005504559.tif 000033
2005504559.tif 000034
2005504559.tif 000035
2005504559.tif 000036
2005504559.tif 000037
2005504559.tif 000038
2005504559.tif 000039
2005504559.tif 000040
2005504559.tif 000041
2005504559.tif 000042
2005504559.tif 000043
2005504559.tif 000044
2005504559.tif 000045
2005504559.tif 000046
2005504559.tif 000047
2005504559.tif 000048
2005504559.tif 000049
2005504559.tif 000050
2005504559.tif 000051
2005504559.tif 000052
2005504559.tif 000053
2005504559.tif 000054
2005504559.tif 000055
2005504559.tif 000056
2005504559.tif 000057
2005504559.tif 000058
2005504559.tif 000059
2005504559.tif 000060
2005504559.tif 000061
2005504559.tif 000062
2005504559.tif 000063
2005504559.tif 000064
2005504559.tif 000065
2005504559.tif 000066
2005504559.tif 000067
2005504559.tif 000068
2005504559.tif 000069
2005504559.tif 000070
2005504559.tif 000071
2005504559.tif 000072
2005504559.tif 000073
2005504559.tif 000074
2005504559.tif 000075
2005504559.tif 000076
2005504559.tif 000077
2005504559.tif 000078
2005504559.tif 000079
2005504559.tif 000080
2005504559.tif 000081
2005504559.tif 000082
2005504559.tif 000083
2005504559.tif 000084
2005504559.tif 000085
2005504559.tif 000086
2005504559.tif 000087
2005504559.tif 000088
2005504559.tif 000089
2005504559.tif 000090
2005504559.tif 000091
2005504559.tif 000092
2005504559.tif 000093
2005504559.tif 000094
2005504559.tif 000095
2005504559.tif 000096
2005504559.tif 000097
2005504559.tif 000098
2005504559.tif 000099
2005504559.tif 000100
2005504559.tif 000101
2005504559.tif 000102
2005504559.tif 000103
2005504559.tif 000104
2005504559.tif 000105
2005504559.tif 000106
2005504559.tif 000107
2005504559.tif 000108
2005504559.tif 000109
2005504559.tif 000110
2005504559.tif 000111
2005504559.tif 000112
2005504559.tif 000113
2005504559.tif 000114
2005504559.tif 000115
2005504559.tif 000116
2005504559.tif 000117
2005504559.tif 000118
2005504559.tif 000119
2005504559.tif 000120
2005504559.tif 000121
2005504559.tif 000122
2005504559.tif 000123
2005504559.tif 000124
2005504559.tif 000125
2005504559.tif 000126
2005504559.tif 000127
2005504559.tif 000128
2005504559.tif 000129
2005504559.tif 000130
2005504559.tif 000131
2005504559.tif 000132
2005504559.tif 000133
2005504559.tif 000134
2005504559.tif 000135
2005504559.tif 000136
2005504559.tif 000137
2005504559.tif 000138
2005504559.tif 000139
2005504559.tif 000140
2005504559.tif 000141
2005504559.tif 000142
2005504559.tif 000143
2005504559.tif 000144
2005504559.tif 000145
2005504559.tif 000146
2005504559.tif 000147
2005504559.tif 000148
2005504559.tif 000149
2005504559.tif 000150
2005504559.tif 000151
2005504559.tif 000152
2005504559.tif 000153
2005504559.tif 000154
2005504559.tif 000155
2005504559.tif 000156
2005504559.tif 000157
2005504559.tif 000158
2005504559.tif 000159
2005504559.tif 000160
2005504559.tif 000161
2005504559.tif 000162
2005504559.tif 000163
【国際公開パンフレット（コレクトバージョン）】
2005504559.tif 000164
2005504559.tif 000165
【国際調査報告】
2005504559.tif 000166
2005504559.tif 000167
2005504559.tif 000168